(57)【要約】【課題】対象物の温度を効率的に調整可能な温度調整装置を提供する。【解決手段】バッテリ８０の排熱を外気に放熱させる第１ラジエータ４１の第１熱媒体通路４１ａと、冷媒を圧縮して吐出する圧縮機１１から吐出された高圧冷媒を凝縮させる凝縮器１２の冷媒通路１２ａ、および前記高圧冷媒を減圧させる膨張弁１３にて減圧された低圧冷媒を蒸発させる室内蒸発器１４の冷媒通路１４ａを有する冷凍サイクル装置１０と、を備える。そして、第１ラジエータ４１の第１熱媒体通路４１ａでは、バッテリ８０の排熱を、凝縮器１２を通過する前の外気に放熱させ、凝縮器１２の冷媒通路１２ａでは、高圧冷媒の有する熱を、第１ラジエータ４１を通過後に放熱させる。これにより、冷凍サイクル装置１０の作動状態によらず、バッテリ８０を冷却することができる。【選択図】図１
2020104604.tif 000002
【特許請求の範囲】
【請求項１】
対象物（８０）の有する熱を外気に放熱させる放熱部（４１ａ）と、
冷媒を圧縮して吐出する圧縮機（１１）から吐出された高圧冷媒を凝縮させる凝縮部（１２ａ）、および前記高圧冷媒を減圧させる減圧部（１３）にて減圧された低圧冷媒を蒸発させる蒸発部（１４ａ）を有する冷凍サイクル装置（１０）と、を備え、
前記放熱部は、前記対象物の有する熱を、前記凝縮部にて吸熱する前の外気に放熱させ、
前記凝縮部は、前記高圧冷媒の有する熱を、前記放熱部を通過後の外気の少なくとも一部に放熱させる温度調整装置。
【請求項２】
第１熱媒体を流通させて蒸発側対象物（８０）と熱交換させる蒸発側対象物熱交換部（８０ａ）と、
冷媒を圧縮して吐出する圧縮機（１１）から吐出された高圧冷媒を凝縮させる凝縮部（１２１ａ）、および前記高圧冷媒を減圧させる減圧部（１３、１３ａ）にて減圧された低圧冷媒を蒸発させる蒸発部（１４１ａ）を有する冷凍サイクル装置（１０）と、
前記凝縮部と熱的に接続されて第２熱媒体と前記高圧冷媒とを熱交換させる凝縮側熱交換部（１２１ｂ）と、
前記蒸発側対象物熱交換部から流出した前記第１熱媒体と外気とを熱交換させる第１熱交換部（４１）と、
前記凝縮側熱交換部から流出した前記第２熱媒体と外気とを熱交換させる第２熱交換部（５１）と、を備え、
前記第１熱交換部は、前記蒸発側対象物熱交換部から流出した前記第１熱媒体と前記第２熱交換部にて熱交換する前の外気とを熱交換させ、
前記第２熱交換部は、前記凝縮側熱交換部から流出した前記第２熱媒体と前記第１熱交換部を通過後の外気の少なくとも一部とを熱交換させる温度調整装置。
【請求項３】
前記蒸発部と熱的に接続されて前記第１熱媒体を前記低圧冷媒と熱交換させる蒸発側熱交換部（１４１ｂ）を備える請求項２に記載の温度調整装置。
【請求項４】
前記第１熱媒体を循環させる第１熱媒体回路（４０）と、
前記第２熱媒体を循環させる第２熱媒体回路（５０）と、を備え、
前記第１熱媒体回路および前記第２熱媒体回路は、前記第１熱媒体と前記第２熱媒体とを混合させることのない互いに独立した熱媒体回路を形成している請求項３に記載の温度調整装置。
【請求項５】
前記第１熱媒体回路（４０）の回路構成を切り替える切替部（４５ａ…４５ｅ）と、を備え、
前記切替部は、前記第１熱交換部から流出した前記第１熱媒体を前記蒸発側対象物熱交換部へ流入させる回路構成と、前記第１熱交換部から流出した前記第１熱媒体を前記蒸発側熱交換部へ流入させる回路構成とを切り替える請求項４に記載の温度調整装置。
【請求項６】
前記高圧冷媒を熱源として加熱対象流体を加熱する加熱部（５３、１２２）を備え、
前記冷凍サイクル装置では、前記蒸発部にて前記冷媒が前記第１熱媒体から吸熱した熱を、前記凝縮部にて前記第２熱媒体に放熱させる請求項２ないし５のいずれか１つに記載の温度調整装置。
【請求項７】
前記高圧冷媒を熱源として加熱対象流体を加熱する加熱部（５３）を備え、
前記冷凍サイクル装置では、前記蒸発部にて前記冷媒が前記第２熱媒体から吸熱した熱を、前記凝縮部にて前記第２熱媒体に放熱させる請求項２ないし５のいずれか１つに記載の温度調整装置。
【請求項８】
前記第１熱媒体を流通させて外気側対象物（８１）と熱交換させる外気側対象物熱交換部（８１ａ）を備える請求項２ないし７のいずれか１つに記載の温度調整装置。
【請求項９】
前記第２熱媒体を流通させて外気側対象物（８２）と熱交換させる外気側対象物熱交換部（８１ａ）を備える請求項２ないし７のいずれか１つに記載の温度調整装置。
【請求項１０】
第１熱媒体を流通させて蒸発側対象物（８０）と熱交換させる蒸発側対象物熱交換部（８０ａ）と、
第２熱媒体を流通させて外気側対象物（８１）と熱交換させる外気側対象物熱交換部（８１ａ）と、
冷媒を圧縮して吐出する圧縮機（１１）から吐出された高圧冷媒を凝縮させる凝縮部（１２１ａ）、および前記高圧冷媒を減圧させる減圧部（１３）にて減圧された低圧冷媒を蒸発させる蒸発部（１４１ａ）を有する冷凍サイクル装置（１０）と、
前記凝縮部と熱的に接続されて前記第１熱媒体を前記高圧冷媒と熱交換させる凝縮側熱交換部（１２１ｂ）と、
前記蒸発部と熱的に接続されて前記第１熱媒体を前記低圧冷媒と熱交換させる蒸発側熱交換部（１４１ｂ）と、
前記第１熱媒体と外気とを熱交換させる第１熱交換部（４１）と、
前記外気側対象物熱交換部から流出した前記第２熱媒体と外気とを熱交換させる第２熱交換部（５１）と、
前記第１熱媒体を循環させる第１熱媒体回路（４０）の回路構成を切り替える切替部（４４ａ、４５ａ…４５ｅ）と、を備え、
前記切替部は、前記蒸発側熱交換部と前記蒸発側対象物熱交換部との間で前記第１熱媒体を循環させる回路構成、前記蒸発側熱交換部と前記第１熱交換部との間で前記第１熱媒体を循環させる回路構成、および前記凝縮側熱交換部と前記第１熱交換部との間で前記第１熱媒体を循環させる回路構成を切り替え、
前記第１熱交換部は、前記第１熱媒体と前記第２熱交換部にて熱交換する前の外気とを熱交換させ、
前記第２熱交換部は、前記外気側対象物熱交換部から流出した前記第２熱媒体と前記第１熱交換部を通過後の外気の少なくとも一部とを熱交換させる温度調整装置。
【請求項１１】
前記切替部は、前記蒸発側熱交換部から流出した前記第１熱媒体を、前記蒸発側対象物熱交換部を介して前記第１熱交換部へ流入させる回路構成と、前記蒸発側熱交換部から流出した前記第１熱媒体を、前記蒸発側対象物熱交換部を迂回させて前記第１熱交換部へ流入させる回路構成とを切り替える請求項１０に記載の温度調整装置。
【請求項１２】
前記切替部は、前記蒸発側対象物熱交換部から流出した前記第１熱媒体を、前記第１熱交換部を介して前記蒸発側熱交換部へ流入させる回路構成と、前記蒸発側対象物熱交換部から流出した前記第１熱媒体を、前記第１熱交換部を迂回させて前記蒸発側熱交換部へ流入させる回路構成とを切り替える請求項１０または１１に記載の温度調整装置。
【請求項１３】
前記冷凍サイクル装置は、前記高圧冷媒を減圧させる流体側減圧部（１３ｂ）にて減圧された低圧冷媒を冷却対象流体と熱交換させて蒸発させる流体側蒸発部（１４）を有し、
前記蒸発部および前記流体側蒸発部は、前記凝縮部から流出した前記高圧冷媒の流れに対して、互いに並列的に接続されている請求項２ないし１２のいずれか１つに記載の温度調整装置。
【請求項１４】
冷媒を圧縮して吐出する圧縮機（１１）から吐出された高圧冷媒を凝縮させる凝縮部（１２１ａ）、前記高圧冷媒を減圧させる減圧部（１３ａ）にて減圧された低圧冷媒を蒸発させる蒸発部（１４１ａ）、および前記高圧冷媒を減圧させる流体側減圧部（１３ｂ）にて減圧された低圧冷媒を冷却対象流体と熱交換させて蒸発させる流体側蒸発部（１４）を有する冷凍サイクル装置（１０）と、
前記蒸発部と熱的に接続されて第１熱媒体と前記低圧冷媒とを熱交換させる蒸発側熱交換部（１４１ｂ）と、
前記第１熱媒体を流通させて外気側対象物（８１）と熱交換させる外気側対象物熱交換部（８１ａ）と、
前記第１熱媒体と外気とを熱交換させる第１熱交換部（４１）と、
前記凝縮部と熱的に接続されて第２熱媒体と前記高圧冷媒とを熱交換させる凝縮側熱交換部（１２１ｂ）と、
前記第２熱媒体と加熱対象流体とを熱交換させる加熱部（５３）と、
前記第２熱媒体と外気とを熱交換させる第２熱交換部（５１）と、
前記第１熱媒体を循環させる第１熱媒体回路（４０）の回路構成を切り替える第１切替部（４４ｂ、４５ａ…４５ｄ）と、
前記第２熱媒体を循環させる第２熱媒体回路（５０）の回路構成を切り替える第２切替部（５４、５５）と、を備え、
前記第１熱交換部および前記第２熱交換部は、一方を通過後の外気が他方へ流入するように配置されており、
前記流体側蒸発部にて前記冷却対象流体を冷却する冷却運転モードでは、
前記第１切替部は、前記第１熱交換部から流出した前記第１熱媒体を前記外気側対象物熱交換部へ流入させる回路構成に切り替え、
前記第２切替部は、前記凝縮側熱交換部から流出した前記第２熱媒体を前記第２熱交換部へ流入させる回路構成に切り替え、
前記加熱部にて前記加熱対象流体を加熱する加熱運転モードでは、
前記第１切替部は、前記蒸発側熱交換部から流出した前記第１熱媒体を前記第１熱交換部および前記外気側対象物熱交換部へ流入させる回路構成に切り替え、
前記第２切替部は、前記凝縮側熱交換部から流出した前記第２熱媒体を前記加熱部へ流入させる回路構成に切り替え、
前記冷却運転モード時に前記第１熱交換部を流通する前記第１熱媒体の流れ方向と前記第２熱交換部を流通する前記第２熱媒体の流れ方向は、同一となっており、
前記冷却運転モード時に前記第１熱交換部を流通する前記第１熱媒体の流れ方向と前記加熱運転モード時に前記第１熱交換部を流通する前記第１熱媒体の流れ方向は、異なっており、
前記冷却運転モード時に前記外気側対象物熱交換部を流通する前記第１熱媒体の流れ方向と前記加熱運転モード時に前記外気側対象物熱交換部を流通する前記第１熱媒体の流れ方向は、同一となっている温度調整装置。
【請求項１５】
前記第１熱媒体を流通させて蒸発側対象物（８０）と熱交換させる蒸発側対象物熱交換部（８０ａ）を備え、
少なくとも前記蒸発側対象物を冷却する蒸発側対象物冷却モードでは、前記第１切替部は、前記蒸発側熱交換部にて冷却された前記第１熱媒体を前記蒸発側対象物熱交換部へ流入させ、さらに、前記蒸発側対象物熱交換部から流出した前記第１熱媒体を、前記外気側対象物熱交換部を迂回させて前記蒸発側熱交換部の入口側へ導く回路構成に切り替える請求項１４に記載の温度調整装置。
【請求項１６】
前記外気側対象物熱交換部から流出した前記第１熱媒体を、前記外気側対象物熱交換部の入口側へ戻す補助迂回通路（４０６）と、
前記補助迂回通路を戻る前記第１熱媒体の流量を調整する補助流量調整弁（４４ｂ）と、を備える請求項１４に記載の温度調整装置。
【請求項１７】
冷媒を圧縮して吐出する圧縮機（１１）から吐出された高圧冷媒を凝縮させる凝縮部（１２１ａ）、前記高圧冷媒を減圧させる減圧部（１３ａ）にて減圧された低圧冷媒を蒸発させる蒸発部（１４１ａ）、および前記高圧冷媒を減圧させる流体側減圧部（１３ｂ）にて減圧された低圧冷媒を冷却対象流体と熱交換させて蒸発させる流体側蒸発部（１４）を有する冷凍サイクル装置（１０）と、
前記蒸発部と熱的に接続されて熱媒体と前記低圧冷媒とを熱交換させる蒸発側熱交換部（１４１ｂ）と、
前記凝縮部と熱的に接続されて前記熱媒体と前記高圧冷媒とを熱交換させる凝縮側熱交換部（１２１ｂ）と、
前記熱媒体を流通させて外気側対象物（８１）と熱交換させる外気側対象物熱交換部（８１ａ）と、
前記熱媒体と外気とを熱交換させる室外熱交換部（６１）と、
前記熱媒体と加熱対象流体とを熱交換させる加熱部（５３）と、
前記熱媒体を循環させる熱媒体回路（６０）の回路構成を切り替える切替部（４４ｂ、４４ｃ、４５ａ…４５ｄ、５４、５５）と、を備え、
前記流体側蒸発部にて前記冷却対象流体を冷却する冷却運転モードでは、前記切替部は、前記室外熱交換部から流出した前記熱媒体を前記凝縮側熱交換部および前記外気側対象物熱交換部へ流入させる回路構成に切り替え、
前記加熱部にて前記加熱対象流体を加熱する加熱運転モードでは、前記切替部は、前記蒸発側熱交換部から流出した前記熱媒体を前記室外熱交換部および前記外気側対象物熱交換部へ流入させるとともに、前記凝縮側熱交換部から流出した前記熱媒体を前記加熱部へ流入させる回路構成に切り替え、
前記冷却運転モード時に前記室外熱交換部を流通する前記熱媒体の流れ方向と前記加熱運転モード時に前記室外熱交換部を流通する前記熱媒体の流れ方向は、異なっており、
前記冷却運転モード時に前記外気側対象物熱交換部を流通する前記熱媒体の流れ方向と前記加熱運転モード時に前記外気側対象物熱交換部を流通する前記熱媒体の流れ方向は、同一となっている温度調整装置。
【請求項１８】
前記熱媒体を流通させて蒸発側対象物（８０）と熱交換させる蒸発側対象物熱交換部（８０ａ）を備え、
少なくとも前記蒸発側対象物を冷却する蒸発側対象物冷却モードでは、前記切替部は、前記蒸発側熱交換部にて冷却された前記熱媒体を前記蒸発側対象物熱交換部へ流入させ、さらに、前記蒸発側対象物熱交換部から流出した前記熱媒体を、前記外気側対象物熱交換部を迂回させて前記蒸発側熱交換部の入口側へ導く回路構成に切り替える請求項１７に記載の温度調整装置。
【請求項１９】
前記熱媒体を流通させて蒸発側対象物（８０）と熱交換させる蒸発側対象物熱交換部（８０ａ）と、
前記蒸発側対象物熱交換部から流出した前記熱媒体のうち、前記室外熱交換部の入口側へ流入させる熱媒体の流量と、前記蒸発側熱交換部の入口側へ流入させる熱媒体の流量との流量比を調整する蒸発側流量調整弁（４４ｃ）を備える請求項１７に記載の温度調整装置。
【請求項２０】
前記外気側対象物熱交換部から流出した前記熱媒体を、前記外気側対象物熱交換部の入口側へ戻す補助迂回通路（４０６）と、
前記補助迂回通路を戻る前記熱媒体の流量を調整する補助流量調整弁（４４ｂ）と、を備える請求項１７に記載の温度調整装置。
【請求項２１】
冷媒を圧縮して吐出する圧縮機（１１）から吐出された高圧冷媒を凝縮させる凝縮部（１２１ａ）、前記高圧冷媒を減圧させる減圧部（１３ａ）にて減圧された低圧冷媒を蒸発させる蒸発部（１４１ａ）、および前記高圧冷媒を減圧させる流体側減圧部（１３ｂ）にて減圧された低圧冷媒を冷却対象流体と熱交換させて蒸発させる流体側蒸発部（１４）を有する冷凍サイクル装置（１０）と、
前記蒸発部と熱的に接続されて第１熱媒体と前記低圧冷媒とを熱交換させる蒸発側熱交換部（１４１ｂ）と、
前記第１熱媒体を流通させて外気側対象物（８１）と熱交換させる外気側対象物熱交換部（８１ａ）と、
前記第１熱媒体と外気とを熱交換させる第１熱交換部（４１）と、
前記凝縮部と熱的に接続されて第２熱媒体と前記高圧冷媒とを熱交換させる凝縮側熱交換部（１２１ｂ）と、
前記第２熱媒体と加熱対象流体とを熱交換させる加熱部（５３）と、
前記第２熱媒体と外気とを熱交換させる第２熱交換部（５１）と、
前記第１熱媒体を循環させる第１熱媒体回路（４０）の回路構成を切り替える第１切替部（４４ｂ、４５ａ…４５ｄ）と、
前記第２熱媒体を循環させる第２熱媒体回路（５０）の回路構成を切り替える第２切替部（５４、５５）と、を備え、
前記第１熱交換部および前記第２熱交換部は、一方を通過後の外気が他方へ流入するように配置されており、
前記流体側蒸発部にて前記冷却対象流体を冷却する冷却運転モードでは、
前記第１切替部は、前記第１熱交換部から流出した前記第１熱媒体を前記外気側対象物熱交換部へ流入させる回路構成に切り替え、
前記第２切替部は、前記凝縮側熱交換部から流出した前記第２熱媒体を前記第２熱交換部へ流入させる回路構成に切り替え、
前記加熱部にて前記加熱対象流体を加熱する加熱運転モードでは、
前記第１切替部は、前記第１熱交換部から流出した前記第１熱媒体を前記蒸発側熱交換部および前記外気側対象物熱交換部へ流入させる回路構成に切り替え、
前記第２切替部は、前記凝縮側熱交換部から流出した前記第２熱媒体を前記加熱部へ流入させる回路構成に切り替え、
前記冷却運転モード時に前記第１熱交換部を流通する前記第１熱媒体の流れ方向と前記第２熱交換部を流通する前記第２熱媒体の流れ方向は、同一となっており、
前記冷却運転モード時に前記外気側対象物熱交換部を流通する前記第１熱媒体の流れ方向と前記加熱運転モード時に前記外気側対象物熱交換部を流通する前記第１熱媒体の流れ方向は、同一となっている温度調整装置。
【請求項２２】
冷媒を圧縮して吐出する圧縮機（１１）から吐出された高圧冷媒を凝縮させる凝縮部（１２１ａ）、前記高圧冷媒を減圧させる減圧部（１３ａ）にて減圧された低圧冷媒を蒸発させる蒸発部（１４１ａ）、および前記高圧冷媒を減圧させる流体側減圧部（１３ｂ）にて減圧された低圧冷媒を冷却対象流体と熱交換させて蒸発させる流体側蒸発部（１４）を有する冷凍サイクル装置（１０）と、
前記蒸発部と熱的に接続されて熱媒体と前記低圧冷媒とを熱交換させる蒸発側熱交換部（１４１ｂ）と、
前記凝縮部と熱的に接続されて前記熱媒体と前記高圧冷媒とを熱交換させる凝縮側熱交換部（１２１ｂ）と、
前記熱媒体を流通させて外気側対象物（８１）と熱交換させる外気側対象物熱交換部（８１ａ）と、
前記熱媒体と外気とを熱交換させる室外熱交換部（６１）と、
前記熱媒体と加熱対象流体とを熱交換させる加熱部（５３）と、
前記熱媒体を循環させる熱媒体回路（６０）の回路構成を切り替える切替部（４４ｂ、４５ａ…４５ｄ、５４、５５）と、を備え、
前記流体側蒸発部にて前記冷却対象流体を冷却する冷却運転モードでは、前記切替部は、前記室外熱交換部から流出した前記熱媒体を前記外気側対象物熱交換部および前記凝縮側熱交換部へ流入させる回路構成に切り替え、
前記加熱部にて前記加熱対象流体を加熱する加熱運転モードでは、前記切替部は、前記室外熱交換部から流出した前記熱媒体を前記外気側対象物熱交換部および前記蒸発側熱交換部へ流入させるとともに、前記凝縮側熱交換部から流出した前記熱媒体を前記加熱部へ流入させる回路構成に切り替え、
前記冷却運転モード時に前記外気側対象物熱交換部を流通する前記熱媒体の流れ方向と前記加熱運転モード時に前記外気側対象物熱交換部を流通する前記熱媒体の流れ方向は、同一となっている温度調整装置。
【請求項２３】
前記蒸発部と熱的に接続されて前記第１熱媒体を前記低圧冷媒と熱交換させる蒸発側熱交換部（１４１ｂ）と、を備え、
前記冷却対象流体は、空調対象空間へ送風される送風空気であり、
前記流体側蒸発部へ流入させる前記送風空気における前記空調対象空間内の内気と空調対象空間外の外気との割合を調整する内外気切替部（３３）を有し、
前記内外気切替部は、前記流体側蒸発部にて前記冷却対象流体を冷却する運転モードから、前記流体側蒸発部にて前記冷却対象流体を冷却するとともに前記蒸発側熱交換部にて冷却された前記第１熱媒体を前記蒸発側対象物熱交換部へ流入させる運転モードへ切り替える際に、外気の割合を増加させる請求項１３または１５に記載の温度調整装置。
【請求項２４】
前記冷却対象流体は、空調対象空間へ送風される送風空気であり、
前記流体側蒸発部へ流入させる前記送風空気における前記空調対象空間内の内気と空調対象空間外の外気との割合を調整する内外気切替部（３３）を有し、
前記内外気切替部は、前記流体側蒸発部にて前記冷却対象流体を冷却する運転モードから、前記流体側蒸発部にて前記冷却対象流体を冷却するとともに前記蒸発側熱交換部にて冷却された前記熱媒体を前記蒸発側対象物熱交換部へ流入させる運転モードへ切り替える際に、外気の割合を増加させる請求項１８または１９に記載の温度調整装置。
【請求項２５】
前記第１熱交換部と前記第２熱交換部は、前記第１熱媒体と前記第２熱媒体との間の熱移動が可能となるように熱的に接続されている請求項２ないし１６、２１のいずれか１つに記載の温度調整装置。
【発明の詳細な説明】
【技術分野】
【０００１】
本発明は、温度調整の対象物の温度を調整する温度調整装置に関する。
【背景技術】
【０００２】
従来、特許文献１に、車両に搭載された温度調整装置が開示されている。特許文献１の温度調整装置は、バッテリやインバータのように作動時に発熱する車載機器、車室内の空調を行うために車室内へ吹き出される送風空気等を温度調整の対象物としている。
【０００３】
より具体的には、特許文献１の温度調整装置は、互いに並列的に接続された２つの蒸発部を有する蒸気圧縮式の冷凍サイクル装置を備えている。そして、一方の蒸発部にて車載機器の冷却水を冷却している。また、他方の蒸発部にて車室内へ送風される送風機を冷却している。これにより、特許文献１の温度調整装置では、車載機器の温度調整および車室内の空調の双方を実現している。
【先行技術文献】
【特許文献】
【０００４】
【特許文献１】特開２０１４−３７１７８号公報
【発明の概要】
【発明が解決しようとする課題】
【０００５】
しかしながら、特許文献１の温度調整装置では、効率的に対象物の温度を調整することが難しい。その理由は、例えば、車室内の空調が要求されていない場合であっても、車載機器の温度調整のために冷凍サイクル装置を作動させなければならず、冷凍サイクル装置の非効率的なエネルギ消費を招くおそれがあるからである。
【０００６】
より詳細には、車室内の空調および車載機器の温度調整の双方を行う際の冷凍サイクル装置の作動点（具体的には、圧縮機の回転数等）と、車室内の空調および車載機器の温度調整のいずれか一方のみを行う際の冷凍サイクル装置の作動点は異なる。これは、冷凍サイクル装置に要求される冷却能力が異なるからである。さらに、蒸気圧縮式の冷凍サイクル装置では、いずれの作動点においても高い作動効率を発揮させることは難しい。
【０００７】
このため、特許文献１の温度調整装置では、効率的に温度調整の対象となる対象物の温度を調整することが難しい。
【０００８】
本発明は、上記点に鑑み、対象物の温度を効率的に調整可能な温度調整装置を提供することを目的とする。
【課題を解決するための手段】
【０００９】
上記目的を達成するため、請求項１に記載の発明は、対象物（８０）の有する熱を外気に放熱させる放熱部（４１ａ）と、冷媒を圧縮して吐出する圧縮機（１１）から吐出された高圧冷媒を凝縮させる凝縮部（１２ａ）、および高圧冷媒を減圧させる減圧部（１３）にて減圧された低圧冷媒を蒸発させる蒸発部（１４ａ）を有する冷凍サイクル装置（１０）と、を備え、
凝縮部は、高圧冷媒の有する熱を、放熱部を通過後の外気の少なくとも一部に放熱させ、
放熱部は、対象物の有する熱を、凝縮部にて吸熱する前の外気に放熱させる温度調整装置である。
【００１０】
これによれば、放熱部（４１ａ）を備えているので、対象物（８０）の有する熱を外気へ放熱させることができる。これにより、対象物（８０）を冷却することができる。
【００１１】
また、放熱部（４１ａ）は、対象物（８０）の有する熱を、凝縮部（１２ａ）を通過する前の外気に放熱させる。さらに、凝縮部（１２ａ）は、高圧冷媒の有する熱を、放熱部（４１ａ）を通過後の外気の少なくとも一部に放熱させる。
【００１２】
従って、放熱部（４１ａ）では、冷凍サイクル装置（１０）の作動状態の影響を受けることなく、対象物（８０）の有する熱を安定的に外気に放熱させることができる。つまり、冷凍サイクル装置（１０）が停止していても、対象物（８０）を安定的に冷却することができる。
【００１３】
その結果、冷凍サイクル装置（１０）の非効率的なエネルギ消費を招くことなく、効率的に対象物（８０）を冷却することができる。
【００１４】
また、請求項２に記載の発明は、第１熱媒体を流通させて蒸発側対象物（８０）と熱交換させる蒸発側対象物熱交換部（８０ａ）と、冷媒を圧縮して吐出する圧縮機（１１）から吐出された高圧冷媒を凝縮させる凝縮部（１２１ａ）、および高圧冷媒を減圧させる減圧部（１３、１３ａ）にて減圧された低圧冷媒を蒸発させる蒸発部（１４１ａ）を有する冷凍サイクル装置（１０）と、凝縮部と熱的に接続されて第２熱媒体と高圧冷媒とを熱交換させる凝縮側熱交換部（１２１ｂ）と、蒸発側対象物熱交換部から流出した第１熱媒体と外気とを熱交換させる第１熱交換部（４１）と、凝縮側熱交換部から流出した第２熱媒体と外気とを熱交換させる第２熱交換部（５１）と、を備え、
第１熱交換部は、蒸発側対象物熱交換部から流出した第１熱媒体と第２熱交換部にて熱交換する前の外気とを熱交換させ、
第２熱交換部は、凝縮側熱交換部から流出した第２熱媒体と第１熱交換部を通過後の外気の少なくとも一部とを熱交換させる温度調整装置である。
【００１５】
これによれば、蒸発側対象物熱交換部（８０ａ）と第１熱交換部（４１）とを備えているので、蒸発側対象物（８０）の有する熱を、第１熱媒体を介して外気へ放熱させることができる。これにより、蒸発側対象物（８０）を冷却することができる。
【００１６】
また、第１熱交換部（４１）は、蒸発側対象物（８０）から流出した第１熱媒体と第２熱交換部（５１）を通過する前の外気とを熱交換させる。さらに、第２熱交換部（５１）は、凝縮側熱交換部（１２１ｂ）から流出した第２熱媒体と第１熱交換部（４１）を通過後の外気の少なくとも一部とを熱交換させる。
【００１７】
従って、第１熱交換部（４１）では、冷凍サイクル装置（１０）の作動状態の影響を受けることなく、第１熱媒体が蒸発側対象物（８０）から吸熱した熱を安定的に外気に放熱させることができる。つまり、冷凍サイクル装置（１０）が停止していても、蒸発側対象物（８０）を安定的に冷却することができる。
【００１８】
その結果、冷凍サイクル装置（１０）の非効率的なエネルギ消費を招くことなく、効率的に蒸発側対象物（８０）を冷却することができる。
【００１９】
また、請求項１０に記載の発明は、第１熱媒体を流通させて蒸発側対象物（８０）と熱交換させる蒸発側対象物熱交換部（８０ａ）と、第２熱媒体を流通させて外気側対象物（８１）と熱交換させる外気側対象物熱交換部（８１ａ）と、冷媒を圧縮して吐出する圧縮機（１１）から吐出された高圧冷媒を凝縮させる凝縮部（１２１ａ）、および高圧冷媒を減圧させる減圧部（１３）にて減圧された低圧冷媒を蒸発させる蒸発部（１４１ａ）を有する冷凍サイクル装置（１０）と、
凝縮部と熱的に接続されて第１熱媒体を高圧冷媒と熱交換させる凝縮側熱交換部（１２１ｂ）と、蒸発部と熱的に接続されて第１熱媒体を低圧冷媒と熱交換させる蒸発側熱交換部（１４１ｂ）と、第１熱媒体と外気とを熱交換させる第１熱交換部（４１）と、外気側対象物熱交換部から流出した第２熱媒体と外気とを熱交換させる第２熱交換部（５１）と、第１熱媒体を循環させる第１熱媒体回路（４０）の回路構成を切り替える切替部（４４ａ、４５ａ…４５ｅ）と、を備え、
切替部は、蒸発側熱交換部と蒸発側対象物熱交換部との間で第１熱媒体を循環させる回路構成、蒸発側熱交換部と第１熱交換部との間で第１熱媒体を循環させる回路構成、および凝縮側熱交換部と第１熱交換部との間で第１熱媒体を循環させる回路構成を切り替え、
第１熱交換部は、第１熱媒体と第２熱交換部にて熱交換する前の外気とを熱交換させ、
第２熱交換部は、外気側対象物熱交換部から流出した第２熱媒体と第１熱交換部を通過後の外気の少なくとも一部とを熱交換させる温度調整装置である。
【００２０】
これによれば、第２熱交換部（５１）を備えているので、外気側対象物（８１）の有する熱を、第２熱媒体を介して外気へ放熱させることができる。従って、冷凍サイクル装置（１０）が作動していなくても、外気側対象物（８１）を冷却することができる。
【００２１】
これに加えて、切替部（４４ａ、４５ａ…４５ｅ）を備えているので、蒸発側対象物（８０）の有する熱を、第１熱媒体を介して第１熱交換部（４１）にて外気へ放熱することや、冷凍サイクル装置（１０）の作動状態に応じて第１熱交換部（４１）にて外気を冷媒の吸熱源あるいは放熱先として利用することができる。
【００２２】
この際、第１熱交換部（４１）は、第１熱媒体と第２熱交換部（５１）にて熱交換する前の外気とを熱交換させる。従って、第１熱交換部（４１）では、第２熱交換部（５１）における第２熱媒体と外気との熱交換量の影響を受けることなく、蒸発側対象物（８０）の有する熱を安定的に外気へ放熱することや、外気を冷媒の吸熱源あるいは放熱先として安定的に利用することができる。
【００２３】
その結果、冷凍サイクル装置（１０）の非効率的なエネルギ消費を招くことなく、効率的に蒸発側対象物（８０）および外気側対象物（８１）を冷却することができる。
【００２４】
また、請求項１４に記載の発明は、冷媒を圧縮して吐出する圧縮機（１１）から吐出された高圧冷媒を凝縮させる凝縮部（１２１ａ）、高圧冷媒を減圧させる減圧部（１３ａ）にて減圧された低圧冷媒を蒸発させる蒸発部（１４１ａ）、および高圧冷媒を減圧させる流体側減圧部（１３ｂ）にて減圧された低圧冷媒を冷却対象流体と熱交換させて蒸発させる流体側蒸発部（１４）を有する冷凍サイクル装置（１０）と、
蒸発部と熱的に接続されて第１熱媒体と低圧冷媒とを熱交換させる蒸発側熱交換部（１４１ｂ）と、第１熱媒体を流通させて外気側対象物（８１）と熱交換させる外気側対象物熱交換部（８１ａ）と、第１熱媒体と外気とを熱交換させる第１熱交換部（４１）と、
凝縮部と熱的に接続されて第２熱媒体と高圧冷媒とを熱交換させる凝縮側熱交換部（１２１ｂ）と、第２熱媒体と加熱対象流体とを熱交換させる加熱部（５３）と、第２熱媒体と外気とを熱交換させる第２熱交換部（５１）と、
第１熱媒体を循環させる第１熱媒体回路（４０）の回路構成を切り替える第１切替部（４４ｂ、４５ａ…４５ｄ）と、第２熱媒体を循環させる第２熱媒体回路（５０）の回路構成を切り替える第２切替部（５４、５５）と、を備え、
第１熱交換部および第２熱交換部は、一方を通過後の外気が他方へ流入するように配置されており、
流体側蒸発部にて冷却対象流体を冷却する冷却運転モードでは、第１切替部は、第１熱交換部から流出した第１熱媒体を外気側対象物熱交換部へ流入させる回路構成に切り替え、第２切替部は、凝縮側熱交換部から流出した第２熱媒体を第２熱交換部へ流入させる回路構成に切り替え、
加熱部にて加熱対象流体を加熱する加熱運転モードでは、第１切替部は、蒸発側熱交換部から流出した第１熱媒体を第１熱交換部および外気側対象物熱交換部へ流入させる回路構成に切り替え、第２切替部は、凝縮側熱交換部から流出した第２熱媒体を加熱部へ流入させる回路構成に切り替え、
冷却運転モード時に第１熱交換部を流通する第１熱媒体の流れ方向と第２熱交換部を流通する第２熱媒体の流れ方向は、同一となっており、
冷却運転モード時に第１熱交換部を流通する第１熱媒体の流れ方向と加熱運転モード時に第１熱交換部を流通する第１熱媒体の流れ方向は、異なっており、
冷却運転モード時に外気側対象物熱交換部を流通する第１熱媒体の流れ方向と加熱運転モード時に外気側対象物熱交換部を流通する第１熱媒体の流れ方向は、同一となっている温度調整装置である。
【００２５】
これによれば、冷却運転モード時に第１熱交換部（４１）を流通する第１熱媒体の流れ方向と第２熱交換部（５１）を流通する第２熱媒体の流れ方向が同一となっている。つまり、第１熱交換部（４１）を流通する第１熱媒体の流れと第２熱交換部（５１）を流通する第２熱媒体の流れが、いわゆる並行流となる。従って、一方を通過した外気に温度分布が生じても、外気と他方を流通する熱媒体との温度差の拡大を抑制することができる。
【００２６】
その結果、冷却運転モード時には、他方を流通する熱媒体と外気との熱交換効率を向上させて、効率的に対象物である冷却対象流体を冷却することができる。
【００２７】
また、冷却運転モード時に第１熱交換部（４１）を流通する第１熱媒体の流れ方向と加熱運転モード時に第１熱交換部（４１）を流通する第１熱媒体の流れ方向は、異なっている。さらに、冷却運転モード時に外気側対象物熱交換部（８１ａ）を流通する第１熱媒体の流れ方向と加熱運転モード時に外気側対象物熱交換部（８１ａ）を流通する第１熱媒体の流れ方向は、同一となっている
これにより、冷却運転モード時には、第１熱交換部（４１）と外気側対象物熱交換部（８１ａ）とを直列的に接続する回路構成とすることができる。そして、加熱運転モード時には、蒸発側熱交換部（１４１ｂ）から流出した第１熱媒体の流れに対して、第１熱交換部（４１）と外気側対象物熱交換部（８１ａ）とを並列的に接続する回路構成とすることができる。
【００２８】
従って、加熱運転モード時には、第１熱交換部（４１）へ流入させる第１熱媒体の流量と外気側対象物熱交換部（８１ａ）へ流入させる第１熱媒体の流量との流量比を調整することで、外気側対象物熱交換部（８１ａ）にて対象物（８１）から吸熱する吸熱量を調整することができる。
【００２９】
その結果、加熱運転モード時には、第１熱媒体が対象物（８１）から吸熱する吸熱量を適切に調整して、効率的に加熱対象流体を加熱することができる。
【００３０】
また、請求項１７に記載の発明は、冷媒を圧縮して吐出する圧縮機（１１）から吐出された高圧冷媒を凝縮させる凝縮部（１２１ａ）、高圧冷媒を減圧させる減圧部（１３ａ）にて減圧された低圧冷媒を蒸発させる蒸発部（１４１ａ）、および高圧冷媒を減圧させる流体側減圧部（１３ｂ）にて減圧された低圧冷媒を冷却対象流体と熱交換させて蒸発させる流体側蒸発部（１４）を有する冷凍サイクル装置（１０）と、
蒸発部と熱的に接続されて熱媒体と低圧冷媒とを熱交換させる蒸発側熱交換部（１４１ｂ）と、凝縮部と熱的に接続されて熱媒体と高圧冷媒とを熱交換させる凝縮側熱交換部（１２１ｂ）と、熱媒体を流通させて外気側対象物（８１）と熱交換させる外気側対象物熱交換部（８１ａ）と、熱媒体と外気とを熱交換させる室外熱交換部（６１）と、
熱媒体と加熱対象流体とを熱交換させる加熱部（５３）と、熱媒体を循環させる熱媒体回路（６０）の回路構成を切り替える切替部（４４ｂ、４４ｃ、４５ａ…４５ｄ、５４、５５）と、を備え、
流体側蒸発部にて冷却対象流体を冷却する冷却運転モードでは、切替部は、室外熱交換部から流出した熱媒体を凝縮側熱交換部および外気側対象物熱交換部へ流入させる回路構成に切り替え、
加熱部にて加熱対象流体を加熱する加熱運転モードでは、切替部は、蒸発側熱交換部から流出した熱媒体を室外熱交換部および外気側対象物熱交換部へ流入させるとともに、凝縮側熱交換部から流出した熱媒体を加熱部へ流入させる回路構成に切り替え、
冷却運転モード時に室外熱交換部を流通する熱媒体の流れ方向と加熱運転モード時に室外熱交換部を流通する熱媒体の流れ方向は、異なっており、
冷却運転モード時に外気側対象物熱交換部を流通する熱媒体の流れ方向と加熱運転モード時に前記外気側対象物熱交換部を流通する前記熱媒体の流れ方向は、同一となっている温度調整装置である。
【００３１】
これによれば、冷却運転モード時に室外熱交換部（６１）を流通する熱媒体の流れ方向と加熱運転モード時に室外熱交換部（６１）を流通する熱媒体の流れ方向は、異なっている。さらに、冷却運転モード時に外気側対象物熱交換部（８１ａ）を流通する熱媒体の流れ方向と加熱運転モード時に外気側対象物熱交換部（８１ａ）を流通する熱媒体の流れ方向は、同一となっている。
【００３２】
これにより、冷却運転モード時には、室外熱交換部（６１）と外気側対象物熱交換部（８１ａ）とを直列的に接続する回路構成とすることができる。そして、加熱運転モード時には、蒸発側熱交換部（１４１ｂ）から流出した熱媒体の流れに対して、室外熱交換部（６１）と外気側対象物熱交換部（８１ａ）とを並列的に接続する回路構成とすることができる。
【００３３】
従って、加熱運転モード時に、室外熱交換部（６１）へ流入させる熱媒体の流量と外気側対象物熱交換部（８１ａ）へ流入させる熱媒体の流量との流量比を調整することで、外気側対象物熱交換部（８１ａ）にて対象物（８１）から吸熱する吸熱量を調整することができる。
【００３４】
その結果、加熱運転モード時には、熱媒体が対象物（８１）から吸熱する吸熱量を適切調整して、効率的に対象物である加熱対象流体を冷却することができる。
【００３５】
また、請求項２１に記載の発明は、冷媒を圧縮して吐出する圧縮機（１１）から吐出された高圧冷媒を凝縮させる凝縮部（１２１ａ）、高圧冷媒を減圧させる減圧部（１３ａ）にて減圧された低圧冷媒を蒸発させる蒸発部（１４１ａ）、および高圧冷媒を減圧させる流体側減圧部（１３ｂ）にて減圧された低圧冷媒を冷却対象流体と熱交換させて蒸発させる流体側蒸発部（１４）を有する冷凍サイクル装置（１０）と、
蒸発部と熱的に接続されて第１熱媒体と低圧冷媒とを熱交換させる蒸発側熱交換部（１４１ｂ）と、第１熱媒体を流通させて外気側対象物（８１）と熱交換させる外気側対象物熱交換部（８１ａ）と、第１熱媒体と外気とを熱交換させる第１熱交換部（４１）と、
凝縮部と熱的に接続されて第２熱媒体と高圧冷媒とを熱交換させる凝縮側熱交換部（１２１ｂ）と、第２熱媒体と加熱対象流体とを熱交換させる加熱部（５３）と、第２熱媒体と外気とを熱交換させる第２熱交換部（５１）と、
第１熱媒体を循環させる第１熱媒体回路（４０）の回路構成を切り替える第１切替部（４４ｂ、４５ａ…４５ｄ）と、第２熱媒体を循環させる第２熱媒体回路（５０）の回路構成を切り替える第２切替部（５４、５５）と、を備え、
第１熱交換部および第２熱交換部は、一方を通過後の外気が他方へ流入するように配置されており、
流体側蒸発部にて冷却対象流体を冷却する冷却運転モードでは、第１切替部は、第１熱交換部から流出した第１熱媒体を外気側対象物熱交換部へ流入させる回路構成に切り替え、第２切替部は、凝縮側熱交換部から流出した第２熱媒体を第２熱交換部へ流入させる回路構成に切り替え、
加熱部にて加熱対象流体を加熱する加熱運転モードでは、第１切替部は、第１熱交換部から流出した第１熱媒体を蒸発側熱交換部および外気側対象物熱交換部へ流入させる回路構成に切り替え、第２切替部は、凝縮側熱交換部から流出した第２熱媒体を加熱部へ流入させる回路構成に切り替え、
冷却運転モード時に第１熱交換部を流通する第１熱媒体の流れ方向と第２熱交換部を流通する第２熱媒体の流れ方向は、同一となっており、
冷却運転モード時に外気側対象物熱交換部を流通する第１熱媒体の流れ方向と加熱運転モード時に外気側対象物熱交換部を流通する前記第１熱媒体の流れ方向は、同一となっている温度調整装置である。
【００３６】
これによれば、冷却運転モード時に第１熱交換部（４１）を流通する第１熱媒体の流れ方向と第２熱交換部（５１）を流通する第２熱媒体の流れ方向が同一となっている。つまり、第１熱交換部（４１）を流通する第１熱媒体の流れと第２熱交換部（５１）を流通する第２熱媒体の流れが、いわゆる並行流となる。従って、一方を通過した外気に温度分布が生じても、外気と他方を流通する熱媒体との温度差の拡大を抑制することができる。
【００３７】
その結果、冷却運転モード時には、他方を流通する熱媒体と外気との熱交換効率を向上させて、効率的に対象物である冷却対象流体を冷却することができる。
【００３８】
さらに、冷却運転モード時に外気側対象物熱交換部（８１ａ）を流通する第１熱媒体の流れ方向と加熱運転モード時に外気側対象物熱交換部（８１ａ）を流通する第１熱媒体の流れ方向が、同一となっている。従って、冷却運転モードおよび加熱運転モードの双方の運転時に、第１熱交換部（４１）から流出した外気温に近い温度の第１熱媒体を、外気側対象物熱交換部（８１ａ）へ流入させることができる。
【００３９】
その結果、運転モードを切り替えても、冷凍サイクル装置（１０）の作動状態によらず、対象物（８１）の温度を確実に外気温程度に維持することができる。
【００４０】
また、請求項２２に記載の発明は、冷媒を圧縮して吐出する圧縮機（１１）から吐出された高圧冷媒を凝縮させる凝縮部（１２１ａ）、高圧冷媒を減圧させる減圧部（１３ａ）にて減圧された低圧冷媒を蒸発させる蒸発部（１４１ａ）、および高圧冷媒を減圧させる流体側減圧部（１３ｂ）にて減圧された低圧冷媒を冷却対象流体と熱交換させて蒸発させる流体側蒸発部（１４）を有する冷凍サイクル装置（１０）と、
蒸発部と熱的に接続されて熱媒体と低圧冷媒とを熱交換させる蒸発側熱交換部（１４１ｂ）と、凝縮部と熱的に接続されて熱媒体と高圧冷媒とを熱交換させる凝縮側熱交換部（１２１ｂ）と、熱媒体を流通させて外気側対象物（８１）と熱交換させる外気側対象物熱交換部（８１ａ）と、熱媒体と外気とを熱交換させる室外熱交換部（６１）と、
熱媒体と加熱対象流体とを熱交換させる加熱部（５３）と、熱媒体を循環させる熱媒体回路（６０）の回路構成を切り替える切替部（４４ｂ、４５ａ…４５ｄ、５４、５５）と、を備え、
流体側蒸発部にて冷却対象流体を冷却する冷却運転モードでは、切替部は、室外熱交換部から流出した熱媒体を外気側対象物熱交換部および凝縮側熱交換部へ流入させる回路構成に切り替え、
加熱部にて加熱対象流体を加熱する加熱運転モードでは、切替部は、室外熱交換部から流出した熱媒体を外気側対象物熱交換部および蒸発側熱交換部へ流入させるとともに、凝縮側熱交換部から流出した熱媒体を加熱部へ流入させる回路構成に切り替え、
冷却運転モード時に外気側対象物熱交換部を流通する熱媒体の流れ方向と加熱運転モード時に外気側対象物熱交換部を流通する熱媒体の流れ方向は、同一となっている温度調整装置である。
【００４１】
これによれば、冷却運転モード時に外気側対象物熱交換部（８１ａ）を流通する第１熱媒体の流れ方向と加熱運転モード時に外気側対象物熱交換部（８１ａ）を流通する第１熱媒体の流れ方向が、同一となっている。
【００４２】
従って、冷却運転モードおよび加熱運転モードの双方の運転時に、室外熱交換部（６１）から流出した外気温に近い温度の熱媒体を、外気側対象物熱交換部（８１ａ）へ流入させることができる。その結果、運転モードを切り替えても、冷凍サイクル装置（１０）の作動状態によらず、対象物（８１）の温度を確実に外気温程度に維持することができる。
【００４３】
なお、この欄および特許請求の範囲で記載した各手段の括弧内の符号は、後述する実施形態に記載の具体的手段との対応関係を示すものである。
【図面の簡単な説明】
【００４４】
【図１】第１実施形態の温度調整装置の全体構成図である。
【図２】第２実施形態の温度調整装置の全体構成図である。
【図３】第３実施形態の温度調整装置の全体構成図である。
【図４】第４実施形態の温度調整装置の全体構成図である。
【図５】第５実施形態の温度調整装置の全体構成図である。
【図６】第６実施形態の温度調整装置の全体構成図である。
【図７】第７実施形態の温度調整装置の全体構成図である。
【図８】第８実施形態の温度調整装置の全体構成図である。
【図９】第９実施形態の温度調整装置の全体構成図である。
【図１０】第１０実施形態の温度調整装置の全体構成図である。
【図１１】第１１実施形態の温度調整装置の全体構成図である。
【図１２】室内空調ユニットの模式的な構成図である。
【図１３】第１２実施形態の温度調整装置の全体構成図である。
【図１４】第１３実施形態の温度調整装置の全体構成図である。
【図１５】第１４実施形態の温度調整装置の全体構成図である。
【図１６】第１５実施形態の温度調整装置の全体構成図である。
【図１７】第１６実施形態の冷房運転モード時の温度調整装置の全体構成図である。
【図１８】第１６実施形態の暖房運転モード時の温度調整装置の全体構成図である。
【図１９】第１６実施形態の電池機器冷却モード時の温度調整装置の全体構成図である。
【図２０】第１６実施形態の電池優先冷却モード時の温度調整装置の全体構成図である。
【図２１】第１７実施形態の機器単独冷却モード時の温度調整装置の全体構成図である。
【図２２】第１７実施形態の電池単独冷却モード時の温度調整装置の全体構成図である。
【図２３】第１７実施形態の機器単独冷却モード時の車載機器入口側温度の変化を示すグラフである。
【図２４】第１８実施形態の冷房運転モード時の温度調整装置の全体構成図である。
【図２５】第１８実施形態の暖房運転モード時の温度調整装置の全体構成図である。
【図２６】第１８実施形態の電池優先冷却モード時の温度調整装置の全体構成図である。
【図２７】第１９実施形態の暖房運転モード時の温度調整装置の全体構成図である。
【図２８】第１９実施形態の電池冷却切替モード時のチラー入口側温度の変化を示すグラフである。
【図２９】第２０実施形態の暖房運転モード時の温度調整装置の全体構成図である。
【図３０】第２１実施形態の冷房運転モード時の温度調整装置の全体構成図である。
【図３１】第２１実施形態の暖房運転モード時の温度調整装置の全体構成図である。
【図３２】第２２実施形態の冷房運転モード時の温度調整装置の全体構成図である。
【図３３】第２２実施形態の暖房運転モード時の温度調整装置の全体構成図である。
【図３４】他の実施形態の複合型熱交換器の外観斜視図である。
【図３５】図３４のＸＸＸＶ−ＸＸＸＶ断面図である。
【発明を実施するための形態】
【００４５】
以下に、図面を参照しながら本発明を実施するための複数の実施形態を説明する。各実施形態において先行する実施形態で説明した事項に対応する部分には同一の参照符号を付して重複する説明を省略する場合がある。各実施形態において構成の一部のみを説明している場合は、構成の他の部分については先行して説明した他の実施形態を適用することができる。各実施形態で具体的に組合せが可能であることを明示している部分同士の組合せばかりではなく、特に組合せに支障が生じなければ、明示していなくとも実施形態同士を部分的に組み合せることも可能である。
【００４６】
（第１実施形態）
図１を用いて、本発明に係る温度調整装置１の第１実施形態を説明する。本実施形態の温度調整装置１は、走行用の駆動力を電動モータから得る電気自動車に搭載されている。温度調整装置１は、電気自動車において電動モータ等へ電力を供給するバッテリ８０、および空調対象空間である車室内へ送風される送風空気の温度を調整する。
【００４７】
従って、本実施形態のバッテリ８０および送風空気は、温度調整装置１が温度調整を行う対象物である。
【００４８】
バッテリ８０は、複数の電池セルを電気的に直列的あるいは並列的に接続することによって形成された組電池である。電池セルは、充放電可能な二次電池（本実施形態では、リチウムイオン電池）である。バッテリ８０は、複数の電池セルを略直方体形状となるように積層配置して専用ケースに収容したものである。
【００４９】
この種のバッテリは、低温になると化学反応が進行しにくく出力が低下しやすい。バッテリは、作動時（すなわち、充放電時）に発熱する。さらに、バッテリは、高温になると劣化が進行しやすい。このため、バッテリの温度は、バッテリの充放電容量を充分に活用することのできる適切な温度範囲内（本実施形態では、１５℃以上、かつ、５５℃以下）に維持されていることが望ましい。
【００５０】
温度調整装置１は、図１の全体構成図に示すように、冷凍サイクル装置１０、および熱媒体回路４０を備えている。冷凍サイクル装置１０は、圧縮機１１、凝縮器１２、膨張弁１３、室内蒸発器１４を環状に接続した蒸気圧縮式の冷凍サイクルである。
【００５１】
冷凍サイクル装置１０では、冷媒としてＨＦＯ系冷媒（具体的には、Ｒ１２３４ｙｆ）を採用している。冷凍サイクル装置１０は、圧縮機１１から吐出された高圧冷媒の圧力が冷媒の臨界圧力を超えない亜臨界冷凍サイクルを構成している。さらに、冷媒には圧縮機１１を潤滑するための冷凍機油が混入されている。冷凍機油の一部は、冷媒とともにサイクルを循環している。
【００５２】
圧縮機１１は、冷凍サイクル装置１０において、冷媒を吸入し、高圧冷媒となるまで圧縮して吐出するものである。圧縮機１１は、吐出容量が固定された固定容量型の圧縮機構を電動モータにて回転駆動する電動圧縮機である。圧縮機１１は、後述する制御装置７０から出力される制御信号によって、回転数（すなわち、冷媒吐出能力）が制御される。
【００５３】
凝縮器１２は、圧縮機１１から吐出された高圧冷媒と室外送風機１５から送風された外気とを熱交換させて、高圧冷媒を凝縮させる熱交換器である。凝縮器１２のうち高圧冷媒を流通させる冷媒通路１２ａは、圧縮機１１から吐出された高圧冷媒を凝縮させる凝縮部である。室外送風機１５は、制御装置７０から出力される制御電圧によって、回転数（すなわち、送風能力）が制御される電動送風機である。
【００５４】
凝縮器１２は、駆動装置室内の前方側に配置されている。駆動装置室は、走行用の駆動力を出力するための駆動用装置（例えば、電動モータ）の少なくとも一部が配置される空間を形成している。駆動装置室は、車室の前方側に配置されている。駆動装置室には、車両最前部のフロントグリルに形成された通気孔を介して、外気が導入される。
【００５５】
膨張弁１３は、凝縮器１２から流出した高圧冷媒を低圧冷媒となるまで減圧させる減圧部である。本実施形態の冷凍サイクル装置１０では、膨張弁１３として、室内蒸発器１４の出口側冷媒の過熱度が予め定めた基準過熱度に近づくように機械的機構によって絞り開度を変化させる温度式膨張弁を採用している。
【００５６】
室内蒸発器１４は、膨張弁１３にて減圧された低圧冷媒と図示しない室内送風機から車室内へ送風された送風空気とを熱交換させて、低圧冷媒を蒸発させる熱交換器である。室内蒸発器１４のうち低圧冷媒を流通させる冷媒通路１４ａは、低圧冷媒を蒸発させる蒸発部である。室内送風機は、制御装置７０から出力される制御電圧によって、回転数（すなわち、送風能力）が制御される電動送風機である。
【００５７】
熱媒体回路４０は、バッテリ８０の冷却水通路８０ａとラジエータ４１との間で熱媒体を循環させる熱媒体循環回路である。熱媒体としては、エチレングリコール、ジメチルポリシロキサン、あるいはナノ流体等を含む溶液、不凍液等を採用することができる。
【００５８】
熱媒体回路４０には、水ポンプ４２が配置されている。水ポンプ４２は、ラジエータ４１から流出した熱媒体をバッテリ８０の冷却水通路８０ａへ圧送する。水ポンプ４２は、制御装置７０から出力される制御電圧によって、回転数（すなわち、水圧送能力）が制御される電動ポンプである。
【００５９】
バッテリ８０の冷却水通路８０ａは、バッテリ８０の専用ケースに形成されている。冷却水通路８０ａは、熱媒体を流通させてバッテリ８０と熱交換させる蒸発側対象物熱交換部である。より具体的には、冷却水通路８０ａは、バッテリ８０の有する熱（すなわち、バッテリ８０の排熱）を熱媒体に吸熱させる熱交換部である。
【００６０】
冷却水通路８０ａの通路構成は、専用ケースの内部で複数の通路を並列的に接続した通路構成となっている。これにより、冷却水通路８０ａは、バッテリ８０の全域からバッテリ８０の排熱を均等に吸熱できるように形成されている。換言すると、冷却水通路８０ａは、全ての電池セルの有する熱を均等に吸熱して、全ての電池セルを冷却できるように形成されている。
【００６１】
ラジエータ４１は、バッテリ８０の冷却水通路８０ａから流出した熱媒体と室外送風機１５から送風された外気とを熱交換させて、熱媒体の有する熱を外気に放熱させる第１熱交換部である。ラジエータ４１において熱媒体を流通させる熱媒体通路４１ａは、熱媒体を介してバッテリ８０の排熱を外気に放熱させる放熱部である。熱媒体通路４１ａの出口には、水ポンプ４２の吸入口側が接続されている。
【００６２】
ラジエータ４１は、駆動装置内の前方側であって、凝縮器１２よりも外気の流れ方向上流側に配置されている。このため、車両走行時には、ラジエータ４１に走行風を当てることができる。ラジエータ４１と凝縮器１２は、外気の流れ方向から見たときに、熱交換に寄与する熱交換部の面積が略同等に形成されている。ラジエータ４１と凝縮器１２は、外気の流れ方向から見たときに、重合するように近接配置されている。
【００６３】
従って、凝縮器１２は、圧縮機１１から吐出された高圧冷媒とラジエータ４１通過後の外気とを熱交換させる。ラジエータ４１は、バッテリ８０の冷却水通路８０ａから流出した熱媒体と凝縮器１２にて吸熱する前の外気とを熱交換させる。
【００６４】
換言すると、凝縮器１２の冷媒通路１２ａは、高圧冷媒の有する熱を、ラジエータ４１を通過後の外気に放熱させる。ラジエータ４１の熱媒体通路４１ａは、熱媒体が吸熱したバッテリ８０の排熱を、凝縮器１２にて吸熱する前の外気に放熱させる。
【００６５】
制御装置７０は、ＣＰＵ、ＲＯＭおよびＲＡＭ等を含む周知のマイクロコンピュータとその周辺回路から構成されている。そして、そのＲＯＭ内に記憶された空調制御プログラムに基づいて各種演算、処理を行い、その出力側に接続された各種制御対象機器１１、１５、４２等の作動を制御する。
【００６６】
また、制御装置７０の入力側には、制御用のセンサ群が接続されている。制御用のセンサ群には、車室内温度（内気温）Ｔｒを検出する内気温検出部、バッテリ８０の温度であるバッテリ温度ＴＢを検出するバッテリ温度検出部等が含まれる。
【００６７】
さらに、制御装置７０の入力側には、図示しない操作パネルが接続されている。操作パネルには、例えば、車室内温度を設定する温度設定部等が設けられている。制御装置７０には、これらのセンサ群の検出信号および操作パネルの操作信号が入力される。
【００６８】
本実施形態の制御装置７０は、その出力側に接続された各種制御対象機器を制御する制御部が一体的に形成されたものである。つまり、それぞれの制御対象機器の作動を制御する構成（ハードウェアおよびソフトウェア）が、それぞれの制御対象機器の作動を制御する制御部を構成している。例えば、圧縮機１１の作動を制御する構成が圧縮機制御部を構成している。
【００６９】
次に、上記構成の温度調整装置１の作動について説明する。温度調整装置１では、制御装置７０が、バッテリ温度ＴＢが適切な温度範囲内に維持されるように、室外送風機１５、水ポンプ４２等の作動を制御する。また、制御装置７０は、車室内温度Ｔｒが温度設定部によって設定された設定温度に近づくように、圧縮機１１、室外送風機１５、室内送風機等の作動を制御する。
【００７０】
制御装置７０が水ポンプ４２を作動させると、熱媒体回路４０では、水ポンプ４２から圧送された熱媒体が、バッテリ８０の冷却水通路８０ａへ流入する。冷却水通路８０ａへ流入した熱媒体は、冷却水通路８０ａを流通する際にバッテリ８０の排熱を吸熱する。これにより、バッテリ８０が冷却される。
【００７１】
冷却水通路８０ａから流出した熱媒体は、ラジエータ４１の熱媒体通路４１ａへ流入する。熱媒体通路４１ａへ流入した熱媒体は、外気に放熱する。これにより、熱媒体が冷却される。熱媒体通路４１ａから流出した熱媒体は、水ポンプ４２へ吸入されて再び冷却水通路８０ａへ圧送される。
【００７２】
一方、冷凍サイクル装置１０では、圧縮機１１から吐出された高圧冷媒が、凝縮器１２の冷媒通路１２ａへ流入する。冷媒通路１２ａへ流入した冷媒は、ラジエータ４１を通過後の外気に放熱して凝縮する。凝縮器１２にて凝縮した液相の高圧冷媒は、膨張弁１３へ流入して減圧される。この際、膨張弁１３の絞り開度は、室内蒸発器１４の出口側冷媒の過熱度が基準過熱度に近づくように調整される。
【００７３】
膨張弁１３にて減圧された低圧冷媒は、室内蒸発器１４の冷媒通路１４ａへ流入する。室内蒸発器１４の冷媒通路１４ａへ流入した低圧冷媒は、室内送風機から送風された送風空気と熱交換して蒸発する。これにより、送風空気が冷却される。室内蒸発器１４の冷媒通路１４ａから流出した冷媒は、圧縮機１１へ吸入されて再び圧縮される。
【００７４】
以上の如く、本実施形態の温度調整装置１によれば、熱媒体を介してラジエータ４１にてバッテリ８０の排熱を外気に放熱させることができる。これにより、バッテリ８０を冷却して、バッテリ８０の温度上昇を抑制することができる。また、室内蒸発器１４にて送風空気を冷却して、車室内の冷房を行うことができる。
【００７５】
さらに、本実施形態の温度調整装置１では、ラジエータ４１の外気の流れ方向下流側に凝縮器１２が配置されている。つまり、ラジエータ４１の熱媒体通路４１ａは、熱媒体が吸熱したバッテリ８０の排熱を凝縮器１２にて吸熱する前の外気に放熱させている。また、凝縮器１２の冷媒通路１２ａは、高圧冷媒の有する熱を、ラジエータ４１を通過後の外気に放熱させている。
【００７６】
従って、ラジエータ４１では、冷凍サイクル装置１０の作動状態の影響を受けることなく、バッテリ８０の排熱を、熱媒体を介して安定的に外気に放熱させることができる。つまり、冷凍サイクル装置１０が停止していても、バッテリ８０を冷却することができる。その結果、冷凍サイクル装置１０に不必要なエネルギを消費させることなく、効率的にバッテリ８０を冷却することができる。
【００７７】
さらに、冷凍サイクル装置１０を作動させる際には、バッテリ８０の発熱量によらず、成績係数（ＣＯＰ）が極大値に近づくように、圧縮機１１の回転数を調整することができる。つまり、冷凍サイクル装置１０では、凝縮器１２へ流入する外気の温度によらず、ＣＯＰが向上するように、圧縮機１１の回転数を調整することができる。従って、室内蒸発器１４にて効率的に送風空気を冷却することができる。
【００７８】
また、温度調整装置１では、ラジエータ４１および凝縮器１２が、外気の流れ方向から見たときに、互いに重合するように近接配置されている。さらに、共通する室外送風機１５によって、ラジエータ４１および凝縮器１２に向けて外気を送風している。これによれば、ラジエータ４１、凝縮器１２、および室外送風機１５の搭載スペースを縮小させて、搭載自由度を向上させることができる。
【００７９】
なお、本実施形態では、室内蒸発器１４にて冷却された送風空気を車室内へ吹き出す例を説明したが、室内蒸発器１４にて冷却された送風空気をバッテリ８０へ吹き付けるようにしてもよい。これによれば、温度調整装置１を、専らバッテリ８０を冷却するために利用されるバッテリ冷却装置として利用することができる。
【００８０】
この場合は、水ポンプ４２および室外送風機１５を作動させて、バッテリ８０の温度を適切な温度範囲内に維持することができる場合には、冷凍サイクル装置１０を停止させておくことができる。従って、温度調整を行う対象物（本実施形態では、バッテリ８０）を効率的に冷却することができる。
【００８１】
（第２実施形態）
本実施形態では、図２に示すように、第１実施形態に対して、第２熱媒体回路５０を追加した例を説明する。本実施形態の温度調整装置１は、バッテリ８０を冷却するバッテリ冷却装置に適用されている。なお、図２では、図示の明確化のために、制御装置７０、並びに、制御装置７０と各種制御対象機器とを接続する電力線や信号線の図示を省略している。このことは、他の図面においても同様である。
【００８２】
また、本実施形態では、説明の明確化のために、第１実施形態で説明した熱媒体回路４０を第１熱媒体回路４０と記載する。さらに、第１熱媒体回路４０の構成機器については、「第１」等を付して記載する。例えば、第１実施形態で説明した水ポンプ４２については、第１バッテリ側水ポンプ４２と記載する。熱媒体については、第１熱媒体と記載する。ラジエータ４１については、第１ラジエータ４１と記載する。
【００８３】
本実施形態の冷凍サイクル装置１０では、凝縮器１２に代えて水−冷媒熱交換器１２１を採用している。さらに、本実施形態の冷凍サイクル装置１０では、室内蒸発器１４に代えて、チラー１４１を採用している。
【００８４】
水−冷媒熱交換器１２１は、冷媒通路１２１ａおよび熱媒体通路１２１ｂを有している。冷媒通路１２１ａは、圧縮機１１から吐出された高圧冷媒を流通させる通路である。熱媒体通路１２１ｂは、第２熱媒体回路５０を循環する第２熱媒体を流通させる通路である。水−冷媒熱交換器１２１は、冷媒通路１２１ａを流通する高圧冷媒と、熱媒体通路１２１ｂを流通する第２熱媒体とを熱交換させる熱交換器である。
【００８５】
従って、冷凍サイクル装置１０の作動時の冷媒通路１２１ａでは、高圧冷媒が第２熱媒体に放熱して凝縮する。一方、熱媒体通路１２１ｂでは、第２熱媒体が高圧冷媒から吸熱して加熱される。
【００８６】
つまり、冷媒通路１２１ａは、圧縮機１１から吐出された高圧冷媒を凝縮させる凝縮部である。また、熱媒体通路１２１ｂは、凝縮部と熱的に接続されて第２熱媒体と高圧冷媒とを熱交換させて、高圧冷媒の有する熱を第２熱媒体に吸熱させる凝縮側熱交換部である。
【００８７】
第２熱媒体回路５０は、水−冷媒熱交換器１２１の熱媒体通路１２１ｂと第２ラジエータ５１との間で第２熱媒体を循環させる熱媒体循環回路である。第２熱媒体としては、第１熱媒体と同じ熱媒体を採用することができる。
【００８８】
第２熱媒体回路５０には、第２熱交換器側水ポンプ５２が配置されている。第２熱交換器側水ポンプ５２は、第２ラジエータ５１から流出した第２熱媒体を水−冷媒熱交換器１２１の熱媒体通路１２１ｂへ圧送する。第２熱交換器側水ポンプ５２の基本的構成は、第１バッテリ側水ポンプ４２と同様である。
【００８９】
第２ラジエータ５１は、水−冷媒熱交換器１２１の熱媒体通路１２１ｂから流出した第２熱媒体と室外送風機１５から送風された外気とを熱交換させる第２熱交換部である。第２ラジエータ５１の第２熱媒体通路５１ａには、第２熱交換器側水ポンプ５２の吸入口側が接続されている。
【００９０】
第２ラジエータ５１は、第１実施形態で説明した凝縮器１２と同様に、駆動装置内の前方側に配置されている。つまり、第２ラジエータ５１は、第１ラジエータ４１よりも外気の流れ方向下流側に配置されている。
【００９１】
第１ラジエータ４１と第２ラジエータ５１は、外気の流れ方向から見たときに、熱交換に寄与する熱交換部の面積が略同等に形成されている。第１ラジエータ４１と第２ラジエータ５１は、外気の流れ方向から見たときに、重合するように近接配置されている。
【００９２】
従って、第２ラジエータ５１は、水−冷媒熱交換器１２１の熱媒体通路１２１ｂから流出した第２熱媒体と第１ラジエータ４１を通過後の外気とを熱交換させる。第１ラジエータ４１は、バッテリ８０の冷却水通路８０ａから流出した第１熱媒体と第２ラジエータ５１にて第２熱媒体と熱交換する前の外気とを熱交換させる。
【００９３】
換言すると、第１ラジエータ４１の第１熱媒体通路４１ａは、第１熱媒体が吸熱したバッテリ８０の排熱を、第２ラジエータ５１にて吸熱する前の外気に放熱させる。第２ラジエータ５１の第２熱媒体通路５１ａは、第２熱媒体が吸熱した高圧冷媒の有する熱を、第１ラジエータ４１を通過後の外気に放熱させる。
【００９４】
チラー１４１は、冷媒通路１４１ａおよび熱媒体通路１４１ｂを有している。冷媒通路１４１ａは、膨張弁１３にて減圧された低圧冷媒を流通させる通路である。熱媒体通路１４１ｂは、第１熱媒体回路４０を循環する第１熱媒体を流通させる通路である。チラー１４１は、冷媒通路１４１ａを流通する低圧冷媒と、熱媒体通路１４１ｂを流通する第１熱媒体とを熱交換させる熱交換器である。
【００９５】
従って、冷凍サイクル装置１０の作動時の冷媒通路１４１ａでは、低圧冷媒が第１熱媒体から吸熱して蒸発する。一方、熱媒体通路１４１ｂでは、第２熱媒体が低圧冷媒に吸熱されて冷却される。
【００９６】
つまり、冷媒通路１４１ａは、膨張弁１３にて減圧された低圧冷媒を蒸発させる蒸発部である。また、熱媒体通路１４１ｂは、蒸発部と熱的に接続されて第１熱媒体と低圧冷媒とを熱交換させて、第１熱媒体の有する熱を低圧冷媒に吸熱させる蒸発側熱交換部である。
【００９７】
熱媒体通路１４１ｂの出口には、バッテリ８０の冷却水通路８０ａの入口側が接続されている。その他の第１熱媒体回路４０の構成は、第１実施形態と同様である。従って、本実施形態の第１熱媒体回路４０および第２熱媒体回路５０は、第１熱媒体と第２熱媒体とを混合させることのない互いに独立した熱媒体回路を形成している。
【００９８】
また、本実施形態のバッテリ８０は、蒸発側対象物であって、温度調整装置１が温度調整を行う対象物に含まれる。また、冷却水通路８０ａは、蒸発側対象物熱交換部である。
【００９９】
次に、上記構成の本実施形態の温度調整装置１の作動について説明する。本実施形態の温度調整装置１では、制御装置７０が、バッテリ温度ＴＢが適切な温度範囲内に維持されるように、出力側に接続された各制御対象機器の作動を制御する。本実施形態の温度調整装置１では、バッテリ温度ＴＢに応じて、第１電池冷却モードと第２電池冷却モードとを切り替えることができる。
【０１００】
（ａ）第１電池冷却モード
第１電池冷却モードは、バッテリ温度ＴＢが予め定めた第１基準温度ＫＴＢ１以上となった際に実行される。第１基準温度ＫＴＢ１は、バッテリ８０の適切な温度範囲内の上限値以下の値（本実施形態では、３０℃）に設定されている。第１電池冷却モードでは、制御装置７０が、室外送風機１５および第１バッテリ側水ポンプ４２を作動させる。さらに、制御装置７０は、圧縮機１１および第２熱交換器側水ポンプ５２を停止させる。
【０１０１】
従って、第１熱媒体回路４０では、第１バッテリ側水ポンプ４２から圧送された第１熱媒体が、チラー１４１の熱媒体通路１４１ｂへ流入する。第１電池冷却モードでは、圧縮機１１が停止している。従って、第１熱媒体は熱媒体通路１４１ｂで冷却されることなく、バッテリ８０の冷却水通路８０ａへ流入する。
【０１０２】
冷却水通路８０ａへ流入した第１熱媒体は、冷却水通路８０ａを流通する際にバッテリ８０の排熱を吸熱する。これにより、バッテリ８０が冷却される。冷却水通路８０ａから流出した第１熱媒体は、第１ラジエータ４１の第１熱媒体通路４１ａへ流入する。
【０１０３】
第１熱媒体通路４１ａへ流入した第１熱媒体は、外気に放熱する。これにより、第１熱媒体が冷却される。第１熱媒体通路４１ａから流出した第１熱媒体は、第１バッテリ側水ポンプ４２へ吸入されて再び冷却水通路８０ａへ圧送される。
【０１０４】
従って、第１電池冷却モードでは、第１熱媒体を介してバッテリ８０の排熱を第１ラジエータ４１にて外気に放熱させることができる。これにより、バッテリ８０を冷却することができる。
【０１０５】
（ｂ）第２電池冷却モード
第２電池冷却モードは、バッテリ温度ＴＢが第１基準温度ＫＴＢ１よりも上昇して、予め定めた第２基準温度ＫＴＢ２以上となった際に実行される。第２基準温度ＫＴＢ２は、第１基準温度ＫＴＢ１よりも高い値であって、バッテリ８０の適切な温度範囲内の上限値以下の値（本実施形態では、４５℃）に設定されている。
【０１０６】
第２電池冷却モードでは、制御装置７０が、室外送風機１５および第１バッテリ側水ポンプ４２を作動させる。さらに、制御装置７０は、圧縮機１１および第２熱交換器側水ポンプ５２を作動させる。
【０１０７】
従って、第１熱媒体回路４０では、第１電池冷却モードと同様に、第１バッテリ側水ポンプ４２から圧送された第１熱媒体が、チラー１４１の熱媒体通路１４１ｂ→バッテリ８０の冷却水通路８０ａ→第１ラジエータ４１の第１熱媒体通路４１ａ→第１バッテリ側水ポンプ４２の吸入側の順に循環する。
【０１０８】
これにより、第１熱媒体回路４０では、第１熱媒体がバッテリ８０の冷却水通路８０ａを流通する際に吸熱したバッテリ８０の排熱を、第１ラジエータ４１にて外気に放熱させることができる。
【０１０９】
また、第２熱媒体回路５０では、第２熱交換器側水ポンプ５２から圧送された第２熱媒体が、水−冷媒熱交換器１２１の熱媒体通路１２１ｂへ流入する。熱媒体通路１２１ｂへ流入した第２熱媒体は、水−冷媒熱交換器１２１の冷媒通路１２１ａを流通する高圧冷媒から吸熱して加熱される。
【０１１０】
熱媒体通路１２１ｂから流出した第２熱媒体は、第２ラジエータ５１の第２熱媒体通路５１ａへ流入する。第２熱媒体通路５１ａへ流入した第２熱媒体は、第１ラジエータ４１通過後の外気に放熱する。これにより、第２熱媒体が冷却される。第２熱媒体通路５１ａから流出した第２熱媒体は、第２熱交換器側水ポンプ５２へ吸入されて再び熱媒体通路１２１ｂへ圧送される。
【０１１１】
また、冷凍サイクル装置１０では、圧縮機１１から吐出された高圧冷媒が、水−冷媒熱交換器１２１の冷媒通路１２１ａへ流入する。冷媒通路１２１ａへ流入した高圧冷媒は、水−冷媒熱交換器１２１の熱媒体通路１２１ｂを流通する第２熱媒体に放熱して凝縮する。
【０１１２】
水−冷媒熱交換器１２１の冷媒通路１２１ａにて凝縮した冷媒は、膨張弁１３へ流入して減圧される。この際、膨張弁１３の絞り開度は、室内蒸発器１４の出口側冷媒の過熱度が基準過熱度に近づくように調整される。膨張弁１３にて減圧された低圧冷媒は、チラー１４１の冷媒通路１４１ａへ流入する。
【０１１３】
チラー１４１の冷媒通路１４１ａへ流入した低圧冷媒は、熱媒体通路１４１ｂを流通する第１熱媒体から吸熱して蒸発する。これにより、チラー１４１の熱媒体通路１４１ｂを流通する第１熱媒体が冷却される。冷媒通路１４１ａから流出した冷媒は、圧縮機１１へ吸入されて再び圧縮される。
【０１１４】
従って、第２電池冷却モードでは、第１電池冷却モードと同様に、バッテリ８０の温度上昇を抑制することができる。さらに、第２電池冷却モードでは、バッテリ８０の冷却水通路８０ａへ流入する第１熱媒体の温度を第１電池冷却モードよりも低下させることができる。従って、第２電池冷却モードでは、第１電池冷却モードよりも高い冷却能力でバッテリ８０を冷却することができる。
【０１１５】
以上の如く、本実施形態の温度調整装置１によれば、バッテリ８０を冷却して、バッテリ８０の温度上昇を抑制することができる。
【０１１６】
さらに、本実施形態の温度調整装置１では、第１ラジエータ４１の外気の流れ方向下流側に第２ラジエータ５１が配置されている。つまり、第２ラジエータ５１は、水−冷媒熱交換器１２１の熱媒体通路１２１ｂから流出した第２熱媒体と第１ラジエータ４１を通過後の外気と熱交換させる。また、第１ラジエータ４１は、バッテリ８０の冷却水通路８０ａから流出した第１熱媒体と第２ラジエータ５１を通過する前の外気とを熱交換させる。
【０１１７】
従って、第１ラジエータ４１では、冷凍サイクル装置１０の作動状態の影響を受けることなく、バッテリ８０の排熱を、第１熱媒体を介して安定的に外気に放熱させることができる。つまり、第１電池冷却モードのように、冷凍サイクル装置１０が停止していても、バッテリ８０を冷却することができる。その結果、冷凍サイクル装置１０に不必要なエネルギを消費させることなく、効率的にバッテリ８０を冷却することができる。
【０１１８】
また、本実施形態の温度調整装置１では、チラー１４１を備えているので、第２電池冷却モード時に第１熱媒体を冷却して、第１電池冷却モードよりも高い冷却能力でバッテリ８０を冷却することができる。従って、第１電池冷却モード時にバッテリ８０の冷却が不充分となってしまう運転条件時に、第２電池冷却モードへ切り替えることで、バッテリ８０を確実に冷却することができる。
【０１１９】
その結果、本実施形態の温度調整装置１によれば、冷凍サイクル装置１０に不必要なエネルギを消費させることなく、効率的に、かつ、確実にバッテリ８０を冷却することができる。
【０１２０】
また、本実施形態の温度調整装置１では、第１熱媒体回路４０および第２熱媒体回路５０が互いに独立した熱媒体回路を形成している。これによれば、第１熱媒体と第２熱媒体が混ざり合ってしまうことによる第１熱媒体の温度変化がない。従って、冷凍サイクル装置１０にて、第１熱媒体の温度を調整しやすい。その結果、より一層、確実にバッテリ８０の温度を適切な温度範囲内に維持しやすい。
【０１２１】
（第３実施形態）
本実施形態では、図３に示すように、第２実施形態に対して、第１熱媒体回路４０の構成および第２熱媒体回路５０の構成を変更して、加熱部を追加した例を説明する。加熱部は、車室内へ送風される送風空気を加熱する。従って、本実施形態の送風空気は、加熱対象流体である。加熱対象流体は、温度調整装置１が温度調整を行う対象物に含まれる。
【０１２２】
具体的には、本実施形態の第１熱媒体回路４０は、第１バッテリ迂回通路４０１を有している。第１バッテリ迂回通路４０１は、チラー１４１の熱媒体通路１４１ｂから流出した第１熱媒体を、バッテリ８０の冷却水通路８０ａを迂回させて、第１ラジエータ４１の第１熱媒体通路４１ａの入口側へ導く熱媒体通路である。
【０１２３】
さらに、本実施形態の第１熱媒体回路４０は、第１バッテリ側開閉弁４５ａおよび第１迂回通路側開閉弁４５ｂを有している。第１バッテリ側開閉弁４５ａおよび第１迂回通路側開閉弁４５ｂは、第１熱媒体回路４０の回路構成を切り替える切替部である。
【０１２４】
第１バッテリ側開閉弁４５ａは、チラー１４１の熱媒体通路１４１ｂから流出した第１熱媒体を、バッテリ８０の冷却水通路８０ａへ流入させる熱媒体通路を開閉する電磁弁である。第１迂回通路側開閉弁４５ｂは、第１バッテリ迂回通路４０１を開閉する電磁弁である。第１バッテリ側開閉弁４５ａおよび第１迂回通路側開閉弁４５ｂは、制御装置７０から出力される制御電圧によって、その作動が制御される。
【０１２５】
また、本実施形態の第２熱媒体回路５０は、第２ラジエータ迂回通路５０１を有している。第２ラジエータ迂回通路５０１は、水−冷媒熱交換器１２１の熱媒体通路１２１ｂから流出した第２熱媒体を、第２ラジエータ５１を迂回させて第２熱交換器側水ポンプ５２の吸入側へ導く熱媒体通路である。
【０１２６】
さらに、本実施形態の第２熱媒体回路５０は、ヒータコア５３、第２ラジエータ側流量調整弁５４、第２ヒータコア側開閉弁５５を有している。
【０１２７】
ヒータコア５３は、第２ラジエータ迂回通路５０１に配置されている。第２ラジエータ５１とヒータコア５３は、熱媒体通路１２１ｂから流出した第２熱媒体の流れに対して、互いに並列的に接続されている。ヒータコア５３は、熱媒体通路１２１ｂから流出した第２熱媒体と図示しない室内送風機から車室内へ送風された送風空気とを熱交換させて、送風空気を加熱する熱交換器である。
【０１２８】
第２ラジエータ側流量調整弁５４は、水−冷媒熱交換器１２１の熱媒体通路１２１ｂから流出した第２熱媒体を第２ラジエータ５１の第２熱媒体通路５１ａへ導く熱媒体通路に配置されている。第２ラジエータ側流量調整弁５４は、第２ラジエータ５１の第２熱媒体通路５１ａへ流入する第２熱媒体の流量を調整する。
【０１２９】
第２ラジエータ側流量調整弁５４は、電気式の可変絞り機構である。第２ラジエータ側流量調整弁５４は、弁開度を全開にすることで流量調整作用を殆ど発揮することなく単なる熱媒体通路として機能する全開機能、および弁開度を全閉にすることで熱媒体通路を閉塞する全閉機能を有している。第２ラジエータ側流量調整弁５４は、制御装置７０から出力される制御信号によって、その作動が制御される。
【０１３０】
第２ヒータコア側開閉弁５５は、水−冷媒熱交換器１２１の熱媒体通路１２１ｂから流出した第２熱媒体をヒータコア５３へ導く熱媒体通路に配置されている。第２ヒータコア側開閉弁５５は、第２ラジエータ迂回通路５０１を開閉する電磁弁である。第２ヒータコア側開閉弁５５の基本的構成は、第１バッテリ側開閉弁４５ａ等と同様である。その他の温度調整装置１の構成は、第２実施形態と同様である。
【０１３１】
従って、本実施形態の第２熱媒体回路５０では、水−冷媒熱交換器１２１の熱媒体通路１２１ｂにて加熱された第２熱媒体をヒータコア５３へ流入させることによって、ヒータコア５３にて送風空気を加熱することができる。
【０１３２】
つまり、本実施形態の温度調整装置１では、水−冷媒熱交換器１２１およびヒータコア５３を有する第２熱媒体回路５０によって、加熱部が構成されている。より詳細には、第２熱媒体回路５０のうち、水−冷媒熱交換器１２１とヒータコア５３との間で第２熱媒体を循環させる回路によって加熱部が構成されている。
【０１３３】
次に、上記構成の本実施形態の温度調整装置１の作動について説明する。本実施形態の温度調整装置１では、制御装置７０が、バッテリ温度ＴＢが適切な温度範囲内に維持されるように、制御対象機器の作動を制御する。また、制御装置７０は、車室内温度Ｔｒが温度設定部によって設定された設定温度に近づくように、制御対象機器の作動を制御する。
【０１３４】
本実施形態の温度調整装置１では、バッテリ温度ＴＢおよび車室内温度Ｔｒに応じて、運転モードを切り替えることができる。以下に各運転モードについて説明する。
【０１３５】
（ａ）第１電池冷却モード
第１電池冷却モードは、バッテリ温度ＴＢが第１基準温度ＫＴＢ１以上となっており、かつ、車室内温度Ｔｒが設定温度よりも高くなっている際に実行される。バッテリ温度ＴＢが第１基準温度ＫＴＢ１以上となっている際には、バッテリ８０を冷却する必要がある。また、車室内温度Ｔｒが設定温度よりも高くなっている際には、車室内の暖房を行う必要がない。そのため、第１電池冷却モードでは、冷凍サイクル装置１０を作動させる必要はない。
【０１３６】
第１電池冷却モードでは、制御装置７０が、第１バッテリ側開閉弁４５ａを開き、第１迂回通路側開閉弁４５ｂを閉じる。さらに、制御装置７０は、室外送風機１５および第１バッテリ側水ポンプ４２を作動させる。また、制御装置７０は、第２熱交換器側水ポンプ５２および圧縮機１１を停止させる。
【０１３７】
従って、第１熱媒体回路４０では、第２実施形態と同様に、第１熱媒体が循環する。これにより、第１熱媒体回路４０では、第１熱媒体がバッテリ８０の冷却水通路８０ａを流通する際に吸熱したバッテリ８０の排熱を、第１ラジエータ４１にて外気に放熱させることができる。
【０１３８】
また、第２熱媒体回路５０では、第２熱交換器側水ポンプ５２が停止しているので、第２熱媒体が循環することはない。また、冷凍サイクル装置１０では、圧縮機１１が停止しているので、冷媒が循環することはない。
【０１３９】
従って、第１電池冷却モードでは、第２実施形態で説明した第１電池冷却モードと同様に、バッテリ８０を冷却することができる。
【０１４０】
（ｂ）第２電池冷却モード
第２電池冷却モードは、バッテリ温度ＴＢが第２基準温度ＫＴＢ２以上となっており、かつ、車室内温度Ｔｒが設定温度よりも高くなっている際に実行される。バッテリ８０の温度が第２基準温度ＫＴＢ２以上となっている際には、第１熱媒体回路４０にて第１熱媒体を循環させるだけでは、バッテリ８０を充分に冷却できないおそれがある。従って、第２電池冷却モードでは、冷凍サイクル装置１０を作動させる。
【０１４１】
第２電池冷却モードでは、制御装置７０が、第１バッテリ側開閉弁４５ａを開き、第１迂回通路側開閉弁４５ｂを閉じる。さらに、制御装置７０は、室外送風機１５および第１バッテリ側水ポンプ４２を作動させる。また、制御装置７０は、第２ラジエータ側流量調整弁５４を全開とし、第２ヒータコア側開閉弁５５を閉じる。さらに、制御装置７０は、第２熱交換器側水ポンプ５２および圧縮機１１を作動させる。
【０１４２】
従って、第１熱媒体回路４０では、第１電池冷却モードと同様に、第１熱媒体が循環する。これにより、第１熱媒体回路４０では、第１熱媒体がバッテリ８０の冷却水通路８０ａを流通する際に吸熱したバッテリ８０の排熱を、第１ラジエータ４１にて外気に放熱させることができる。
【０１４３】
また、第２熱媒体回路５０では、第２実施形態の第２電池冷却モードと同様に、第２熱交換器側水ポンプ５２から圧送された第２熱媒体が、水−冷媒熱交換器１２１の熱媒体通路１２１ｂ→第２ラジエータ５１の第２熱媒体通路５１ａ→第２熱交換器側水ポンプ５２の吸入側の順に循環する。これにより、第２熱媒体回路５０では、第２熱媒体が水−冷媒熱交換器１２１にて高圧冷媒から吸熱した熱を、第２ラジエータ５１にて外気に放熱させることができる。
【０１４４】
また、冷凍サイクル装置１０では、第２実施形態の第２電池冷却モードと同様に、圧縮機１１から吐出された冷媒が、水−冷媒熱交換器１２１の冷媒通路１２１ａ→膨張弁１３→チラー１４１の冷媒通路１４１ａ→圧縮機１１の吸入側の順に循環する。これにより、冷凍サイクル装置１０では、冷媒がチラー１４１にて第１熱媒体から吸熱した熱を、水−冷媒熱交換器１２１にて第２熱媒体へ放熱させることができる。
【０１４５】
従って、第２電池冷却モードでは、第２実施形態で説明した第２電池冷却モードと同様に、バッテリ８０の冷却水通路８０ａへ流入する第１熱媒体の温度を第１電池冷却モードよりも低下させて、第１電池冷却モードよりも高い冷却能力でバッテリ８０を冷却することができる。
【０１４６】
（ｃ）暖房冷却モード
暖房冷却モードは、バッテリ温度ＴＢが第１基準温度ＫＴＢ１以上となっており、かつ、車室内温度Ｔｒが設定温度よりも低くなっている際に実行される。車室内温度Ｔｒが設定温度よりも低くなっている際には、車室内の暖房を行う必要がある。
【０１４７】
暖房冷却モードでは、制御装置７０が、第１バッテリ側開閉弁４５ａを開き、第１迂回通路側開閉弁４５ｂを閉じる。さらに、制御装置７０は、室外送風機１５および第１バッテリ側水ポンプ４２を作動させる。
【０１４８】
また、制御装置７０は、第２ラジエータ側流量調整弁５４の開度を調整するとともに、第２ヒータコア側開閉弁５５を開く。第２ラジエータ側流量調整弁５４の開度は、車室内温度Ｔｒが設定温度に近づくように調整される。さらに、制御装置７０は、第２熱交換器側水ポンプ５２および圧縮機１１を作動させる。
【０１４９】
従って、第１熱媒体回路４０では、第１電池冷却モードと同様に、第１熱媒体が循環する。これにより、第１熱媒体回路４０では、第１熱媒体がバッテリ８０の冷却水通路８０ａを流通する際に吸熱したバッテリ８０の排熱を、第１ラジエータ４１にて外気に放熱させることができる。
【０１５０】
また、第２熱媒体回路５０では、第２熱交換器側水ポンプ５２から圧送された第２熱媒体が、水−冷媒熱交換器１２１の熱媒体通路１２１ｂにて加熱される。
【０１５１】
熱媒体通路１２１ｂにて加熱された一部の第２熱媒体は、第２ヒータコア側開閉弁５５を介して、ヒータコア５３へ流入する。ヒータコア５３へ流入した第２熱媒体は、室内送風機から送風された送風空気と熱交換して放熱する。これにより、送風空気が加熱される。ヒータコア５３から流出した第２熱媒体は、第２熱媒体通路５１ａから流出した第２熱媒体と合流する。
【０１５２】
熱媒体通路１２１ｂにて加熱された残余の第２熱媒体は、第２ラジエータ側流量調整弁５４を介して、第２ラジエータ５１の第２熱媒体通路５１ａへ流入する。第２熱媒体通路５１ａへ流入した第２熱媒体は、第１ラジエータ４１通過後の外気に放熱する。これにより、第２熱媒体が冷却される。
【０１５３】
この際、第２ラジエータ側流量調整弁５４の開度は、車室内温度Ｔｒを設定温度に近づけるために、第２ラジエータ５１にて第２熱媒体の有する熱が過度に外気へ放熱されないように調整される。第２熱媒体通路５１ａから流出した第２熱媒体は、ヒータコア５３から流出した第２熱媒体と合流して、第２熱交換器側水ポンプ５２へ吸入される。
【０１５４】
また、冷凍サイクル装置１０では、第２電池冷却モードと同様に、冷媒が循環する。これにより、冷凍サイクル装置１０では、冷媒がチラー１４１にて第１熱媒体から吸熱した熱を、水−冷媒熱交換器１２１にて第２熱媒体へ放熱させることができる。
【０１５５】
従って、暖房冷却モードでは、第２電池冷却モードと同様に、高い冷却能力でバッテリ８０を冷却することができる。さらに、ヒータコア５３にて送風空気を加熱して、車室内の暖房を行うことができる。
【０１５６】
（ｄ）暖房運転モード
暖房運転モードは、バッテリ温度ＴＢが第１基準温度ＫＴＢ１より低くなっており、かつ、車室内温度Ｔｒが設定温度よりも低くなっている際に実行される。バッテリ温度ＴＢが第１基準温度ＫＴＢ１より低くなっている際には、バッテリ８０の冷却を行う必要がない。
【０１５７】
暖房運転モードでは、制御装置７０が、第１バッテリ側開閉弁４５ａを閉じ、第１迂回通路側開閉弁４５ｂを開く。さらに、制御装置７０は、室外送風機１５および第１バッテリ側水ポンプ４２を作動させる。
【０１５８】
また、制御装置７０は、第２ラジエータ側流量調整弁５４の開度を調整するとともに、第２ヒータコア側開閉弁５５を開く。第２ラジエータ側流量調整弁５４の開度は、車室内温度Ｔｒが設定温度に近づくように調整される。さらに、制御装置７０は、第２熱交換器側水ポンプ５２および圧縮機１１を作動させる。
【０１５９】
従って、第１熱媒体回路４０では、第１バッテリ側水ポンプ４２から圧送された第１熱媒体が、チラー１４１の熱媒体通路１４１ｂへ流入する。チラー１４１の熱媒体通路１４１ｂへ流入した第１熱媒体は、チラー１４１の冷媒通路１４１ａを流通する低圧冷媒に吸熱されて冷却される。
【０１６０】
熱媒体通路１４１ｂから流出した第１熱媒体は、第１バッテリ迂回通路４０１を介して、第１ラジエータ４１の第１熱媒体通路４１ａへ流入する。従って、暖房運転モードでは、第１熱媒体がバッテリ８０の排熱を吸熱することはない。第１熱媒体通路４１ａへ流入した第１熱媒体は、室外送風機１５から送風された外気と熱交換する。
【０１６１】
暖房運転モードでは、低温の第１熱媒体が第１熱媒体通路４１ａへ流入する。このため、第１ラジエータ４１では、第１熱媒体が外気から吸熱して外気温程度に温度上昇する。第１熱媒体通路４１ａから流出した第１熱媒体は、第１バッテリ側水ポンプ４２へ吸入されて再び熱媒体通路１４１ｂへ圧送される。
【０１６２】
また、第２熱媒体回路５０では、暖房冷却モードと同様に、第２熱交換器側水ポンプ５２から圧送された第２熱媒体が、水−冷媒熱交換器１２１の冷媒通路１２１ａ→第２ヒータコア側開閉弁５５→ヒータコア５３→第２熱交換器側水ポンプ５２の吸入口の順に循環するとともに、水−冷媒熱交換器１２１の冷媒通路１２１ａ→第２ラジエータ側流量調整弁５４→第２ラジエータ５１の第２熱媒体通路５１ａ→第２熱交換器側水ポンプ５２の吸入口の順に循環する。
【０１６３】
これにより、第２熱媒体回路５０では、第２熱媒体が水−冷媒熱交換器１２１にて高圧冷媒から吸熱した熱のうち一部の熱を、ヒータコア５３にて送風空気に放熱させることができる。さらに、残余の熱を、第２ラジエータ５１にて外気に放熱させることができる。
【０１６４】
また、冷凍サイクル装置１０では、第２電池冷却モードと同様に、冷媒が循環する。これにより、冷凍サイクル装置１０では、冷媒がチラー１４１にて第１熱媒体から吸熱した熱を、水−冷媒熱交換器１２１にて第２熱媒体に放熱させることができる。
【０１６５】
従って、暖房運転モードでは、バッテリ８０を冷却することなく、ヒータコア５３にて送風空気を加熱することができる。これにより、車室内の暖房を行うことができる。
【０１６６】
以上の如く、本実施形態の温度調整装置１では、第１電池冷却モードと第２電池冷却モードとを切り替えることができる。従って、第２実施形態と同様に、冷凍サイクル装置１０に不必要なエネルギを消費させることなく、効率的に、かつ、確実にバッテリ８０を冷却して、バッテリ８０の温度上昇を抑制することができる。
【０１６７】
また、本実施形態の温度調整装置１では、加熱部として、水−冷媒熱交換器１２１およびヒータコア５３を有する第２熱媒体回路５０を備えている。さらに、冷凍サイクル装置１０では、チラー１４１にて第１熱媒体から吸熱した熱を、水−冷媒熱交換器１２１にて第２熱媒体に放熱させている。従って、ヒータコア５３では、高圧冷媒を熱源として、第２熱媒体を介して送風空気を加熱することができる。
【０１６８】
さらに、本実施形態の温度調整装置１では、第１ラジエータ４１にて、第１熱媒体と第２ラジエータ５１を通過する前の外気とを熱交換させる。
【０１６９】
これによれば、第１ラジエータ４１の第１熱媒体通路４１ａへ流入する第１熱媒体の温度によらず、第１熱媒体通路４１ａから流出する第１熱媒体の温度を、外気温に近づけることができる。つまり、暖房冷却モードと暖房運転モードとを切り替えても、チラー１４１の熱媒体通路１４１ｂへ流入する第１熱媒体の温度を、外気温に近づけることができる。
【０１７０】
従って、暖房冷却モードと暖房運転モードとを切り替えても、チラー１４１にて冷媒が第１熱媒体から吸熱する吸熱量の変動を抑制することができる。そして、暖房冷却モードと暖房運転モードとを切り替えても、水−冷媒熱交換器１２１にて冷媒が第２熱媒体に放熱する放熱量の変動を抑制することができる。
【０１７１】
その結果、本実施形態の温度調整装置１によれば、暖房冷却モードと暖房運転モードとを切り替えても、安定した暖房性能を発揮することができる。
【０１７２】
（第４実施形態）
本実施形態では、図４に示すように、第２実施形態に対して、第１熱媒体回路４０の構成および第２熱媒体回路５０の構成を変更して、加熱部を追加した例を説明する。
【０１７３】
具体的には、本実施形態の第１熱媒体回路４０では、第１バッテリ側水ポンプ４２の吐出口に、バッテリ８０の冷却水通路８０ａの入口側が接続されている。冷却水通路８０ａの出口には、第１ラジエータ４１の第１熱媒体通路４１ａの入口側およびチラー１４１の熱媒体通路１４１ｂの入口側が接続されている。
【０１７４】
本実施形態の第１バッテリ側開閉弁４５ａは、第１熱媒体通路４１ａから流出した第１熱媒体を、第１バッテリ側水ポンプ４２の吸入口へ導く熱媒体通路を開閉するように配置されている。
【０１７５】
本実施形態の第１バッテリ迂回通路４０１は、バッテリ８０の冷却水通路８０ａから流出した第１熱媒体を、第１熱媒体通路４１ａを迂回させて、チラー１４１の熱媒体通路１４１ｂの入口側へ導くように接続されている。つまり、本実施形態の第１ラジエータ４１とチラー１４１は、冷却水通路８０ａから流出した第１熱媒体の流れに対して、互いに並列的に接続されている。
【０１７６】
熱媒体通路１４１ｂの出口は、第１バッテリ側水ポンプ４２の吸入口側に接続されている。第１迂回通路側開閉弁４５ｂは、熱媒体通路１４１ｂから流出した第１熱媒体を、第１バッテリ側水ポンプ４２の吸入口へ流入させる熱媒体通路を開閉するように配置されている。その他の構成は、第３実施形態と同様である。従って、本実施形態の加熱部は、第３実施形態と同様に、第２熱媒体回路５０によって構成されている。
【０１７７】
次に、上記構成の本実施形態の温度調整装置１の作動について説明する。本実施形態の温度調整装置１では、バッテリ温度ＴＢおよび車室内温度Ｔｒに応じて、３つの運転モードを切り替えることができる。以下に各運転モードについて説明する。
【０１７８】
（ａ）第１電池冷却モード
第１電池冷却モードは、バッテリ温度ＴＢが第１基準温度ＫＴＢ１以上となっており、かつ、車室内温度Ｔｒが設定温度よりも高くなっている際に実行される。
【０１７９】
第１電池冷却モードでは、制御装置７０が、第１バッテリ側開閉弁４５ａを開き、第１迂回通路側開閉弁４５ｂを閉じる。さらに、制御装置７０は、室外送風機１５および第１バッテリ側水ポンプ４２を作動させる。また、制御装置７０は、第２熱交換器側水ポンプ５２および圧縮機１１を停止させる。
【０１８０】
従って、第１熱媒体回路４０では、第１バッテリ側水ポンプ４２から吐出された第１熱媒体が、バッテリ８０の冷却水通路８０ａへ流入する。冷却水通路８０ａへ流入した第１熱媒体は、冷却水通路８０ａを流通する際にバッテリ８０の排熱を吸熱して加熱される。これにより、バッテリ８０が冷却される。
【０１８１】
冷却水通路８０ａから流出した第１熱媒体は、第１ラジエータ４１の第１熱媒体通路４１ａへ流入する。第１熱媒体通路４１ａへ流入した第１熱媒体は、外気に放熱する。これにより、第１熱媒体が冷却される。第１熱媒体通路４１ａから流出した第１熱媒体は、第１バッテリ側水ポンプ４２へ吸入されて再び冷却水通路８０ａへ圧送される。
【０１８２】
また、第２熱媒体回路５０では、第２熱交換器側水ポンプ５２が停止しているので、第２熱媒体は循環が循環することはない。また、冷凍サイクル装置１０では、圧縮機１１が停止しているので、冷媒が循環することはない。
【０１８３】
従って、第１電池冷却モードでは、第２実施形態で説明した第１電池冷却モードと同様に、バッテリ８０の温度上昇を抑制することができる。
【０１８４】
（ｂ）第２電池冷却モード
第２電池冷却モードは、バッテリ温度ＴＢが第２基準温度ＫＴＢ２以上となっており、かつ、車室内温度Ｔｒが設定温度よりも高くなっている際に実行される。
【０１８５】
第２電池冷却モードでは、制御装置７０が、第１バッテリ側開閉弁４５ａを開き、第１迂回通路側開閉弁４５ｂを開く。さらに、制御装置７０は、室外送風機１５および第１バッテリ側水ポンプ４２を作動させる。また、制御装置７０は、第２ラジエータ側流量調整弁５４を全開とし、第２ヒータコア側開閉弁５５を閉じる。さらに、制御装置７０は、第２熱交換器側水ポンプ５２および圧縮機１１を作動させる。
【０１８６】
従って、第１熱媒体回路４０では、第１バッテリ側水ポンプ４２から圧送された第１熱媒体が、バッテリ８０の冷却水通路８０ａへ流入する。冷却水通路８０ａへ流入した第１熱媒体は、バッテリ８０の排熱を吸熱して加熱される。これにより、バッテリ８０が冷却される。
【０１８７】
冷却水通路８０ａにて加熱された一部の第１熱媒体は、第１ラジエータ４１の第１熱媒体通路４１ａへ流入する。第１熱媒体通路４１ａへ流入した一部の第１熱媒体は、第１ラジエータ４１通過後の外気に放熱する。これにより、第１熱媒体が冷却される。第１熱媒体通路４１ａから流出した第１熱媒体は、チラー１４１の熱媒体通路１４１ｂから流出した第１熱媒体と合流する。
【０１８８】
冷却水通路８０ａにて加熱された残余の第１熱媒体は、チラー１４１の熱媒体通路１４１ｂへ流入する。チラー１４１の熱媒体通路１４１ｂへ流入した第１熱媒体は、チラー１４１の冷媒通路１４１ａを流通する低圧冷媒に吸熱されて冷却される。これにより、第１熱媒体の温度が外気温よりも低下する。
【０１８９】
熱媒体通路１４１ｂから流出した第１熱媒体は、第１熱媒体通路４１ａから流出した第１熱媒体と合流して、第１バッテリ側水ポンプ４２に吸入される。このため、第２電池冷却モードでは、第１バッテリ側水ポンプ４２から吐出されてバッテリ８０の冷却水通路８０ａへ流入する第１熱媒体の温度が、第１電池冷却モードよりも低下する。
【０１９０】
また、第２熱媒体回路５０では、第３実施形態の第２電池冷却モードと同様に、第２熱媒体が循環する。これにより、第２熱媒体回路５０では、第２熱媒体が水−冷媒熱交換器１２１にて高圧冷媒から吸熱した熱を、第２ラジエータ５１にて外気に放熱させることができる。
【０１９１】
また、冷凍サイクル装置１０では、第３実施形態の第２電池冷却モードと同様に、冷媒が循環する。これにより、冷凍サイクル装置１０では、冷媒がチラー１４１にて第１熱媒体から吸熱した熱を、水−冷媒熱交換器１２１にて第２熱媒体へ放熱させることができる。
【０１９２】
従って、第２電池冷却モードでは、バッテリ８０の冷却水通路８０ａへ流入する第１熱媒体の温度を第１電池冷却モードよりも低下させて、第１電池冷却モードよりも高い冷却能力でバッテリ８０を冷却することができる。
【０１９３】
（ｃ）暖房冷却モード
暖房冷却モードは、バッテリ温度ＴＢが第１基準温度ＫＴＢ１以上となっており、かつ、車室内温度Ｔｒが設定温度よりも低くなっている際に実行される。
【０１９４】
暖房冷却モードでは、制御装置７０が、第１バッテリ側開閉弁４５ａを開き、第１迂回通路側開閉弁４５ｂを開く。さらに、制御装置７０は、室外送風機１５および第１バッテリ側水ポンプ４２を作動させる。
【０１９５】
また、制御装置７０は、第２ラジエータ側流量調整弁５４の開度を調整するとともに、第２ヒータコア側開閉弁５５を開く。第２ラジエータ側流量調整弁５４の開度は、車室内温度Ｔｒが設定温度に近づくように調整される。さらに、制御装置７０は、第２熱交換器側水ポンプ５２および圧縮機１１を作動させる。
【０１９６】
従って、第１熱媒体回路４０では、第２電池冷却モードと同様に、第１バッテリ側水ポンプ４２から圧送された第１熱媒体が、バッテリ８０の冷却水通路８０ａ→第１ラジエータ４１の第１熱媒体通路４１ａ→第１バッテリ側開閉弁４５ａ→第１バッテリ側水ポンプ４２の吸入口の順に循環するとともに、チラー１４１の熱媒体通路１４１ｂ→第１迂回通路側開閉弁４５ｂ→第１バッテリ側水ポンプ４２の吸入口の順に循環する。
【０１９７】
これにより、第１熱媒体回路４０では、第１熱媒体がバッテリ８０から吸熱した熱のうち一部の熱を、第１ラジエータ４１にて外気に放熱させることができる。さらに、残余の熱を、チラー１４１にて低圧冷媒に吸熱させることができる。
【０１９８】
また、第２熱媒体回路５０では、第２実施形態の暖房冷却モードと同様に、第２熱媒体が循環する。これにより、第２熱媒体回路５０では、第２熱媒体が水−冷媒熱交換器１２１にて高圧冷媒から吸熱した熱のうち一部の熱を、ヒータコア５３にて送風空気に放熱させることができる。さらに、残余の熱を、第２ラジエータ５１にて外気に放熱させることができる。
【０１９９】
また、冷凍サイクル装置１０では、第２電池冷却モードと同様に、冷媒が循環する。これにより、冷凍サイクル装置１０では、冷媒がチラー１４１にて第１熱媒体から吸熱した熱を、水−冷媒熱交換器１２１にて第２熱媒体に放熱させることができる。
【０２００】
従って、暖房冷却モードでは、第２電池冷却モードと同様に、高い冷却能力でバッテリ８０を冷却することができる。また、ヒータコア５３にて送風空気を加熱して、車室内の暖房を行うことができる。
【０２０１】
以上の如く、本実施形態の温度調整装置１では、第１電池冷却モードと第２電池冷却モードとを切り替えることができる。従って、第２実施形態と同様に、冷凍サイクル装置１０に不必要なエネルギを消費させることなく、効率的に、かつ、確実にバッテリ８０を冷却して、バッテリ８０の温度上昇を抑制することができる。
【０２０２】
また、本実施形態の温度調整装置１では、加熱部として、水−冷媒熱交換器１２１およびヒータコア５３を有する第２熱媒体回路５０を備えている。従って、第３実施形態と同様に、送風空気を加熱して車室内の暖房を行うことができる。
【０２０３】
（第５実施形態）
本実施形態では、図５に示すように、第１実施形態に対して、冷凍サイクル装置１０の構成を変更して、加熱部を追加した例を説明する。具体的には、本実施形態の冷凍サイクル装置１０は、室内凝縮器１２２、冷凍サイクル装置用の迂回通路１０１、開閉弁１６、および第２実施形態と同様のチラー１４１を有している。
【０２０４】
室内凝縮器１２２は、圧縮機１１から吐出された高圧冷媒と図示しない室内送風機から車室内へ送風された送風空気とを熱交換させて、送風空気を加熱する加熱用の熱交換器である。換言すると、室内凝縮器１２２は、高圧冷媒を熱源として送風空気を加熱する加熱部である。室内凝縮器１２２の冷媒出口には、凝縮器１２の冷媒通路１２ａの入口側が接続されている。
【０２０５】
迂回通路１０１は、圧縮機１１から吐出された高圧冷媒を、室内凝縮器１２２を迂回させて凝縮器１２の冷媒通路１２ａの入口側へ導く冷媒通路である。開閉弁１６は、迂回通路１０１を開閉する開閉弁である。開閉弁１６の基本的構成は、第３実施形態で説明した第２熱媒体回路５０の第２ヒータコア側開閉弁５５等と同様である。
【０２０６】
ここで、冷媒が迂回通路１０１を通過する際に生じる圧力損失は、冷媒が室内凝縮器１２２の冷媒通路を通過する際に生じる圧力損失に対して極めて小さい。従って、開閉弁１６が開いている場合には、圧縮機１１から吐出された殆ど全ての高圧冷媒が、迂回通路１０１を介して凝縮器１２へ流入する。また、開閉弁１６が閉じている場合には、圧縮機１１から吐出された全ての高圧冷媒が、室内凝縮器１２２の冷媒通路へ流入する。
【０２０７】
また、本実施形態の第１熱媒体回路４０は、第３実施形態と同様の第１バッテリ迂回通路４０１、第１バッテリ側開閉弁４５ａ、第１迂回通路側開閉弁４５ｂを有している。
【０２０８】
本実施形態の第１バッテリ側開閉弁４５ａは、チラー１４１の熱媒体通路１４１ｂから流出した冷媒の流れを分岐する分岐部からバッテリ８０の冷却水通路８０ａの入口へ至る熱媒体通路に配置されている。もちろん、第３実施形態と同様に、第１バッテリ側開閉弁４５ａは、バッテリ８０の冷却水通路８０ａの出口から合流部へ至る熱媒体通路に配置されていてもよい。
【０２０９】
合流部は、バッテリ８０の冷却水通路８０ａから流出した冷媒の流れと第１バッテリ迂回通路４０１を流通した冷媒の流れとを合流させる部位である。その他の温度調整装置１の構成は、第１実施形態と同様である。
【０２１０】
次に、上記構成の本実施形態の温度調整装置１の作動について説明する。本実施形態の温度調整装置１では、制御装置７０が、バッテリ温度ＴＢが適切な温度範囲内に維持されるように、制御対象機器の作動を制御する。また、制御装置７０は、車室内温度Ｔｒが温度設定部によって設定された設定温度に近づくように、制御対象機器の作動を制御する。
【０２１１】
（ａ）第１電池冷却モード
第１電池冷却モードは、バッテリ温度ＴＢが第１基準温度ＫＴＢ１以上となっており、かつ、車室内温度Ｔｒが設定温度よりも高くなっている際に実行される。
【０２１２】
第１電池冷却モードでは、制御装置７０が、第１バッテリ側開閉弁４５ａを開き、第１迂回通路側開閉弁４５ｂを閉じる。さらに、制御装置７０は、室外送風機１５および第１バッテリ側水ポンプ４２を作動させる。また、制御装置７０は、開閉弁１６を開き、圧縮機１１を停止させる。
【０２１３】
従って、第１熱媒体回路４０では、第２実施形態と同様に、第１熱媒体が循環する。これにより、第１熱媒体回路４０では、第１熱媒体がバッテリ８０の冷却水通路８０ａを流通する際に吸熱したバッテリ８０の排熱を、第１ラジエータ４１にて外気に放熱させることができる。また、冷凍サイクル装置１０では、圧縮機１１が停止しているので、冷媒が循環することはない。
【０２１４】
従って、第１電池冷却モードでは、第２実施形態で説明した第１電池冷却モードと同様に、バッテリ８０の温度上昇を抑制することができる。
【０２１５】
（ｂ）第２電池冷却モード
第２電池冷却モードは、バッテリ温度ＴＢが第２基準温度ＫＴＢ２以上となっており、かつ、車室内温度Ｔｒが設定温度よりも高くなっている際に実行される。
【０２１６】
第２電池冷却モードでは、制御装置７０が、第１バッテリ側開閉弁４５ａを開き、第１迂回通路側開閉弁４５ｂを閉じる。さらに、制御装置７０は、室外送風機１５および第１バッテリ側水ポンプ４２を作動させる。また、制御装置７０は、開閉弁１６を開き、圧縮機１１を作動させる。
【０２１７】
従って、第１熱媒体回路４０では、第１電池冷却モードと同様に、第１熱媒体が循環する。これにより、第１熱媒体回路４０では、第１熱媒体がバッテリ８０の冷却水通路８０ａを流通する際に吸熱したバッテリ８０の排熱を、第１ラジエータ４１にて外気に放熱させることができる。
【０２１８】
また、冷凍サイクル装置１０では、圧縮機１１から吐出された高圧冷媒が、開閉弁１６を介して凝縮器１２の冷媒通路１２ａへ流入する。冷媒通路１２ａへ流入した冷媒は、ラジエータ４１を通過後の外気に放熱して凝縮する。凝縮器１２にて凝縮した液相の高圧冷媒は、膨張弁１３へ流入して減圧される。この際、膨張弁１３の絞り開度は、室内蒸発器１４の出口側冷媒の過熱度が基準過熱度に近づくように調整される。
【０２１９】
膨張弁１３にて減圧された低圧冷媒は、チラー１４１の冷媒通路１４１ａへ流入する。チラー１４１の冷媒通路１４１ａへ流入した低圧冷媒は、チラー１４１の熱媒体通路１４１ｂを流通する第１熱媒体から吸熱して蒸発する。これにより、第１熱媒体が冷却される。チラー１４１の冷媒通路１４１ａから流出した冷媒は、圧縮機１１へ吸入されて再び圧縮される。
【０２２０】
従って、第２電池冷却モードでは、第２実施形態で説明した第２電池冷却モードと同様に、第１電池冷却モードよりも高い冷却能力でバッテリ８０を冷却することができる。
【０２２１】
（ｃ）暖房冷却モード
暖房冷却モードは、バッテリ温度ＴＢが第１基準温度ＫＴＢ１以上となっており、かつ、車室内温度Ｔｒが設定温度よりも低くなっている際に実行される。
【０２２２】
暖房冷却モードでは、制御装置７０が、第１バッテリ側開閉弁４５ａを開き、第１迂回通路側開閉弁４５ｂを閉じる。さらに、制御装置７０は、室外送風機１５および第１バッテリ側水ポンプ４２を作動させる。また、制御装置７０は、開閉弁１６を閉じ、圧縮機１１を作動させる。
【０２２３】
従って、第１熱媒体回路４０では、第１電池冷却モードと同様に、第１熱媒体が循環する。これにより、第１熱媒体回路４０では、第１熱媒体がバッテリ８０の冷却水通路８０ａを流通する際に吸熱したバッテリ８０の排熱を、第１ラジエータ４１にて外気に放熱させることができる。
【０２２４】
また、冷凍サイクル装置１０では、開閉弁１６が閉じているので、圧縮機１１から吐出された高圧冷媒が、室内凝縮器１２２へ流入する。室内凝縮器１２２へ流入した高圧冷媒は、室内送風機から送風された送風空気と熱交換して放熱する。これにより、送風空気が加熱される。室内凝縮器１２２から流出した高圧冷媒は、凝縮器１２の冷媒通路１２ａへ流入する。以降の冷凍サイクル装置１０の作動は、第２電池冷却モードと同様である。
【０２２５】
従って、暖房冷却モードでは、第２電池冷却モードと同様に、高い冷却能力でバッテリ８０を冷却することができる。また、室内凝縮器１２２にて送風空気を加熱して、車室内の暖房を行うことができる。
【０２２６】
（ｄ）暖房運転モード
暖房運転モードは、バッテリ温度ＴＢが第１基準温度ＫＴＢ１より低くなっており、かつ、車室内温度Ｔｒが設定温度よりも低くなっている際に実行される。
【０２２７】
暖房運転モードでは、制御装置７０が、第１バッテリ側開閉弁４５ａを閉じ、第１迂回通路側開閉弁４５ｂを開く。さらに、制御装置７０は、室外送風機１５および第１バッテリ側水ポンプ４２を作動させる。また、制御装置７０は、開閉弁１６を閉じ、圧縮機１１を作動させる。
【０２２８】
従って、第１熱媒体回路４０では、第３実施形態の暖房運転モードと同様に、第１バッテリ側水ポンプ４２から圧送された第１熱媒体が、チラー１４１の熱媒体通路１４１ｂ→第１バッテリ迂回通路４０１→第１ラジエータ４１の第１熱媒体通路４１ａ→第１バッテリ側水ポンプ４２の吸入口の順に循環する。これにより、第１熱媒体回路４０では、第１熱媒体が第１ラジエータ４１にて外気から吸熱した熱を、チラー１４１にて低圧冷媒に放熱させることができる。
【０２２９】
また、冷凍サイクル装置１０では、暖房冷却モードと同様に、圧縮機１１から吐出された高圧冷媒が、室内凝縮器１２２→凝縮器１２の冷媒通路１２ａ→膨張弁１３→チラー１４１の冷媒通路１４１ａ→圧縮機１１の吸入口の順に循環する。これにより、冷凍サイクル装置１０では、冷媒がチラー１４１にて第１熱媒体から吸熱した熱を、室内凝縮器１２２にて送風空気に放熱させることができる。
【０２３０】
従って、暖房運転モードでは、バッテリ８０を冷却することなく、室内凝縮器１２２にて送風空気を加熱することができる。これにより、車室内の暖房を行うことができる。
【０２３１】
以上の如く、本実施形態の温度調整装置１では、第１電池冷却モードと第２電池冷却モードとを切り替えることができる。従って、第２実施形態と同様に、冷凍サイクル装置１０に不必要なエネルギを消費させることなく、効率的に、かつ、確実にバッテリ８０を冷却して、バッテリ８０の温度上昇を抑制することができる。
【０２３２】
また、本実施形態の温度調整装置１では、加熱部として、室内凝縮器１２２を備えている。さらに、冷凍サイクル装置１０では、チラー１４１にて第１熱媒体から吸熱して蒸発した低圧冷媒を圧縮機１１にて高圧冷媒となるまで圧縮して吐出している。
【０２３３】
従って、本実施形態の加熱部では、圧縮機１１から吐出された高圧冷媒を熱源として、室内凝縮器１２２にて、直接的に送風空気を加熱して車室内の暖房を行うことができる。
【０２３４】
また、本実施形態の温度調整装置１では、第１ラジエータ４１にて、第１熱媒体と第２ラジエータ５１を通過する前の外気とを熱交換させる。
【０２３５】
これによれば、第１ラジエータ４１の第１熱媒体通路４１ａへ流入する第１熱媒体の温度によらず、第１熱媒体通路４１ａから流出する第１熱媒体の温度を、外気温に近づけることができる。つまり、暖房冷却モードと暖房運転モードとを切り替えても、チラー１４１の熱媒体通路１４１ｂへ流入する第１熱媒体の温度を、外気温に近づけることができる。
【０２３６】
従って、暖房冷却モードと暖房運転モードとを切り替えても、チラー１４１にて冷媒が第１熱媒体から吸熱する吸熱量の変動を抑制することができる。すなわち、暖房冷却モードと暖房運転モードとを切り替えても、室内凝縮器１２２にて冷媒が送風空気に放熱する放熱量の変動を抑制することができる。
【０２３７】
その結果、本実施形態の温度調整装置１によれば、暖房冷却モードと暖房運転モードとを切り替えても、安定した暖房性能を発揮することができる。
【０２３８】
（第６実施形態）
本実施形態では、図６に示すように、第２実施形態に対して、第１熱媒体回路４０の構成および第２熱媒体回路５０の構成を変更して、加熱部を追加した例を説明する。
【０２３９】
具体的には、本実施形態の第１熱媒体回路４０では、第１バッテリ側水ポンプ４２の吐出口に、第１ラジエータ４１の第１熱媒体通路４１ａの入口側が接続されている。第１熱媒体通路４１ａの出口には、バッテリ８０の冷却水通路８０ａの入口側が接続されている。さらに、冷却水通路８０ａの出口には、第１バッテリ側水ポンプ４２の吸入口側に接続されている。
【０２４０】
つまり、本実施形態の第１熱媒体回路４０には、チラー１４１の熱媒体通路１４１ｂが接続されていない。このため、第１熱媒体がチラー１４１の熱媒体通路１４１ｂを流通することはない。
【０２４１】
また、本実施形態の第２熱媒体回路５０は、第３実施形態で説明した第２熱媒体回路５０に対して、第２ヒータコア迂回通路５０２を有している。さらに、本実施形態の第２熱媒体回路５０は、第２チラー側水ポンプ５２ａおよび第２チラー側開閉弁５５ａを有している。
【０２４２】
第２ヒータコア迂回通路５０２は、第２ラジエータ５１の第２熱媒体通路５１ａから流出した第２熱媒体を、ヒータコア５３を迂回させて第２ラジエータ５１の第２熱媒体通路５１ａの入口側へ導く熱媒体通路である。第２ヒータコア迂回通路５０２には、チラー１４１の熱媒体通路１４１ｂが接続されている。
【０２４３】
第２チラー側水ポンプ５２ａは、チラー１４１の熱媒体通路１４１ｂから流出した第２熱媒体を第２ラジエータ５１の第２熱媒体通路５１ａの入口側へ圧送する。第２チラー側水ポンプ５２ａの基本的構成は、第２熱交換器側水ポンプ５２と同様である。
【０２４４】
第２チラー側開閉弁５５ａは、チラー１４１の熱媒体通路１４１ｂから流出した第２熱媒体を第２ラジエータ５１へ導く熱媒体通路に配置されている。第２チラー側開閉弁５５ａの基本的構成は、第２ヒータコア側開閉弁５５と同様である。その他の構成は、第２実施形態と同様である。
【０２４５】
次に、上記構成の本実施形態の温度調整装置１の作動について説明する。本実施形態では、バッテリ温度ＴＢが適切な温度範囲内に維持されるように、制御装置７０が、第１実施形態と同様に、室外送風機１５、第１バッテリ側水ポンプ４２の作動を制御する。
【０２４６】
また、車室内温度Ｔｒが温度設定部によって設定された設定温度に近づくように、制御装置７０が、第３実施形態の暖房冷却モード等と同様に、第２ラジエータ側流量調整弁５４の開度を調整する。さらに、第２ヒータコア側開閉弁５５および第２チラー側開閉弁５５ａを開く。また、制御装置７０は、第２熱交換器側水ポンプ５２および圧縮機１１を作動させる。
【０２４７】
従って、第１熱媒体回路４０では、第１バッテリ側水ポンプ４２から圧送された熱媒体が第１ラジエータ４１の第１熱媒体通路４１ａへ流入する。第１ラジエータ４１の第１熱媒体通路４１ａへ流入した第１熱媒体は、室外送風機１５から送風された外気と熱交換する。これにより、第１熱媒体の温度が外気温に近づく。
【０２４８】
第１熱媒体通路４１ａから流出した第１熱媒体は、バッテリ８０の冷却水通路８０ａへ流入する。冷却水通路８０ａへ流入した熱媒体は、冷却水通路８０ａを流通する際にバッテリ８０の排熱を吸熱する。これにより、バッテリ８０が冷却される。冷却水通路８０ａから流出した熱媒体は、第１バッテリ側水ポンプ４２に吸入されて再び第１熱媒体通路４１ａへ圧送される。
【０２４９】
また、第２熱媒体回路５０では、第２実施形態の暖房冷却モードと同様に、第２熱媒体が循環する。さらに、本実施形態の第２熱媒体回路５０では、第２チラー側水ポンプ５２ａから圧送された第２熱媒体が、第２チラー側開閉弁５５ａを介して、第２ヒータコア迂回通路５０２から流出する。第２ヒータコア迂回通路５０２から流出した第２熱媒体は、第２ラジエータ側流量調整弁５４から流出した第２熱媒体と合流して、第２ラジエータ５１の第２熱媒体通路５１ａへ流入する。
【０２５０】
第２熱媒体通路５１ａへ流入した第２熱媒体は、第１ラジエータ４１通過後の外気と熱交換して、外気の有する熱を吸熱する。第２熱媒体通路５１ａから流出した第２熱媒体のうち一部の第２熱媒体は、第２ヒータコア迂回通路５０２へ流入して、チラー１４１の熱媒体通路１４１ｂへ導かれる。熱媒体通路１４１ｂへ流入した第２熱媒体は、チラー１４１の冷媒通路１４１ａを流通する低圧冷媒と熱交換して冷却される。
【０２５１】
これにより、本実施形態の第２熱媒体回路５０では、第２熱媒体が水−冷媒熱交換器１２１にて高圧冷媒から吸熱した熱のうち一部の熱を、ヒータコア５３にて送風空気に放熱させることができる。
【０２５２】
また、冷凍サイクル装置では、第２実施形態の第２電池冷却モードと同様に、冷媒が循環する。これにより、冷凍サイクル装置１０では、冷媒がチラー１４１にて第２熱媒体から吸熱した熱を、水−冷媒熱交換器１２１にて第２熱媒体へ放熱させることができる。
【０２５３】
以上の如く、本実施形態の温度調整装置１では、第１実施形態と同様に、冷凍サイクル装置１０の作動状態の影響を受けることなく、バッテリ８０を冷却することができる。従って、冷凍サイクル装置１０に不必要なエネルギを消費させることなく、効率的にバッテリ８０を冷却することができる。
【０２５４】
また、本実施形態の温度調整装置１では、加熱部として、水−冷媒熱交換器１２１およびヒータコア５３を有する第２熱媒体回路５０を備えている。さらに、冷凍サイクル装置１０では、チラー１４１にて第２熱媒体から吸熱した熱を、水−冷媒熱交換器１２１にて第２熱媒体に放熱させている。従って、ヒータコア５３では、高圧冷媒を熱源として、第２熱媒体を介して送風空気を加熱することができる。
【０２５５】
この際、第２ラジエータ５１では、第２熱媒体と第１ラジエータ４１通過後の外気とを熱交換させる。つまり、第２ラジエータ５１では、第２熱媒体とバッテリ８０の排熱によって加熱された外気とを熱交換させる。従って、第２熱媒体と第１ラジエータ４１を通過する前の外気とを熱交換させる場合よりも、チラー１４１の熱媒体通路１４１ｂへ流入する第２熱媒体の温度を上昇させることができる。
【０２５６】
これにより、冷媒がチラー１４１にて第２熱媒体から吸熱する吸熱量を増加させて、水−冷媒熱交換器にて第２熱媒体へ放熱する放熱量を増加させることができる。その結果、ヒータコア５３における送風空気の加熱能力を向上させることができる。
【０２５７】
（第７実施形態）
本実施形態では、図７に示すように、第３実施形態に対して、第１熱媒体回路４０の構成を変更して、外気側対象物熱交換部を追加した例を説明する。本実施形態の外気側対象物熱交換部は、第１熱媒体と外気側対象物とを熱交換させて、外気側対象物の有する熱（すなわち、外気側対象物の排熱）を第１熱媒体に吸熱させる。外気側対象物は、温度調整装置１が温度調整を行う対象物に含まれる。
【０２５８】
本実施形態の外気側対象物は、作動時に発熱する車載機器８１である。具体的には、車載機器８１として、電動モータ、インバータ、先進運転システム用制御装置等を採用することができる。電動モータは、走行用の駆動力を出力する車載機器である。インバータは、電動モータに電力を供給する車載機器である。先進運転システム用制御装置は、いわゆるＡＤＡＳ用の制御装置である。
【０２５９】
車載機器８１を適切に作動させるためには、バッテリ８０と同様に、車載機器８１が適切な温度範囲内に維持されていることが望ましい。但し、バッテリ８０の適切な温度範囲と車載機器８１の適切な温度範囲は異なっている。本実施形態では、車載機器８１の適切な温度範囲の上限値が、バッテリ８０の適切な温度範囲の上限値よりも高くなっている。
【０２６０】
車載機器８１の外殻を形成するハウジング部あるいはケースの内部には、第１熱媒体を流通させる冷却水通路８１ａが形成されている。冷却水通路８１ａは、車載機器８１の有する熱（すなわち、車載機器８１の排熱）を第１熱媒体に吸熱させる外気側対象物熱交換部である。
【０２６１】
また、本実施形態の第１熱媒体回路４０は、第１車載機器用迂回通路４０２を有している。第１車載機器用迂回通路４０２は、第１ラジエータ４１の第１熱媒体通路４１ａから流出した第１熱媒体を、チラー１４１の熱媒体通路１４１ｂおよびバッテリ８０の冷却水通路８０ａを迂回させて、第１熱媒体通路４１ａの入口側へ導く熱媒体通路である。車載機器８１の冷却水通路８１ａは、第１車載機器用迂回通路４０２に接続されている。
【０２６２】
さらに、本実施形態の第１熱媒体回路４０は、第１ラジエータ側水ポンプ４２ａおよび第１車載機器側流量調整弁４４を有している。第１ラジエータ側水ポンプ４２ａおよび第１車載機器側流量調整弁４４は、第１車載機器用迂回通路４０２に配置されている。
【０２６３】
第１ラジエータ側水ポンプ４２ａは、第１ラジエータ４１の第１熱媒体通路４１ａから流出した第１熱媒体の一部を車載機器８１の冷却水通路８１ａへ圧送する。第１ラジエータ側水ポンプ４２ａの基本的構成は、第１バッテリ側水ポンプ４２と同様である。
【０２６４】
第１車載機器側流量調整弁４４は、第１ラジエータ４１の第１熱媒体通路４１ａから流出して第１車載機器用迂回通路４０２へ流入する第１熱媒体の流量を調整する。第１車載機器側流量調整弁４４の基本的構成は、第２ラジエータ側流量調整弁５４と同様である。
【０２６５】
また、本実施形態の制御装置７０の入力側には、制御用のセンサ群として、車載機器８１の温度である車載機器温度ＴＭを検出する図示しない車載機器温度検出部が接続されている。その他の構成は、第３実施形態と同様である。
【０２６６】
次に、上記構成の本実施形態の温度調整装置１の作動について説明する。本実施形態の温度調整装置１では、第３実施形態と同様に、制御装置７０が、バッテリ温度ＴＢが適切な温度範囲内に維持されるように、制御対象機器の作動を制御する。また、制御装置７０は、車室内温度Ｔｒが温度設定部によって設定された設定温度に近づくように、制御対象機器の作動を制御する。さらに、制御装置７０は、車載機器温度ＴＭが適切な温度範囲内に維持されるように、制御対象機器の作動を制御する。
【０２６７】
具体的には、車載機器温度ＴＭが予め定めた基準温度ＫＴＭより低くなっている際には、制御装置７０は、第１ラジエータ側水ポンプ４２ａを停止させ、第１車載機器側流量調整弁４４を全閉状態とする。
【０２６８】
このため、第１ラジエータ４１の第１熱媒体通路４１ａから流出した第１熱媒体が、第１車載機器用迂回通路４０２へ流入することはない。つまり、車載機器温度ＴＭが基準温度ＫＴＭより低くなっている際の温度調整装置１は、第３実施形態と全く同様の構成となる。従って、第３実施形態と同様に、第１電池冷却モード、第２電池冷却モード、暖房冷却モード、および暖房運転モードの運転を実行することができる。
【０２６９】
また、車載機器温度ＴＭが基準温度ＫＴＭ以上となっている際には、制御装置７０は、第１ラジエータ側水ポンプ４２ａを作動させ、第１車載機器側流量調整弁４４の弁開度を調整する。この際、第１車載機器側流量調整弁４４の開度は、車載機器温度ＴＭが適切な温度範囲内に維持されるように調整される。
【０２７０】
従って、いずれの運転モードにおいても、車載機器温度ＴＭが基準温度ＫＴＭ以上となっている際には、第１ラジエータ４１の第１熱媒体通路４１ａにて冷却された第１熱媒体の一部が、第１ラジエータ側水ポンプ４２ａに吸入される。第１ラジエータ側水ポンプ４２ａから圧送された第１熱媒体は、車載機器８１の冷却水通路８１ａへ流入する。
【０２７１】
車載機器８１の冷却水通路８１ａへ流入した第１熱媒体は、車載機器８１から吸熱する。これにより、車載機器８１が冷却される。冷却水通路８１ａから流出した第１熱媒体は、第１バッテリ側水ポンプ４２から圧送された第１熱媒体と合流して、第１ラジエータ４１の第１熱媒体通路４１ａへ流入する。
【０２７２】
第１熱媒体通路４１ａへ流入した第１熱媒体は、室外送風機１５から送風された外気と熱交換する。これにより、第１熱媒体の温度が外気温に近づく。その他の作動は、第３実施形態と同様である。
【０２７３】
従って、本実施形態の温度調整装置１では、第３実施形態と同様に、冷凍サイクル装置１０に不必要なエネルギを消費させることなく、効率的に、かつ、確実にバッテリ８０を冷却して、バッテリ８０の温度上昇を抑制することができる。さらに、送風空気を加熱して車室内の暖房を行うことができる。
【０２７４】
これに加えて、第１車載機器用迂回通路４０２に外気側対象物熱交換部である車載機器８１の冷却水通路８１ａが接続されているので、車載機器８１の排熱を第１熱媒体に吸熱させることができる。従って、車載機器８１を冷却して、車載機器温度ＴＭ上昇を抑制することができる。
【０２７５】
また、本実施形態の温度調整装置１では、バッテリ８０および車載機器８１の冷却を行う際に、第１熱媒体通路４１ａから流出した第１熱媒体の流れに対して、バッテリ８０の冷却水通路８０ａおよび車載機器８１の冷却水通路８１ａが並列的に接続される。従って、バッテリ８０の温度および車載機器温度ＴＭを、それぞれ異なる温度範囲内に維持しやすい。
【０２７６】
（第８実施形態）
本実施形態では、図８に示すように、第４実施形態に対して、第１熱媒体回路４０の構成を変更して、外気側対象物熱交換部を追加した例を説明する。
【０２７７】
本実施形態の第１熱媒体回路４０は、第７実施形態と同様に、第１車載機器用迂回通路４０２を有している。第１車載機器用迂回通路４０２には、車載機器８１の冷却水通路８１ａが接続されている。さらに、第１車載機器用迂回通路４０２には、第１車載機器側流量調整弁４４が配置されている。
【０２７８】
本実施形態の第１ラジエータ側水ポンプ４２ａは、第１ラジエータ４１の第１熱媒体通路４１ａから分岐部へ至る冷媒通路に配置されている。分岐部は、第１ラジエータ側水ポンプ４２ａから圧送された冷媒の流れを第１バッテリ側水ポンプ４２の吸入側へ導く流れと、第１バッテリ側水ポンプ４２へ流入させる流れとに分岐する。
【０２７９】
また、本実施形態の第２熱媒体回路５０では、第４実施形態に対して、第１バッテリ側水ポンプ４２がチラー１４１の熱媒体通路１４１ｂの熱媒体流れ上流側に配置されている。さらに、第１チラー側開閉弁４５ｃが、第１バッテリ迂回通路４０１の第１バッテリ側水ポンプ４２の熱媒体流れ上流側に配置されている。第１チラー側開閉弁４５ｃは、第１バッテリ迂回通路４０１を開閉する。
【０２８０】
第１チラー側開閉弁４５ｃの基本的構成は、第１バッテリ側開閉弁４５ａおよび第１迂回通路側開閉弁４５ｂと同様である。第１チラー側開閉弁４５ｃは、第１バッテリ側開閉弁４５ａおよび第１迂回通路側開閉弁４５ｂとともに、第１熱媒体回路４０の回路構成を切り替える切替部である。
【０２８１】
次に、上記構成の本実施形態の温度調整装置１の作動について説明する。本実施形態の温度調整装置１では、第４実施形態と同様に、各運転モードを切り替えることができる。さらに、制御装置７０は、車載機器温度ＴＭが適切な温度範囲内に維持されるように、制御対象機器の作動を制御する。以下に、各運転モードについて説明する。
【０２８２】
（ａ）第１電池冷却モード
第１電池冷却モードでは、制御装置７０が、第１バッテリ側開閉弁４５ａを開き、第１迂回通路側開閉弁４５ｂを開き、第１チラー側開閉弁４５ｃを閉じる。さらに、制御装置７０は、室外送風機１５および第１ラジエータ側水ポンプ４２ａを作動させる。また、制御装置７０は、第１バッテリ側水ポンプ４２、第２熱交換器側水ポンプ５２および圧縮機１１を停止させる。
【０２８３】
従って、第１熱媒体回路４０では、第１ラジエータ側水ポンプ４２ａから圧送された第１熱媒体が、バッテリ８０の冷却水通路８０ａ→第１ラジエータ４１の第１熱媒体通路４１ａの順に循環する。つまり、実質的に、第１熱媒体が、第４実施形態の第１電池冷却モードと同様に循環する。これにより、第１熱媒体回路４０では、第１熱媒体がバッテリ８０から吸熱した排熱を、第１ラジエータ４１にて外気に放熱させることができる。
【０２８４】
また、第２熱媒体回路５０では、第２熱交換器側水ポンプ５２が停止しているので、第２熱媒体は循環が循環することはない。また、冷凍サイクル装置１０では、圧縮機１１が停止しているので、冷媒が循環することはない。
【０２８５】
従って、第１電池冷却モードでは、第４実施形態の第１電池冷却モードと同様に、バッテリ８０の温度上昇を抑制することができる。
【０２８６】
（ｂ）第２電池冷却モード
第２電池冷却モードでは、制御装置７０が、第１バッテリ側開閉弁４５ａを開き、第１迂回通路側開閉弁４５ｂを閉じ、第１チラー側開閉弁４５ｃを開く。さらに、制御装置７０は、第１バッテリ側水ポンプ４２を作動させ、第１ラジエータ側水ポンプ４２ａを停止させる。
【０２８７】
また、制御装置７０は、第２ラジエータ側流量調整弁５４を全開とし、第２ヒータコア側開閉弁５５を閉じる。さらに、制御装置７０は、第２熱交換器側水ポンプ５２および圧縮機１１を作動させる。
【０２８８】
従って、第１熱媒体回路４０では、第１バッテリ側水ポンプ４２から圧送された第１熱媒体が、チラー１４１の熱媒体通路１４１ｂへ流入する。チラー１４１の熱媒体通路１４１ｂへ流入した第１熱媒体は、チラー１４１の冷媒通路１４１ａを流通する冷媒に吸熱されて冷却される。
【０２８９】
熱媒体通路１４１ｂから流出した第１熱媒体は、バッテリ８０の冷却水通路８０ａへ流入する。バッテリ８０の冷却水通路８０ａへ流入した第１熱媒体は、バッテリ８０の排熱を吸熱して温度上昇する。これにより、バッテリ８０が冷却される。冷却水通路８０ａから流出した第１熱媒体は、第１バッテリ側水ポンプ４２に吸入されて再び熱媒体通路１４１ｂへ圧送される。
【０２９０】
また、第２熱媒体回路５０では、第３実施形態の第２電池冷却モードと同様に、第２熱媒体が循環する。これにより、第２熱媒体回路５０では、第２熱媒体が水−冷媒熱交換器１２１にて高圧冷媒から吸熱した熱を、第２ラジエータ５１にて外気に放熱させることができる。
【０２９１】
また、冷凍サイクル装置１０では、第３実施形態の第２電池冷却モードと同様に、冷媒が循環する。これにより、冷凍サイクル装置１０では、冷媒がチラー１４１にて第１熱媒体から吸熱した熱を、水−冷媒熱交換器１２１にて第２熱媒体へ放熱させることができる。
【０２９２】
従って、第２電池冷却モードでは、バッテリ８０の温度上昇を抑制することができる。さらに、第２電池冷却モードでは、バッテリ８０の冷却水通路８０ａへ流入させる第１熱媒体の温度を、第１電池冷却モードより低下させることができる。従って、第２電池冷却モードでは、第１電池冷却モードよりも高い冷却能力でバッテリ８０を冷却することができる。
【０２９３】
（ｃ）暖房冷却モード
第２電池冷却モードでは、制御装置７０が、第１バッテリ側開閉弁４５ａを開き、第１迂回通路側開閉弁４５ｂを開き、第１チラー側開閉弁４５ｃを開く。さらに、制御装置７０は、室外送風機１５、第１バッテリ側水ポンプ４２および第１ラジエータ側水ポンプ４２ａを作動させる。この際、制御装置７０は、第１バッテリ側水ポンプ４２の圧送能力を、第１ラジエータ側水ポンプ４２ａの圧送能力よりも高くする。
【０２９４】
また、制御装置７０は、第４実施形態の暖房冷却モードと同様に、第２ラジエータ側流量調整弁５４の開度を調整するとともに、第２ヒータコア側開閉弁５５を開く。さらに、制御装置７０は、第２熱交換器側水ポンプ５２および圧縮機１１を作動させる。
【０２９５】
従って、第１熱媒体回路４０では、第１バッテリ側水ポンプ４２から圧送された第１熱媒体が、チラー１４１の熱媒体通路１４１ｂへ流入する。熱媒体通路１４１ｂへ流入した第１熱媒体は、チラー１４１の冷媒通路１４１ａを流通する低圧冷媒に吸熱されて冷却される。
【０２９６】
チラー１４１の熱媒体通路１４１ｂから流出した第１熱媒体のうち一部の第１熱媒体は、バッテリ８０の冷却水通路８０ａへ流入する。ここで、本実施形態では、第１バッテリ側水ポンプ４２の圧送能力が、第１ラジエータ側水ポンプ４２ａの圧送能力よりも高くなっている。従って、第１ラジエータ側水ポンプ４２ａから圧送された第１熱媒体が、バッテリ８０の冷却水通路８０ａを第１バッテリ側開閉弁４５ａへ逆流することはない。
【０２９７】
バッテリ８０の冷却水通路８０ａへ流入した第１熱媒体は、バッテリ８０の排熱を吸熱して温度上昇する。これにより、バッテリ８０が冷却される。冷却水通路８０ａから流出した第１熱媒体は、第１ラジエータ側水ポンプ４２ａから圧送された第１熱媒体と合流する。
【０２９８】
チラー１４１の熱媒体通路１４１ｂから流出した残余の第１熱媒体は、第１ラジエータ４１の第１熱媒体通路４１ａへ流入する。第１熱媒体通路４１ａへ流入した第１熱媒体は、室外送風機１５から送風された外気と熱交換する。これにより、第１熱媒体の温度が外気温に近づく。
【０２９９】
第１熱媒体通路４１ａから流出した第１熱媒体は、第１ラジエータ側水ポンプ４２ａに吸入されて圧送される。第１ラジエータ側水ポンプ４２ａから圧送された第１熱媒体は、バッテリ８０の冷却水通路８０ａから流出した第１熱媒体と合流する。合流した第１熱媒体は、第１バッテリ側水ポンプ４２へ吸入させて再び熱媒体通路１４１ｂへ圧送される。
【０３００】
また、第２熱媒体回路５０では、第４実施形態の暖房冷却モードと同様に、第２熱媒体が循環する。これにより、第２熱媒体回路５０では、第２熱媒体が水−冷媒熱交換器１２１にて高圧冷媒から吸熱した熱のうち一部の熱を、ヒータコア５３にて送風空気に放熱させることができる。さらに、残余の熱を、第２ラジエータ５１にて外気に放熱させることができる。
【０３０１】
また、冷凍サイクル装置１０では、第２電池冷却モードと同様に、冷媒が循環する。これにより、冷凍サイクル装置１０では、冷媒がチラー１４１にて第１熱媒体から吸熱した熱を、水−冷媒熱交換器１２１にて第２熱媒体へ放熱させることができる。
【０３０２】
従って、暖房冷却モードでは、第２電池冷却モードと同様に、高い冷却能力でバッテリ８０を冷却することができる。また、ヒータコア５３にて送風空気を加熱して、車室内の暖房を行うことができる。
【０３０３】
さらに、本実施形態の温度調整装置１では、上述した各運転モードにおいて、第７実施形態と同様に、制御装置７０が、車載機器温度ＴＭが適切な温度範囲内に維持されるように、制御対象機器の作動を制御する。
【０３０４】
具体的には、車載機器温度ＴＭが予め定めた基準温度ＫＴＭより低くなっている際には、制御装置７０は、第１ラジエータ側水ポンプ４２ａを停止させ、第１車載機器側流量調整弁４４を全閉状態とする。また、車載機器温度ＴＭが基準温度ＫＴＭ以上となっている際には、制御装置７０は、第１ラジエータ側水ポンプ４２ａを作動させ、第１車載機器側流量調整弁４４を開弁状態（すなわち、流量調整状態）とする。
【０３０５】
従って、本実施形態の温度調整装置１では、第４実施形態と同様に、冷凍サイクル装置１０に不必要なエネルギを消費させることなく、効率的に、かつ、確実にバッテリ８０を冷却して、バッテリ８０の温度上昇を抑制することができる。ヒータコア５３にて送風空気を加熱して車室内の暖房を行うことができる。
【０３０６】
これに加えて、第１車載機器用迂回通路４０２に外気側対象物熱交換部である車載機器８１の冷却水通路８１ａが接続されているので、車載機器８１の排熱を第１熱媒体に吸熱させることができる。従って、車載機器８１を冷却して、第７実施形態と同様に、車載機器温度ＴＭ上昇を抑制することができる。
【０３０７】
また、本実施形態の温度調整装置１では、切替部である第１バッテリ側開閉弁４５ａ、第１迂回通路側開閉弁４５ｂおよび第１チラー側開閉弁４５ｃを備えている。
【０３０８】
従って、第１電池冷却モードのように、第１ラジエータ４１から流出した第１熱媒体を、第１熱媒体をチラー１４１の熱媒体通路１４１ｂを迂回させて、バッテリ８０の冷却水通路８０ａへ流入させる回路構成に切り替えることができる。これによれば、第１ラジエータ４１を、バッテリ８０の排熱を、第１熱媒体を介して外気に放熱させる放熱用熱交換器をして利用することができる。
【０３０９】
さらに、暖房冷却モードのように、第１ラジエータから流出した第１熱媒体を、バッテリ８０の冷却水通路８０ａを通過させることなく、チラー１４１の熱媒体通路１４１ｂへ流入させる回路構成を切り替えることができる。これによれば、第１ラジエータ４１を、外気から第１熱媒体に吸熱させる吸熱用熱交換器として利用することができる。
【０３１０】
（第９実施形態）
本実施形態では、図９に示すように、第３実施形態に対して、第２熱媒体回路５０の構成を変更して、外気側対象物熱交換部を追加した例を説明する。本実施形態の外気側対象物熱交換部は、第２熱媒体と外気側対象物とを熱交換させて、外気側対象物の有する熱（すなわち、外気側対象物の排熱）を第２熱媒体に吸熱させる。
【０３１１】
本実施形態の外気側対象物は、作動時に発熱する車載機器８２である。車載機器８２としては、第７実施形態と同様の機器を採用することができる。車載機器８２の外殻を形成するハウジング部あるいはケースの内部には、第２熱媒体を流通させる冷却水通路８２ａが形成されている。冷却水通路８２ａは、車載機器８２の有する熱（すなわち、車載機器８２の排熱）を第２熱媒体に吸熱させる外気側対象物熱交換部である。
【０３１２】
冷却水通路８２ａは、第２熱媒体回路５０に接続されている。より具体的には、冷却水通路８２ａは、第２熱媒体の合流部から第２熱交換器側水ポンプ５２の吸入口側へ至る熱媒体通路に配置されている。第２熱媒体の合流部は、第２ラジエータ５１の第２熱媒体通路５１ａから流出した第２熱媒体の流れとヒータコア５３から流出した第２熱媒体の流れとを合流させる部位である。その他の構成は、第３実施形態と同様である。
【０３１３】
このため、本実施形態の温度調整装置１を作動させると、第３実施形態と同様に、各運転モードを切り替えることができる。さらに、第２熱交換器側水ポンプ５２が作動する、第２電池冷却モード、暖房冷却モード、および暖房運転モード時には、冷却水通路８２ａに第２熱媒体を流通させることができる。
【０３１４】
従って、本実施形態の温度調整装置１では、第３実施形態と同様に、冷凍サイクル装置１０に不必要なエネルギを消費させることなく、効率的に、かつ、確実にバッテリ８０を冷却して、バッテリ８０の温度上昇を抑制することができる。さらに、ヒータコア５３にて送風空気を加熱して車室内の暖房を行うことができる。
【０３１５】
さらに、本実施形態の温度調整装置１では、第２電池冷却モード、暖房冷却モード、および暖房運転モード時に、車載機器８２の冷却水通路８２ａに、第２熱媒体を流入させることができる。
【０３１６】
ここで、車載機器８２の冷却水通路８２ａに流入する第２熱媒体は、第２ラジエータ５１の第２熱媒体通路５１ａにて外気と熱交換した第２熱媒体、ヒータコア５３にて送風空気と熱交換した第２熱媒体、あるいは、これらを合流させた第２熱媒体となる。このため、車載機器８２の冷却水通路８２ａに流入する第２熱媒体の温度は、外気温に近づく。
【０３１７】
従って、第２電池冷却モード、暖房冷却モード、および単独暖房モーでは、車載機器８２の冷却水通路８２ａに、外気温程度となっている第２熱媒体を流入させて、車載機器８２を冷却することができる。これにより、車載機器８２の温度上昇を抑制することができる。
【０３１８】
また、本実施形態では、バッテリ８０の冷却水通路８０ａが第１熱媒体回路４０に接続され、車載機器８２の冷却水通路８２ａが第２熱媒体回路５０に接続されている。従って、バッテリ８０の温度および車載機器８２の温度を、それぞれ異なる温度範囲内に維持しやすい。
【０３１９】
（第１０実施形態）
本実施形態では、図１０に示すように、第７実施形態に対して、第１熱媒体回路４０の構成を変更した例を説明する。
【０３２０】
具体的には、本実施形態の第１熱媒体回路４０は、第１ラジエータ迂回通路４０３を有している。第１ラジエータ迂回通路４０３は、バッテリ８０の冷却水通路８０ａから流出した第１熱媒体を、第１ラジエータ４１の第１熱媒体通路４１ａを迂回させて、第１バッテリ側水ポンプ４２の吸入口側へ導く熱媒体通路である。
【０３２１】
第１ラジエータ迂回通路４０３には、第１ラジエータ迂回通路４０３を開閉する第１ラジエータ側開閉弁４５ｄが配置されている。第１ラジエータ側開閉弁４５ｄの基本的構成は、第１バッテリ側開閉弁４５ａ等と同様である。その他の構成は、第７実施形態と同様である。
【０３２２】
このため、本実施形態の温度調整装置１では、第１ラジエータ側開閉弁４５ｄが第１ラジエータ迂回通路４０３を閉じると、第７実施形態と全く同様の構成となる。従って、本実施形態の温度調整装置１は、第７実施形態と全く同様に作動して、第７実施形態と同様の効果を得ることができる。
【０３２３】
さらに、本実施形態の温度調整装置１では、暖房冷却モード時に、送風空気の加熱能力が低下した際に、強暖房冷却モードを実行することができる。
【０３２４】
強暖房冷却モードでは、制御装置７０が、第１バッテリ側開閉弁４５ａを閉じ、第１迂回通路側開閉弁４５ｂを閉じ、第１ラジエータ側開閉弁４５ｄを開く。さらに、制御装置７０は、第１バッテリ側水ポンプ４２を作動させる。また、制御装置７０は、第２ラジエータ側流量調整弁５４を全閉状態にするとともに、第２ヒータコア側開閉弁５５を開く。さらに、制御装置７０は、第２熱交換器側水ポンプ５２および圧縮機１１を作動させる。
【０３２５】
従って、第１熱媒体回路４０では、第１バッテリ側水ポンプ４２から圧送された第１熱媒体が、チラー１４１の熱媒体通路１４１ｂへ流入する。チラー１４１の熱媒体通路１４１ｂへ流入した第１熱媒体は、チラー１４１の冷媒通路１４１ａを流通する低圧冷媒に吸熱されて冷却される。
【０３２６】
冷媒通路１４１ａから流出した第１熱媒体は、バッテリ８０の冷却水通路８０ａへ流入する。冷却水通路８０ａへ流入した第１熱媒体は、バッテリ８０の排熱を吸熱して温度上昇する。これにより、バッテリ８０が冷却される。
【０３２７】
冷却水通路８０ａから流出した第１熱媒体は、第１ラジエータ側開閉弁４５ｄが開いているので、第１ラジエータ迂回通路４０３を介して、第１バッテリ側水ポンプ４２へ吸入されて再び熱媒体通路１４１ｂへ圧送される。
【０３２８】
第２熱媒体回路５０では、第２熱交換器側水ポンプ５２から圧送された第２熱媒体が、水−冷媒熱交換器１２１の熱媒体通路１２１ｂへ流入する。熱媒体通路１２１ｂへ流入した第２熱媒体は、冷媒通路１２１ａを流通する高圧冷媒から吸熱して温度上昇する。
【０３２９】
熱媒体通路１２１ｂから流出した第２熱媒体は、第２ラジエータ側流量調整弁５４が全閉状態になっているので、ヒータコア５３へ流入する。ヒータコア５３へ流入した第２熱媒体は、室内送風機から送風された送風空気と熱交換して放熱する。これにより、送風空気が加熱される。ヒータコア５３から流出した第２熱媒体は、第２熱交換器側水ポンプ５２へ吸入されて再び熱媒体通路１２１ｂへ圧送される。
【０３３０】
また、冷凍サイクル装置１０では、暖房冷却モードと同様に、冷媒が循環する。これにより、冷凍サイクル装置１０では、冷媒がチラー１４１にて第１熱媒体から吸熱した熱を、水−冷媒熱交換器１２１にて第２熱媒体へ放熱させることができる。
【０３３１】
つまり、強暖房冷却モードの第１熱媒体回路４０では、第１熱媒体がバッテリ８０から吸熱した全ての排熱を、チラー１４１にて冷媒に放熱することができる。冷凍サイクル装置１０では、冷媒がチラー１４１にて第１熱媒体から吸熱した熱を、水−冷媒熱交換器１２１にて第２熱媒体へ放熱することができる。さらに、第２熱媒体回路５０では、第２熱媒体が水−冷媒熱交換器１２１にて第２熱媒体から吸熱した熱を、ヒータコア５３にて送風空気へ放熱することができる。
【０３３２】
従って、本実施形態の温度調整装置１によれば、第７実施形態と同様に、冷凍サイクル装置１０に不必要なエネルギを消費させることなく、効率的に、かつ、確実にバッテリ８０を冷却して、バッテリ８０の温度上昇を抑制することができる。さらに、送風空気を加熱して、車室内の暖房を行うことができる。車載機器８１を冷却して、車載機器温度ＴＭ上昇を抑制することができる。
【０３３３】
これに加えて、本実施形態の温度調整装置１では、強暖房冷却モードの運転を実行できる。強暖房冷却モードでは、第１熱媒体がバッテリ８０から吸熱した全ての排熱を熱源として、送風空気を加熱することができる。従って、冷凍サイクル装置１０に不必要なエネルギを消費させることなく、送風空気を加熱するための熱源を効率的に確保することができる。そして、暖房冷却モードよりも高い加熱能力で車室内の暖房を行うことができる。
【０３３４】
（第１１実施形態）
本実施形態では、図１１に示すように、第１０実施形態に対して、冷凍サイクル装置１０の構成を変更した例を説明する。本実施形態の冷凍サイクル装置１０では、第１０実施形態に対して、流体側蒸発部としての室内蒸発器１４が追加されている。室内蒸発器１４へ送風される送風空気は、冷却対象流体である。冷却対象流体は、温度調整装置１が温度調整を行う対象物に含まれる。
【０３３５】
より具体的には、本実施形態の冷凍サイクル装置１０では、チラー１４１の冷媒通路１４１ａおよび室内蒸発器１４の冷媒通路１４ａは、水−冷媒熱交換器１２１の冷媒通路１２１ａから流出した冷媒の流れに対して、互いに並列的に接続されている。
【０３３６】
水−冷媒熱交換器１２１の冷媒通路１２１ａから流出した冷媒の流を分岐する分岐部からチラー１４１の冷媒通路１４１ａの入口側へ至る冷媒通路には、減圧部としてのチラー側膨張弁１３ａが配置されている。さらに、分岐部から室内蒸発器１４の冷媒通路１４ａの入口側へ至る冷媒通路には、流体側減圧部としての蒸発器側膨張弁１３ｂが配置されている。
【０３３７】
チラー側膨張弁１３ａおよび蒸発器側膨張弁１３ｂは、絞り開度を変更可能に構成された弁体と、この弁体の開度を変化させる電動アクチュエータとを有して構成される電気式の膨張弁である。チラー側膨張弁１３ａおよび蒸発器側膨張弁１３ｂは、全開機能および全閉機能を有している。チラー側膨張弁１３ａおよび蒸発器側膨張弁１３ｂは、制御装置７０から出力される制御信号によって、その作動が制御される。
【０３３８】
室内蒸発器１４の冷媒通路１４ａから合流部へ至る冷媒通路には、蒸発圧力調整弁１７が配置されている。合流部は、チラー１４１の冷媒通路１４１ａから流出した冷媒の流れと室内蒸発器１４の冷媒通路１４ａから流出した冷媒の流れとを合流させる。
【０３３９】
蒸発圧力調整弁１７は、上流側の冷媒圧力を予め定めた基準圧力以上に維持する機能を果たす。換言すると、蒸発圧力調整弁１７は、室内蒸発器１４における冷媒蒸発圧力を、基準圧力以上に維持する機能を果たす。
【０３４０】
蒸発圧力調整弁１７は、室内蒸発器１４の出口側冷媒の圧力の上昇に伴って、弁開度を増加させる機械式の可変絞り機構で構成されている。さらに、蒸発圧力調整弁１７は、室内蒸発器１４における冷媒蒸発温度を、室内蒸発器１４の着霜を抑制可能な着霜抑制温度（本実施形態では、１℃）以上に維持している。
【０３４１】
次に、図１２を用いて、本実施形態の室内蒸発器１４およびヒータコア５３の配置態様について説明する。室内蒸発器１４およびヒータコア５３は、室内空調ユニット３０のケーシング３１内に収容されている。室内空調ユニット３０は、温度調整された送風空気を車室内の適切な箇所へ吹き出すためのユニットである。室内空調ユニット３０は、車室内最前部の計器盤（すなわち、インストルメントパネル）の内側に配置されている。
【０３４２】
ケーシング３１は、車室内に送風される送風空気の空気通路を形成している。ケーシング３１の送風空気流れ最上流側には、内外気切替装置３３が配置されている。内外気切替装置３３は、ケーシング３１内へ内気（車室内空気）と外気（車室外空気）とを切替導入する内外気切替部である。内外気切替装置３３は、制御装置７０から出力される制御信号によって、その作動が制御される。
【０３４３】
内外気切替装置３３の送風空気流れ下流側には、室内送風機３２が配置されている。室内送風機３２は、内外気切替装置３３を介して吸入した空気を車室内へ向けて送風する。室内送風機３２は、制御装置７０から出力される制御電圧によって、回転数（すなわち、送風能力）が制御される電動送風機である。
【０３４４】
室内送風機３２の送風空気流れ下流側には、室内蒸発器１４およびヒータコア５３が、送風空気の流れに対して、この順に配置されている。つまり、室内蒸発器１４は、ヒータコア５３よりも送風空気流れ上流側に配置されている。また、ケーシング３１内には、室内蒸発器１４を通過した送風空気を、ヒータコア５３を迂回させて下流側へ流す冷風バイパス通路３５が形成されている。
【０３４５】
室内蒸発器１４の送風空気流れ下流側であって、かつ、ヒータコア５３の送風空気流れ上流側には、エアミックスドア３４が配置されている。エアミックスドア３４は、室内蒸発器１４を通過後の送風空気のうち、ヒータコア５３を通過させる風量と冷風バイパス通路３５を通過させる風量との風量割合を調整するものである。エアミックスドア駆動用の電動アクチュエータは、制御装置７０から出力される制御信号によって、その作動が制御される。
【０３４６】
ヒータコア５３の送風空気流れ下流側には、ヒータコア５３にて加熱された送風空気と冷風バイパス通路３５を通過してヒータコア５３にて加熱されていない送風空気とを混合させる混合空間３６が設けられている。さらに、ケーシング３１の送風空気流れ最下流部には、混合空間３６にて混合された送風空気（空調風）を、車室内へ吹き出す図示しない開口穴が配置されている。
【０３４７】
従って、エアミックスドア３４が、ヒータコア５３を通過させる風量と冷風バイパス通路３５を通過させる風量との風量割合を調整することによって、混合空間３６にて混合される空調風の温度が調整される。これにより、各吹出口から車室内へ吹き出される送風空気の温度が調整される。その他の構成は、第１０実施形態と同様である。
【０３４８】
このため、本実施形態の温度調整装置１では、チラー側膨張弁１３ａが全閉状態となっていると、第１０実施形態と同様の構成となる。従って、本実施形態の温度調整装置１は、第１０実施形態と同様に作動して、第１０実施形態と同様の効果を得ることができる。
【０３４９】
さらに、本実施形態の温度調整装置１では、室内蒸発器１４を備えている。従って、第２電池冷却モード、暖房冷却モード、暖房運転モードのように冷凍サイクル装置１０の圧縮機１１を作動させる運転モード時に、室内蒸発器１４にて送風空気を冷却することができる。
【０３５０】
より詳細には、冷凍サイクル装置１０の圧縮機１１を作動させる運転モード時に、蒸発器側膨張弁１３ｂを、冷媒減圧作用を発揮する絞り状態とする。これにより、室内蒸発器１４の冷媒通路１４ａへ低圧冷媒を流入させることができる。そして、室内蒸発器１４の冷媒通路１４ａにて低圧冷媒を蒸発させて吸熱作用を発揮させることによって、送風空気を冷却することができる。
【０３５１】
従って、本実施形態の温度調整装置１によれば、第１０実施形態と同様の効果が得られるとともに、室内蒸発器１４にて送風空気を冷却して、車室内の冷房を行うことができる。
【０３５２】
この際、チラー側膨張弁１３ａおよび蒸発器側膨張弁１３ｂの絞り開度を調整することによって、チラー１４１の冷媒通路１４１ａへ流入する冷媒の流量と室内蒸発器１４の冷媒通路１４ａへ流入する冷媒の流量との流量比を調整することができる。これにより、チラー１４１にて発揮される第１熱媒体の冷却能力と室内蒸発器１４にて発揮される送風空気の冷却能力とを調整することができる。
【０３５３】
さらに、本実施形態の温度調整装置１では、室内空調ユニット３０を備えている。室内空調ユニット３０では、エアミックスドア３４の開度を調整することで、室内蒸発器１４にて冷却された送風空気をヒータコア５３にて再加熱することができる。従って、冷却されて除湿された送風空気を再加熱して車室内に吹き出す除湿暖房を行うことができる。
【０３５４】
つまり、暖房冷却モード、強暖房冷房モード、暖房運転モードのようにヒータコア５３にて送風空気を加熱する運転モード時に、室内蒸発器１４に低圧冷媒を流入させて送風空気を冷却することで、車室内の除湿暖房を行うことができる。
【０３５５】
さらに、本実施形態の室内空調ユニット３０は、図１２に示すように、内外気切替装置３３を有している。そこで、送風空気を冷却する運転モードから送風空気とバッテリ８０の双方を冷却する運転モードに切り替えられた際には、室内蒸発器１４へ流入させる送風空気における外気の導入割合を増加させるように内外気切替装置３３の作動を制御してもよい。
【０３５６】
ここで、送風空気を冷却する運転モードは、室内蒸発器１４へ低圧冷媒を供給して送風空気を冷却する運転モードである。つまり、送風空気を冷却する運転モードは、車室内の冷房や除湿暖房を行う運転モードである。
【０３５７】
また、送風空気とバッテリ８０の双方を冷却する運転モードは、室内蒸発器１４とチラー１４１の双方に低圧冷媒を供給して、室内蒸発器１４にて送風空気を冷却する。さらに、チラー１４１にて冷却された第１熱媒体をバッテリ８０の冷却水通路８０ａへ流入させる運転モードである。
【０３５８】
送風空気を冷却する運転モードから送風空気とバッテリ８０の双方を冷却する運転モードに切り替えられた直後は、バッテリ８０の排熱を吸熱した比較的温度の高い第１熱媒体がチラー１４１の熱媒体通路１４１ｂへ流入する。このため、チラー１４１の冷媒通路１４１ａを流通する低圧冷媒の圧力が上昇しやすい。これに伴って、室内蒸発器１４における冷媒蒸発圧力も上昇しやすい。
【０３５９】
従って、外気の導入割合を増加させることで、冷凍サイクル装置１０の熱負荷を低減させ、室内蒸発器１４における冷媒蒸発圧力の上昇を抑制することができる。
【０３６０】
（第１２実施形態）
本実施形態では、図１３に示すように、第８実施形態に対して、冷凍サイクル装置１０の構成を変更した例を説明する。本実施形態の冷凍サイクル装置１０では、第１１実施形態と同様に、室内蒸発器１４、チラー側膨張弁１３ａ、蒸発器側膨張弁１３ｂ、および蒸発圧力調整弁１７が追加されている。
【０３６１】
また、本実施形態の室内蒸発器１４およびヒータコア５３も第１１実施形態と同様に室内空調ユニット３０のケーシング３１内に収容されている。このことは、室内蒸発器１４およびヒータコア５３を同時に備える温度調整装置、あるいは室内蒸発器１４および室内凝縮器１２２を同時に備える温度調整装置においても同様である。その他の構成は、第８実施形態と同様である。
【０３６２】
このため、本実施形態の温度調整装置１では、チラー側膨張弁１３ａが全閉状態となっていると、第８実施形態と同様の構成となる。従って、本実施形態の温度調整装置１は、第８実施形態と同様に作動して、第１０実施形態と同様の効果を得ることができる。さらに、第１１実施形態と同様に、車室内の冷房や除湿暖房を行うことができる。
【０３６３】
（第１３実施形態）
上述した第８実施形態や第１２実施形態では、例えば、第１電池冷却モード時にバッテリ８０の冷却水通路８０ａを流通する第１熱媒体の流れ方向と、第２電池冷却モード時にバッテリ８０の冷却水通路８０ａを流通する第１熱媒体の流れ方向が異なっている。このような流れ方向の変更は、バッテリ８０の冷却性能に悪影響を及ぼす可能性もある。
【０３６４】
そこで、本実施形態では、図１４に示すように、第１２実施形態に対して、第１熱媒体回路４０の構成を変更した例を説明する。
【０３６５】
具体的には、本実施形態の第１熱媒体回路４０は、第１ラジエータ４１の第１熱媒体通路４１ａから流出した第１熱媒体をバッテリ８０の冷却水通路８０ａの入口側へ導く第１ラジエータ出口側通路４０４を有している。第１ラジエータ出口側通路４０４は、第１チラー側開閉弁４５ｃよりも上流側の第１熱媒体を冷却水通路８０ａの入口側へ導く。
【０３６６】
第１ラジエータ出口側通路４０４には、第１ラジエータ出口側逆止弁４６ａが配置されている。第１ラジエータ出口側逆止弁４６ａは、第１熱媒体通路４１ａから流出した第１熱媒体が冷却水通路８０ａの入口側へ流れることを許容し、逆流することを禁止する。
【０３６７】
さらに、第１熱媒体回路４０は、バッテリ８０の冷却水通路８０ａから流出した第１熱媒体を第１ラジエータ４１の第１熱媒体通路４１ａの入口側へ導く第１ラジエータ入口側通路４０５を有している。第１ラジエータ入口側通路４０５には、第１ラジエータ側開閉弁４５ｄが配置されている。
【０３６８】
バッテリ８０の冷却水通路８０ａの出口側から第１チラー側開閉弁４５ｃの下流側の第１バッテリ側水ポンプ４２の吸入口側へ至る熱媒体通路には、第１バッテリ出口側逆止弁４６ｂが配置されている。第１バッテリ出口側逆止弁４６ｂは、冷却水通路８０ａから流出した第１熱媒体が第１バッテリ側水ポンプ４２の吸入口側へ流れることを許容し、逆流することを禁止する。その他の構成は、第１２実施形態と同様である。
【０３６９】
次に、上記構成の本実施形態の温度調整装置１の作動について説明する。本実施形態の温度調整装置１の基本的作動は、第１２実施形態と同様である。以下に、各運転モードについて説明する。
【０３７０】
（ａ）第１電池冷却モード
第１電池冷却モードでは、制御装置７０が、第１バッテリ側開閉弁４５ａを閉じ、第１迂回通路側開閉弁４５ｂを開き、第１チラー側開閉弁４５ｃを閉じ、第１ラジエータ側開閉弁４５ｄを閉じる。さらに、制御装置７０は、室外送風機１５および第１ラジエータ側水ポンプ４２ａを作動させる。また、制御装置７０は、第１バッテリ側水ポンプ４２および第２熱交換器側水ポンプ５２を作動させ、圧縮機１１を停止させる。
【０３７１】
従って、第１熱媒体回路４０では、第１ラジエータ側水ポンプ４２ａから圧送された第１熱媒体が、第１ラジエータ出口側通路４０４を介して、バッテリ８０の冷却水通路８０ａへ流入する。冷却水通路８０ａへ流入した第１熱媒体は、バッテリ８０から吸熱して温度上昇する。これにより、バッテリ８０が冷却される。
【０３７２】
バッテリ８０の冷却水通路８０ａから流出した第１熱媒体は、第１バッテリ側水ポンプ４２に吸入される。第１バッテリ側水ポンプ４２から圧送された第１熱媒体は、チラー１４１の熱媒体通路１４１ｂへ流入する。熱媒体通路１４１ｂへ流入した第１熱媒体は、圧縮機１１が作動していないので、冷媒とは熱交換することなく熱媒体通路１４１ｂから流出する。
【０３７３】
熱媒体通路１４１ｂから流出した第１熱媒体は、第１ラジエータ４１の第１熱媒体通路４１ａへ流入する。第１熱媒体通路４１ａへ流入した第１熱媒体は、室外送風機１５から送風された外気と熱交換して放熱する。これにより、第１熱媒体が冷却される。第１熱媒体通路４１ａから流出した第１熱媒体は、第１ラジエータ側水ポンプ４２ａへ吸入されて再び冷却水通路８０ａの入口側へ圧送される。
【０３７４】
（ｂ）第２電池冷却モード
第２電池冷却モードでは、制御装置７０が、第１バッテリ側開閉弁４５ａを開き、第１迂回通路側開閉弁４５ｂを閉じ、第１チラー側開閉弁４５ｃを閉じ、第１ラジエータ側開閉弁４５ｄを閉じる。さらに、制御装置７０は、第１バッテリ側水ポンプ４２を作動させ、第１ラジエータ側水ポンプ４２ａを停止させる。
【０３７５】
また、制御装置７０は、第２ラジエータ側流量調整弁５４を全開とし、第２ヒータコア側開閉弁５５を閉じる。さらに、制御装置７０は、第２熱交換器側水ポンプ５２および圧縮機１１を作動させる。従って、第２電池冷却モードの温度調整装置１では、第８実施形態の第２電池冷却モードと同様に作動する。
【０３７６】
（ｃ）暖房冷却モード
第２電池冷却モードでは、制御装置７０が、第１バッテリ側開閉弁４５ａを開き、第１迂回通路側開閉弁４５ｂを開き、第１チラー側開閉弁４５ｃを開き、第１ラジエータ側開閉弁４５ｄを閉じる。さらに、制御装置７０は、第１バッテリ側水ポンプ４２および第１ラジエータ側水ポンプ４２ａを作動させる。この際、制御装置７０は、第１バッテリ側水ポンプ４２の圧送能力を、第１ラジエータ側水ポンプ４２ａの圧送能力よりも高くする。
【０３７７】
また、制御装置７０は、第８実施形態の暖房冷却モードと同様に、第２ラジエータ側流量調整弁５４の開度を調整するとともに、第２ヒータコア側開閉弁５５を開く。さらに、制御装置７０は、第２熱交換器側水ポンプ５２および圧縮機１１を作動させる。従って、第２電池冷却モードの温度調整装置１では、第８実施形態の暖房冷却モードと同様に作動する。
【０３７８】
以上の如く、本実施形態の温度調整装置１では、第８実施形態と同様に作動して、第８実施形態と同様の効果を得ることができる。さらに、本実施形態では、運転モードを切り替えてもバッテリ８０の冷却水通路８０ａを流通する第１熱媒体の流れ方向が変化しない。従って、第１熱媒体の流れ方向が変化することによるバッテリ８０の冷却性能の変動を抑制することができる。
【０３７９】
（第１４実施形態）
本実施形態では、図１５に示すように、第４実施形態に対して、第２熱媒体回路５０の構成を変更して、外気側対象物熱交換部を追加した例を説明する。本実施形態の第２熱媒体回路５０には、第９実施形態と同様に、外気側対象物熱交換部である車載機器８２の冷却水通路８２ａが接続されている。
【０３８０】
さらに、本実施形態の第１熱媒体回路４０は、第１ラジエータ側水ポンプ４２ａを有している。第１ラジエータ側水ポンプ４２ａは、第１ラジエータ４１の第１熱媒体通路４１ａから流出した第１熱媒体をバッテリ８０の冷却水通路８０ａ側あるいは第１バッテリ側水ポンプ４２の吸入口側へ圧送する。その他の構成は、第８実施形態と同様である。
【０３８１】
次に、上記構成の本実施形態の温度調整装置１の作動について説明する。本実施形態の温度調整装置１の基本的作動は、第４実施形態と同様である。従って、第４実施形態と同様に、冷凍サイクル装置１０に不必要なエネルギを消費させることなく、効率的に、かつ、確実にバッテリ８０を冷却して、バッテリ８０の温度上昇を抑制することができる。
【０３８２】
また、ヒータコア５３にて送風空気を加熱して車室内の暖房を行うことができる。また、切替部である第１バッテリ側開閉弁４５ａ、第１迂回通路側開閉弁４５ｂおよび第１チラー側開閉弁４５ｃを備えているので、第８実施形態と同様に、第１ラジエータ４１を放熱用熱交換器あるいは吸熱用熱交換器として有効に活用することができる。
【０３８３】
これに加えて、第２電池冷却モード、および暖房冷却モードでは、第２ラジエータ５１の第２熱媒体通路５１ａから流出した第２熱媒体を車載機器８２の冷却水通路８２ａに流入させることができる。第２熱媒体通路５１ａから流出した第２熱媒体は、第１ラジエータ４１を通過した外気と同程度の温度となっている。これにより、車載機器８２を冷却して、車載機器８２の温度上昇を抑制することができる。
【０３８４】
（第１５実施形態）
本実施形態では、図１６に示すように、第１０実施形態に対して、第１熱媒体回路４０および第２熱媒体回路５０の構成を変更した例を説明する。
【０３８５】
具体的には、本実施形態の第１熱媒体回路４０は、水−冷媒熱交換器１２１の熱媒体通路１２１ｂへ第１熱媒体を圧送する第１熱交換器側水ポンプ４２ｂを有している。第１熱交換器側水ポンプ４２ｂの基本的構成は、第１バッテリ側水ポンプ４２と同様である。熱媒体通路１２１ｂの出口側には、熱媒体通路１２１ｂから流出した第１熱媒体の流を分岐する分岐部が接続されている。
【０３８６】
分岐部の一方の流出口には、第１ラジエータ４１の第１熱媒体通路４１ａの一方の出入口側が接続されている。第１ラジエータ側流量調整弁４４ａの他方の出入口には、第１熱交換器側水ポンプ４２ｂの吸入口側が接続されている。分岐部の他方の流出口には、ヒータコア５３の熱媒体入口側が接続されている。ヒータコア５３の熱媒体出口には、第１熱交換器側水ポンプ４２ｂの吸入口側が接続されている。
【０３８７】
分岐部から第１熱媒体通路４１ａの一方の出入口へ至る熱媒体通路には、第１ラジエータ側流量調整弁４４ａが配置されている。第１ラジエータ側流量調整弁４４ａは、第１ラジエータ４１の第１熱媒体通路４１ａへ流入する第１熱媒体の流量を調整する。第１ラジエータ側流量調整弁４４ａの基本的構成は、第１車載機器側流量調整弁４４や第２ラジエータ側流量調整弁５４等と同様である。
【０３８８】
分岐部からヒータコア５３へ至る熱媒体通路には、第１ヒータコア側開閉弁４５ｅが配置されている。第１ヒータコア側開閉弁４５ｅは、分岐部からヒータコア５３へ至る熱媒体通路を開閉する電磁弁である。第１ヒータコア側開閉弁４５ｅの基本的構成は、第１バッテリ側開閉弁４５ａ等と同様である。
【０３８９】
本実施形態では、第１バッテリ側開閉弁４５ａ、第１迂回通路側開閉弁４５ｂ、第１ラジエータ側開閉弁４５ｄ、第１ヒータコア側開閉弁４５ｅ、および第１ラジエータ側流量調整弁４４ａが第１熱媒体回路４０の回路構成を切り替える切替部となる。
【０３９０】
本実施形態の切替部は、チラー１４１の熱媒体通路１４１ｂから流出した第１熱媒体をバッテリ８０の冷却水通路８０ａを介して第１ラジエータ４１の第１熱媒体通路４１ａへ流入させる回路構成に切り替えることができる。さらに、熱媒体通路１４１ｂから流出した第１熱媒体を、冷却水通路８０ａを迂回させて第１熱媒体通路４１ａへ流入させる回路構成とを切り替えることができる。
【０３９１】
また、切替部は、バッテリ８０の冷却水通路８０ａから流出した第１熱媒体を第１ラジエータ４１の第１熱媒体通路４１ａを介してチラー１４１の熱媒体通路１４１ｂへ流入させる回路構成に切り替えることができる。さらに、冷却水通路８０ａから流出した第１熱媒体を、第１熱媒体通路４１ａを迂回させて熱媒体通路１４１ｂへ流入させる回路構成とを切り替えることができる。
【０３９２】
また、本実施形態の第２熱媒体回路５０は、第２ラジエータ５１の第２熱媒体通路５１ａと車載機器８１の冷却水通路８１ａとの間で第２熱媒体を循環させる。第２熱媒体回路５０は、第２ラジエータ側水ポンプ５２ｂおよび第２車載機器側流量調整弁５４ａを有している。
【０３９３】
第２ラジエータ側水ポンプ５２ｂは、冷却水通路８１ａへ第２熱媒体を圧送する。第２ラジエータ側水ポンプ５２ｂの基本的構成は、第２熱交換器側水ポンプ５２等と同様である。第２車載機器側流量調整弁５４ａは、第２熱媒体回路５０を循環する第２熱媒体の循環流量を調整する。第２車載機器側流量調整弁５４ａの基本的構成は、第２ラジエータ側流量調整弁５４等と同様である。その他の構成は第１０実施形態と同様である。
【０３９４】
このため、バッテリ８０の冷却水通路８０ａは、第１熱媒体を流通させてバッテリ８０と熱交換させる蒸発側対象物熱交換部である。また、車載機器８１の冷却水通路８１ａは、第２熱媒体を流通させて車載機器８１と熱交換させる外気側対象物熱交換部である。
【０３９５】
次に、上記構成の本実施形態の温度調整装置１の作動について説明する。本実施形態では、制御装置７０が、バッテリ温度ＴＢが適切な温度範囲内に維持され、車載機器温度ＴＭが適切な温度範囲内に維持され、さらに、必要に応じて車室内の暖房を実現できるように、各種運転モードを切り替える。以下に各運転モードについて説明する。
【０３９６】
（ａ）第１電池冷却モード
第１電池冷却モードは、バッテリ温度ＴＢが第１基準温度ＫＴＢ１以上となっており、かつ、車室内温度Ｔｒが設定温度よりも高くなっている際に実行される。
【０３９７】
第１電池冷却モードでは、制御装置７０が、第１バッテリ側開閉弁４５ａを開き、第１迂回通路側開閉弁４５ｂを閉じ、第１ラジエータ側開閉弁４５ｄを閉じる。さらに、制御装置７０は、室外送風機１５および第１バッテリ側水ポンプ４２を作動させる。また、制御装置７０は、第１ラジエータ側流量調整弁４４ａを全閉状態とする。さらに、制御装置７０は、第１熱交換器側水ポンプ４２ｂを停止させる。また、制御装置７０は、圧縮機１１を停止させる。
【０３９８】
従って、第１熱媒体回路４０では、第１バッテリ側水ポンプ４２から圧送された第１熱媒体が、チラー１４１の熱媒体通路１４１ｂ→バッテリ８０の冷却水通路８０ａ→第１ラジエータ４１の第１熱媒体通路４１ａ→第１バッテリ側水ポンプ４２の吸入側の順に循環する。
【０３９９】
これにより、第１熱媒体がバッテリ８０の冷却水通路８０ａを流通する際に吸熱したバッテリ８０の排熱を、第１ラジエータ４１にて室外送風機１５から送風された外気に放熱させることができる。
【０４００】
また、冷凍サイクル装置１０では、圧縮機１１が停止しているので、冷媒が循環することはない。このため、第１熱媒体がチラー１４１にて冷媒に吸熱されて冷却されることはない。
【０４０１】
従って、第１電池冷却モードでは、バッテリ８０を冷却して、バッテリ８０の温度上昇を抑制することができる。
【０４０２】
（ｂ）第２電池冷却モード
第２電池冷却モードは、バッテリ温度ＴＢが第２基準温度ＫＴＢ２以上となっており、かつ、車室内温度Ｔｒが設定温度よりも高くなっている際に実行される。
【０４０３】
第１電池冷却モードでは、制御装置７０が、第１バッテリ側開閉弁４５ａを閉じ、第１迂回通路側開閉弁４５ｂを閉じ、第１ラジエータ側開閉弁４５ｄを開く。さらに、制御装置７０は、室外送風機１５および第１バッテリ側水ポンプ４２を作動させる。また、制御装置７０は、第１ラジエータ側流量調整弁４４ａを全開状態とし、第１ヒータコア側開閉弁４５ｅを閉じる。さらに、第１熱交換器側水ポンプ４２ｂを作動させる。また、制御装置７０は、圧縮機１１を作動させる。
【０４０４】
従って、第１熱媒体回路４０では、第１バッテリ側水ポンプ４２から圧送された第１熱媒体が、チラー１４１の熱媒体通路１４１ｂ→バッテリ８０の冷却水通路８０ａ→第１バッテリ側水ポンプ４２の吸入側の順に循環する。
【０４０５】
さらに、第１熱交換器側水ポンプ４２ｂから圧送された第１熱媒体が、水−冷媒熱交換器１２１の熱媒体通路１２１ｂ→第１ラジエータ４１の第１熱媒体通路４１ａ→第１バッテリ側水ポンプ４２の吸入側の順に循環する。
【０４０６】
これにより、第１熱媒体がバッテリ８０の冷却水通路８０ａを流通する際に吸熱したバッテリ８０の排熱を、チラー１４１にて冷媒に吸熱させることができる。さらに、第１熱媒体が水−冷媒熱交換器１２１にて高圧冷媒から吸熱した熱を、第１ラジエータ４１にて外気に放熱させることができる。
【０４０７】
また、冷凍サイクル装置１０では、圧縮機１１から吐出された冷媒が、水−冷媒熱交換器１２１の冷媒通路１２１ａ→膨張弁１３→チラー１４１の冷媒通路１４１ａ→圧縮機１１の吸入側の順に循環する。これにより、冷凍サイクル装置１０では、冷媒がチラー１４１にて第１熱媒体から吸熱した熱を、水−冷媒熱交換器１２１にて第１熱媒体へ放熱させることができる。
【０４０８】
従って、第２電池冷却モードでは、第１熱媒体が吸熱したバッテリ８０の排熱を、冷凍サイクル装置１０を介して、外気に放熱させることができる。さらに、第２電池冷却モードでは、チラー１４１の熱媒体通路１４１ｂにて冷却された第１熱媒体をバッテリ８０の冷却水通路８０ａへ流入させるので、第１電池冷却モードよりも高い冷却能力でバッテリ８０を冷却することができる。
【０４０９】
（ｃ）暖房冷却モード
暖房冷却モードは、バッテリ温度ＴＢが第１基準温度ＫＴＢ１以上となっており、かつ、車室内温度Ｔｒが設定温度よりも低くなっている際に実行される。
【０４１０】
暖房冷却モードでは、制御装置７０が、第１バッテリ側開閉弁４５ａを閉じ、第１迂回通路側開閉弁４５ｂを閉じ、第１ラジエータ側開閉弁４５ｄを開く。さらに、制御装置７０は、室外送風機１５および第１バッテリ側水ポンプ４２を作動させる。
【０４１１】
また、制御装置７０は、第１ラジエータ側流量調整弁４４ａの開度を調整するとともに、第１ヒータコア側開閉弁４５ｅを開く。第１ラジエータ側流量調整弁４４ａの開度は、車室内温度Ｔｒが設定温度に近づくように調整される。さらに、第１熱交換器側水ポンプ４２ｂを作動させる。また、制御装置７０は、圧縮機１１を作動させる。
【０４１２】
従って、第１熱媒体回路４０では、第１バッテリ側水ポンプ４２から圧送された第１熱媒体が、第２電池冷却モードと同様にチラー１４１の熱媒体通路１４１ｂ→バッテリ８０の冷却水通路８０ａ→第１バッテリ側水ポンプ４２の吸入側の順に循環する。
【０４１３】
さらに、第１熱交換器側水ポンプ４２ｂから圧送された第１熱媒体が、水−冷媒熱交換器１２１の熱媒体通路１２１ｂ→第１ラジエータ４１の第１熱媒体通路４１ａ→第１バッテリ側水ポンプ４２の吸入側の順に循環するとともに、水−冷媒熱交換器１２１の熱媒体通路１２１ｂ→ヒータコア５３→第１バッテリ側水ポンプ４２の吸入側の順に循環する。
【０４１４】
これにより、第１熱媒体がバッテリ８０の冷却水通路８０ａを流通する際に吸熱したバッテリ８０の排熱を、チラー１４１にて冷媒に吸熱させることができる。さらに、第１熱媒体が水−冷媒熱交換器１２１にて高圧冷媒から吸熱した熱を、第１ラジエータ４１にて外気に放熱させることができるとともに、ヒータコア５３にて室内送風機から送風された送風空気に放熱して、送風空気を加熱することができる。
【０４１５】
また、冷凍サイクル装置１０では、第２電池冷却モードと同様に、冷媒が循環する。これにより、冷凍サイクル装置１０では、冷媒がチラー１４１にて第１熱媒体から吸熱した熱を、水−冷媒熱交換器１２１にて第１熱媒体へ放熱させることができる。
【０４１６】
従って、暖房冷却モードでは、第１熱媒体が吸熱したバッテリ８０の排熱を、冷凍サイクル装置１０を介して、外気および送風空気に放熱させることができる。さらに、第２電池冷却モードと同様に、第１電池冷却モードよりも高い冷却能力でバッテリ８０を冷却することができる。
【０４１７】
（ｄ）暖房運転モード
暖房運転モードは、バッテリ温度ＴＢが第１基準温度ＫＴＢ１より低くなっており、かつ、車室内温度Ｔｒが設定温度よりも低くなっている際に実行される。
【０４１８】
暖房運転モードでは、制御装置７０が、第１バッテリ側開閉弁４５ａを閉じ、第１迂回通路側開閉弁４５ｂを開き、第１ラジエータ側開閉弁４５ｄを閉じる。さらに、制御装置７０は、室外送風機１５および第１バッテリ側水ポンプ４２を作動させる。また、制御装置７０は、第１ラジエータ側流量調整弁４４ａを全閉状態にするとともに、第１ヒータコア側開閉弁４５ｅを開く。さらに、第１熱交換器側水ポンプ４２ｂを作動させる。また、制御装置７０は、圧縮機１１を作動させる。
【０４１９】
従って、第１熱媒体回路４０では、第１バッテリ側水ポンプ４２から圧送された第１熱媒体が、チラー１４１の熱媒体通路１４１ｂ→第１ラジエータ４１の第１熱媒体通路４１ａ→第１バッテリ側水ポンプ４２の吸入側の順に循環する。
【０４２０】
さらに、第１熱交換器側水ポンプ４２ｂから圧送された第１熱媒体が、水−冷媒熱交換器１２１の熱媒体通路１２１ｂ→第１ラジエータ４１の第１熱媒体通路４１ａ→第１バッテリ側水ポンプ４２の吸入側の順に循環する。
【０４２１】
これにより、第１熱媒体が第１ラジエータ４１にて外気から吸熱した熱をチラー１４１にて冷媒に吸熱させることができる。さらに、第１熱媒体が水−冷媒熱交換器１２１にて高圧冷媒から吸熱した熱を、ヒータコア５３にて室内送風機から送風された送風空気に放熱して、送風空気を加熱することができる。
【０４２２】
また、冷凍サイクル装置１０では、第２電池冷却モードと同様に、冷媒が循環する。これにより、冷凍サイクル装置１０では、冷媒がチラー１４１にて第１熱媒体から吸熱した熱を、水−冷媒熱交換器１２１にて第１熱媒体へ放熱させることができる。
【０４２３】
従って、暖房冷却モードでは、第１熱媒体が外気から吸熱した熱を、冷凍サイクル装置１０を介して、送風空気に放熱させることができる。
【０４２４】
さらに、本実施形態の温度調整装置１では、第７実施形態と同様に、制御装置７０は、車載機器温度ＴＭが適切な温度範囲内に維持されるように、制御対象機器の作動を制御する。
【０４２５】
具体的には、車載機器温度ＴＭが予め定めた基準温度ＫＴＭより低くなっている際には、制御装置７０は、第２ラジエータ側水ポンプ５２ｂを停止させ、第２車載機器側流量調整弁５４ａを全閉状態とする。このため、第２ラジエータ５１の第２熱媒体通路５１ａから流出した第２熱媒体が、車載機器８１の冷却水通路８１ａへ流入することはない。
【０４２６】
また、車載機器温度ＴＭが基準温度ＫＴＭ以上となっている際には、制御装置７０は、第２ラジエータ側水ポンプ５２ｂを作動させ、第２車載機器側流量調整弁５４ａの弁開度を調整する。この際、第２車載機器側流量調整弁５４ａの弁開度は、車載機器温度ＴＭが適切な温度範囲内に維持されるように調整される。
【０４２７】
従って、いずれの運転モードにおいても、車載機器温度ＴＭが基準温度ＫＴＭ以上となっている際には、第２ラジエータ５１の第２熱媒体通路５１ａにて冷却された第２熱媒体が、第２ラジエータ側水ポンプ５２ｂに吸入される。第２ラジエータ側水ポンプ５２ｂから圧送された第１熱媒体は、車載機器８１の冷却水通路８１ａへ流入する。
【０４２８】
車載機器８１の冷却水通路８１ａへ流入した第１熱媒体は、車載機器８１から吸熱する。これにより、車載機器８１が冷却される。冷却水通路８１ａから流出した第２熱媒体は、第２ラジエータ５１の第２熱媒体通路５１ａへ流入する。第２熱媒体通路５１ａへ流入した第２熱媒体は、第１ラジエータ４１を通過後の外気と熱交換する。これにより、第２熱媒体の温度が第１ラジエータ４１を通過後の外気の温度に近づく。
【０４２９】
以上の如く、本実施形態の温度調整装置１では、第１電池冷却モードと第２電池冷却モードとを切り替えることができる。従って、第２実施形態等と同様に、冷凍サイクル装置１０に不必要なエネルギを消費させることなく、効率的に、かつ、確実にバッテリ８０を冷却して、バッテリ８０の温度上昇を抑制することができる。
【０４３０】
さらに、第２ラジエータ５１を有する第２熱媒体回路５０を備えているので、車載機器８１の排熱を、第２熱媒体を介して外気へ放熱させることができる。これによれば、圧縮機１１が停止して冷凍サイクル装置１０が冷却能力を発揮していなくても、車載機器８１を冷却して、車載機器８１の温度上昇を抑制することができる。
【０４３１】
また、本実施形態の第１ラジエータ４１では、バッテリ８０の冷却水通路８０ａ、水−冷媒熱交換器１２１の熱媒体通路１２１ｂ、およびチラー１４１の熱媒体通路１４１ｂのうちの一つから流出した第１熱媒体と外気とを熱交換させている。従って、バッテリ８０の排熱を、第１熱媒体を介して外気へ放熱することや、冷凍サイクル装置１０の作動状態に応じて外気を冷媒の吸熱源あるいは放熱先として利用することができる。
【０４３２】
この際、第１ラジエータ４１は、第１熱媒体と第２ラジエータ５１にて熱交換する前の外気とを熱交換させる。従って、第１ラジエータ４１では、第２ラジエータ５１における第２熱媒体と外気との熱交換量の影響を受けることなく、バッテリ８０の排熱を安定的に外気へ放熱することや、外気を冷媒の吸熱源あるいは放熱先として安定的に利用することができる。
【０４３３】
その結果、冷凍サイクル装置１０の非効率的なエネルギ消費を招くことなく、効率的にバッテリ８０あるいは車載機器８１を冷却することができる。
【０４３４】
また、本実施形態では、切替部として第１バッテリ側開閉弁４５ａ、第１迂回通路側開閉弁４５ｂ、第１ラジエータ側開閉弁４５ｄ、第１ヒータコア側開閉弁４５ｅ、および第１ラジエータ側流量調整弁４４ａを備えている。これにより、熱媒体回路を容易に切り替えることができる。すなわち、第１電池冷却モード、第２電池冷却モード、暖房冷却モード、および単独冷却モードを容易に切り替えることができる。
【０４３５】
（第１６実施形態）
ところで、第１１実施形態のように、送風空気を冷却あるいは加熱する温度調整装置１では、送風空気を冷却する際にも加熱する際にも冷凍サイクル装置１０を効率的に作動させることが望ましい。
【０４３６】
しかしながら、送風空気を冷却する冷房運転モード（すなわち、冷却運転モード）時における冷凍サイクル装置１０の作動点と、送風空気を加熱する暖房運転モード（すなわち、加熱運転モード）時における冷凍サイクル装置１０の作動点は異なる。従って、いずれの運転モードにおいても冷凍サイクル装置１０に高い作動効率を発揮させることは難しい。
【０４３７】
そこで、本実施形態では、冷房運転モードおよび暖房運転モードのいずれの運転モードにおいても、効率的に送風空気の温度調整が可能な温度調整装置１について説明する。本実施形態では、図１７〜図２０に示すように、第１１実施形態に対して、第１熱媒体回路４０の構成を変更している。
【０４３８】
具体的には、本実施形態では、第１１実施形態に対して、第１熱媒体回路４０の第１ラジエータ側水ポンプ４２ａにおける第１熱媒体の圧送方向が異なっている。つまり、本実施形態の第１ラジエータ側水ポンプ４２ａは、車載機器８１の冷却水通路８１ａから流出した第１熱媒体を吸入して圧送する。
【０４３９】
さらに、本実施形態では、第１ラジエータ４１および第２ラジエータ５１として、いわゆるタンクアンドチューブ型の熱交換器を採用している。第１ラジエータ４１および第２ラジエータ５１の基本的構成は同等である。タンクアンドチューブ型の熱交換器は、複数の熱媒体チューブと一対の熱媒体タンクを有している。
【０４４０】
熱媒体チューブは、熱媒体を流通させて第１熱媒体通路４１ａを形成する管である。本実施形態では、熱媒体チューブとして、断面扁平形状の扁平チューブを採用している。複数の熱媒体チューブは上下方向に延びている。
【０４４１】
複数の熱媒体チューブは、平坦面（いわゆる、扁平面）同士が違互いに平行となるように、一定の間隔を開けて水平方向に積層配置されている。これにより、隣り合う熱媒体チューブ同士の間には、室外送風機１５から送風された外気が流通する外気通路が形成される。外気通路には、熱媒体と外気との熱交換を促進する図示しない熱交換フィンが配置されている。
【０４４２】
一対の熱媒体タンクは、複数の熱媒体チューブに対して熱媒体を分配する空間、および複数の熱媒体チューブから流出した熱媒体を集合させる空間を形成する。一対の熱媒体タンクは、複数の熱媒体チューブの両端部に接続されている。従って、本実施形態の第１ラジエータ４１および第２ラジエータ５１では、それぞれ第１熱媒体および第２熱媒体が下方側から上方側あるいは上方側から下方側へ流れる。
【０４４３】
その他の構成は、第１１実施形態と同様である。本実施形態では、車載機器８１が外気側対象物となり、車載機器８１の冷却水通路８１ａが外気側対象物熱交換部となる。さらに、バッテリ８０が蒸発側対象物となり、バッテリ８０の冷却水通路８０ａが蒸発側対象物熱交換部となる。
【０４４４】
また、第１バッテリ側開閉弁４５ａ、第１迂回通路側開閉弁４５ｂ、および第１ラジエータ側開閉弁４５ｄが第１切替部となる。さらに、第２ヒータコア側開閉弁５５および第２ラジエータ側流量調整弁５４が第２切替部となる。
【０４４５】
次に、上記構成の本実施形態の温度調整装置１の作動について説明する。本実施形態の温度調整装置１の基本的作動は、第１１実施形態と同様である。そこで、本実施形態では、冷房運転モード、暖房運転モード、電池機器冷却モード、および電池優先冷却モードについて説明する。
【０４４６】
（ａ）冷房運転モード
冷房運転モードでは、制御装置７０が、第１バッテリ側開閉弁４５ａを閉じ、第１迂回通路側開閉弁４５ｂを閉じ、第１ラジエータ側開閉弁４５ｄを閉じる。さらに、制御装置７０は、第１バッテリ側水ポンプ４２を停止させ、第１ラジエータ側水ポンプ４２ａを作動させ、第１車載機器側流量調整弁４４を開弁状態とする。
【０４４７】
また、制御装置７０は、第２ヒータコア側開閉弁５５を閉じる。さらに、制御装置７０は、第２熱交換器側水ポンプ５２を作動させ、第２ラジエータ側流量調整弁５４を開弁状態とする。また、制御装置７０は、蒸発器側膨張弁１３ｂを絞り状態として、圧縮機１１を作動させる。
【０４４８】
従って、図１７に示すように、冷房運転モードの第１熱媒体回路４０では、第１ラジエータ側水ポンプ４２ａから圧送された第１熱媒体が、第１ラジエータ４１の第１熱媒体通路４１ａ→車載機器８１の冷却水通路８１ａ→第１ラジエータ側水ポンプ４２ａの吸入側の順に循環する。
【０４４９】
これにより、第１熱媒体回路４０では、第１熱媒体が吸熱した車載機器８１の排熱を、第１ラジエータ４１にて室外送風機１５から送風された外気へ放熱させることができる。この際、第１ラジエータ４１の第１熱媒体通路４１ａでは、第１熱媒体が上方側から下方側へ流れる。
【０４５０】
また、第２熱媒体回路５０では、第２熱交換器側水ポンプ５２から圧送された第２熱媒体が、水−冷媒熱交換器１２１の熱媒体通路１２１ｂ→第２ラジエータ５１の第２熱媒体通路５１ａ→第２熱交換器側水ポンプ５２の吸入側の順に循環する。
【０４５１】
これにより、第２熱媒体回路５０では、第２熱媒体が水−冷媒熱交換器１２１にて吸熱した高圧冷媒の有する熱を、第２ラジエータ５１にて第１ラジエータ４１を通過後の外気に放熱させることができる。
【０４５２】
この際、第２ラジエータ５１の第２熱媒体通路５１ａでは、第２熱媒体が上方側から下方側へ流れる。つまり、第１ラジエータ４１の第１熱媒体通路４１ａを流通する第１熱媒体の流れ方向と第２ラジエータ５１の第２熱媒体通路５１ａを流通する第２熱媒体の流れ方向は、同一となる。
【０４５３】
また、冷凍サイクル装置１０では、圧縮機１１から吐出された高圧冷媒が、水−冷媒熱交換器１２１の冷媒通路１２１ａ→蒸発器側膨張弁１３ｂ→室内蒸発器１４→圧縮機１１の吸入側の順に循環する。これにより、冷凍サイクル装置１０では、冷媒が室内蒸発器１４にて送風空気から吸熱した熱を、水−冷媒熱交換器１２１にて第２熱媒体へ放熱させることができる。
【０４５４】
従って、冷房運転モードでは、室内蒸発器１４にて、送風空気を冷却して、車室内の冷房を行うことができる。さらに、冷凍サイクル装置１０の作動状態の影響を受けることなく、車載機器８１を冷却することができる。
【０４５５】
（ｂ）暖房運転モード
暖房運転モードでは、制御装置７０が、第１バッテリ側開閉弁４５ａを閉じ、第１迂回通路側開閉弁４５ｂを開き、第１ラジエータ側開閉弁４５ｄを閉じる。さらに、制御装置７０は、第１バッテリ側水ポンプ４２を作動させ、第１ラジエータ側水ポンプ４２ａを作動させ、第１車載機器側流量調整弁４４を開弁状態とする。
【０４５６】
また、制御装置７０は、第２ヒータコア側開閉弁５５を開く。さらに、制御装置７０は、第２熱交換器側水ポンプ５２を作動させ、第２ラジエータ側流量調整弁５４を全閉状態とする。また、制御装置７０は、少なくともチラー側膨張弁１３ａを絞り状態として、圧縮機１１を作動させる。
【０４５７】
従って、図１８に示すように、暖房運転モードの第１熱媒体回路４０では、第１バッテリ側水ポンプ４２から圧送された第１熱媒体が、チラー１４１の熱媒体通路１４１ｂ→第１ラジエータ４１の第１熱媒体通路４１ａ→第１バッテリ側水ポンプ４２の吸入側の順に循環するとともに、チラー１４１の熱媒体通路１４１ｂ→車載機器８１の冷却水通路８１ａ→第１バッテリ側水ポンプ４２の吸入側の順に循環する。
【０４５８】
つまり、第１ラジエータ４１の第１熱媒体通路４１ａと車載機器８１の冷却水通路８１ａが、チラー１４１の熱媒体通路１４１ｂから流出した第１熱媒体の流れに対して、並列的に接続される。
【０４５９】
これにより、第１熱媒体回路４０では、チラー１４１の熱媒体通路１４１ｂにて冷却された第１熱媒体のうち一部が、冷却水通路８１ａへ流入して、車載機器８１の排熱を吸熱する。これにより、車載機器８１が冷却される。さらに、残余の第１熱媒体が、第１ラジエータ４１にて外気から吸熱する。そして、第１熱媒体が、車載機器８１および外気から吸熱した熱を、チラー１４１にて低圧冷媒に吸熱させることができる。
【０４６０】
この際、第１ラジエータ４１の第１熱媒体通路４１ａでは、第１熱媒体が下方側から上方側へ流れる。つまり、冷房運転モード時に第１ラジエータ４１の第１熱媒体通路４１ａを流通する第１熱媒体の流れ方向と、暖房運転モード時に第１ラジエータ４１の第１熱媒体通路４１ａを流通する第１熱媒体の流れ方向は、異なっている。
【０４６１】
さらに、冷房運転モード時に第１ラジエータ４１の車載機器８１の冷却水通路８１ａを流通する第１熱媒体の流れ方向と、暖房運転モード時に冷却水通路８１ａを流通する第１熱媒体の流れ方向は、同一となっている。
【０４６２】
また、第２熱媒体回路５０では、第２熱交換器側水ポンプ５２から圧送された第２熱媒体が、水−冷媒熱交換器１２１の熱媒体通路１２１ｂ→ヒータコア５３→第２熱交換器側水ポンプ５２の吸入側の順に循環する。これにより、第２熱媒体回路５０では、第２熱媒体が水−冷媒熱交換器１２１にて吸熱した高圧冷媒の有する熱を、ヒータコア５３にて送風空気へ放熱させることができる。
【０４６３】
また、冷凍サイクル装置１０では、圧縮機１１から吐出された高圧冷媒が、少なくとも水−冷媒熱交換器１２１の冷媒通路１２１ａ→チラー側膨張弁１３ａ→チラー１４１の冷媒通路１４１ａ→圧縮機１１の吸入側の順に循環する。これにより、冷凍サイクル装置１０では、少なくとも冷媒がチラー１４１にて第１熱媒体から吸熱した熱を、水−冷媒熱交換器１２１にて第２熱媒体へ放熱させることができる。
【０４６４】
従って、暖房運転モードでは、ヒータコア５３にて、送風空気を加熱して、車室内の暖房を行うことができる。さらに、暖房運転モード時に、図１８に図示するように、蒸発器側膨張弁１３ｂを絞り状態として室内蒸発器１４に低圧冷媒を流入させてもよい。これによれば、車室内の除湿暖房を行うことができる。
【０４６５】
（ｃ）電池機器冷却モード
電池機器冷却モードは、バッテリ８０および車載機器８１の双方を冷却する運転モードである。
【０４６６】
電池機器冷却モードでは、制御装置７０が、第１バッテリ側開閉弁４５ａを開き、第１迂回通路側開閉弁４５ｂを閉じ、第１ラジエータ側開閉弁４５ｄを閉じる。さらに、制御装置７０は、第１バッテリ側水ポンプ４２を作動させ、第１ラジエータ側水ポンプ４２ａを作動させ、第１車載機器側流量調整弁４４を開弁状態とする。
【０４６７】
また、制御装置７０は、第２ヒータコア側開閉弁５５を閉じる。さらに、制御装置７０は、第２熱交換器側水ポンプ５２を作動させ、第２ラジエータ側流量調整弁５４を開弁状態とする。また、制御装置７０は、少なくともチラー側膨張弁１３ａを絞り状態として、圧縮機１１を作動させる。
【０４６８】
従って、図１９に示すように、電池機器冷却モードの第１熱媒体回路４０では、第１バッテリ側水ポンプ４２から圧送された第１熱媒体が、チラー１４１の熱媒体通路１４１ｂ→バッテリ８０の冷却水通路８０ａ→第１ラジエータ４１の第１熱媒体通路４１ａ→第１バッテリ側水ポンプ４２の吸入側の順に循環するとともに、チラー１４１の熱媒体通路１４１ｂ→バッテリ８０の冷却水通路８０ａ→車載機器８１の冷却水通路８１ａ→第１バッテリ側水ポンプ４２の吸入側の順に循環する。
【０４６９】
つまり、バッテリ８０の冷却水通路８０ａと車載機器８１の冷却水通路８１ａが、第１熱媒体の流れに対して、直列的に接続される。
【０４７０】
これにより、第１熱媒体回路４０では、第１バッテリ側水ポンプ４２から圧送された第１熱媒体が、チラー１４１の熱媒体通路１４１ｂへ流入する。熱媒体通路１４１ｂへ流入した第１熱媒体は、低圧冷媒に吸熱されて冷却される。
【０４７１】
熱媒体通路１４１ｂにて冷却された第１熱媒体は、バッテリ８０の冷却水通路８０ａへ流入する。冷却水通路８０ａへ流入した第１熱媒体は、バッテリ８０の排熱を吸熱する。これにより、バッテリ８０が冷却される。
【０４７２】
冷却水通路８０ａから流出した第１熱媒体のうちの一部は、車載機器８１の冷却水通路８１ａへ流入する。冷却水通路８１ａへ流入した第１熱媒体は、車載機器８１の排熱を吸熱する。これにより、車載機器８１が冷却される。この際、第１車載機器側流量調整弁４４の開度は、車載機器８１が充分に冷却されるように調整される。
【０４７３】
冷却水通路８１ａから流出した第１熱媒体は、第１ラジエータ側水ポンプ４２ａに吸入されて圧送される。第１ラジエータ側水ポンプ４２ａから圧送された第１熱媒体は、第１ラジエータ４１の第１熱媒体通路４１ａから流出した第１熱媒体と合流する。
【０４７４】
一方、冷却水通路８０ａから流出した残余の第１熱媒体は、第１ラジエータ４１の第１熱媒体通路４１ａへ流入する。第１熱媒体通路４１ａへ流入した第１熱媒体は、室外送風機１５から送風された外気と熱交換して放熱する。第１熱媒体通路４１ａから流出した第１熱媒体は、冷却水通路８１ａから流出した第１熱媒体と合流して、第１バッテリ側水ポンプ４２に吸入されて再びチラー１４１の熱媒体通路１４１ｂへ圧送される。
【０４７５】
また、第２熱媒体回路５０では、冷房運転モードと同様に第２熱媒体が循環する。これにより、第２熱媒体回路５０では、第２熱媒体が水−冷媒熱交換器１２１にて吸熱した高圧冷媒の有する熱を、第２ラジエータ５１にて第１ラジエータ４１を通過後の外気に放熱させることができる。
【０４７６】
また、冷凍サイクル装置１０では、暖房運転モードと同様に冷媒が循環する。これにより、冷凍サイクル装置１０では、少なくとも冷媒がチラー１４１にて第１熱媒体から吸熱した熱を、水−冷媒熱交換器１２１にて第２熱媒体へ放熱させることができる。
【０４７７】
従って、電池機器冷却モードでは、チラー１４１にて冷却された第１熱媒体をバッテリ８０の冷却水通路８０ａに流入させて、バッテリ８０を冷却することができる。さらに、冷却水通路８０ａから流出した第１熱媒体を車載機器８１の冷却水通路８１ａに流入させて、車載機器８１を冷却することができる。
【０４７８】
ところで、電池機器冷却モードでは、バッテリ８０の冷却水通路８０ａと車載機器８１の冷却水通路８１ａが、第１熱媒体の流れに対して、直列的に接続されている。バッテリ８０の温度と車載機器８１の温度の双方を、それぞれ適切な温度範囲内に調整することが難しい。
【０４７９】
つまり、第１熱媒体の流れの上流側に配置されるバッテリ８０の温度を適切な温度範囲内に維持しようとすると、車載機器８１の冷却が不充分になってしまうおそれがある。また、第１熱媒体の流れの下流側に配置される車載機器８１の温度を適切な温度範囲内に維持しようとすると、バッテリ８０の温度が低くなり過ぎてしまうおそれがある。
【０４８０】
そこで、本実施形態の温度調整装置１では、電池優先冷却モードを実行することができる。電池優先冷却モードは、車載機器８１の温度上昇を抑制しつつ、バッテリ８０の温度を適切な温度範囲内に維持するための運転モードである。電池優先冷却モードは、少なくとも蒸発側対象物であるバッテリ８０を冷却する蒸発側対象物冷却モードである。以下に、電池優先冷却モードについて説明する。
【０４８１】
（ｄ）電池優先冷却モード
電池優先冷却モードでは、制御装置７０が、第１バッテリ側開閉弁４５ａを閉じ、第１迂回通路側開閉弁４５ｂを閉じ、第１ラジエータ側開閉弁４５ｄを開く。さらに、制御装置７０は、第１バッテリ側水ポンプ４２を作動させ、第１ラジエータ側水ポンプ４２ａを作動させ、第１車載機器側流量調整弁４４を開弁状態とする。
【０４８２】
また、制御装置７０は、第２ヒータコア側開閉弁５５を閉じる。さらに、制御装置７０は、第２熱交換器側水ポンプ５２を作動させ、第２ラジエータ側流量調整弁５４を開弁状態とする。また、制御装置７０は、少なくともチラー側膨張弁１３ａを絞り状態として、圧縮機１１を作動させる。
【０４８３】
従って、図２０に示すように、電池優先冷却モードの第１熱媒体回路４０では、第１バッテリ側水ポンプ４２から圧送された第１熱媒体が、チラー１４１の熱媒体通路１４１ｂ→バッテリ８０の冷却水通路８０ａ→第１バッテリ側水ポンプ４２の吸入側の順に循環する。さらに、第１ラジエータ側水ポンプ４２ａから圧送された第１熱媒体が、第１ラジエータ４１の第１熱媒体通路４１ａ→車載機器８１の冷却水通路８１ａ→第１ラジエータ側水ポンプ４２ａの吸入側の順に循環する。
【０４８４】
つまり、電池優先冷却モードでは、第１切替部が、チラー１４１の熱媒体通路１４１ａにて冷却された第１熱媒体をチラー１４１の熱媒体通路１４１ａへ流入させる。さらに、熱媒体通路１４１ａから流出した第１熱媒体を車載機器８１の冷却水通路８１ａを迂回させて熱媒体通路１４１ａの入口側へ導く回路構成に切り替える。
【０４８５】
これにより、第１熱媒体回路４０では、第１熱媒体がバッテリ８０から吸熱した熱をチラー１４１にて冷媒に吸熱させることができる。さらに、第１熱媒体が、車載機器８１から吸熱した熱を第１ラジエータ４１にて外気に放熱させることができる。
【０４８６】
また、第２熱媒体回路５０では、冷房運転モードと同様に第２熱媒体が循環する。これにより、第２熱媒体回路５０では、第２熱媒体が水−冷媒熱交換器１２１にて吸熱した高圧冷媒の有する熱を、第２ラジエータ５１にて第１ラジエータ４１を通過後の外気に放熱させることができる。
【０４８７】
また、冷凍サイクル装置１０では、暖房運転モードと同様に冷媒が循環する。これにより、冷凍サイクル装置１０では、少なくとも冷媒がチラー１４１にて第１熱媒体から吸熱した熱を、水−冷媒熱交換器１２１にて第２熱媒体へ放熱させることができる。
【０４８８】
従って、電池優先冷却モードでは、チラー１４１の熱媒体通路１４１ｂにて冷却された第１熱媒体をバッテリ８０の冷却水通路８０ａへ流入させて、バッテリ８０を冷却することができる。さらに、第１ラジエータ４１の第１熱媒体通路４１ａにて外気温に近づくように冷却された第１熱媒体を車載機器８１の冷却水通路８１ａへ流入させて、車載機器８１を冷却することができる。
【０４８９】
以上の如く、本実施形態の温度調整装置１によれば、バッテリ８０および車載機器８１を冷却して、バッテリ８０および車載機器８１の温度上昇を抑制することができる。さらに、送風空気の温度を調整して、車室内の冷房、暖房、除湿暖房を行うことができる。
【０４９０】
さらに、本実施形態の温度調整装置１によれば、冷房運転モード時に第１ラジエータ４１の第１熱媒体通路４１ａを流通する第１熱媒体の流れ方向と第２ラジエータ５１の第２熱媒体通路５１ａを流通する第２熱媒体の流れ方向が同一となっている。つまり、第１熱媒体通路４１ａを流通する第１熱媒体の流れと第２熱媒体通路５１ａを流通する第２熱媒体の流れが、いわゆる並行流となる。
【０４９１】
従って、第１ラジエータ４１を通過した外気に温度分布が生じても、第１ラジエータ４１を通過した外気と第２ラジエータ５１を流通する第２熱媒体との温度差の拡大を抑制することができる。
【０４９２】
その結果、冷房運転モード時には、第２ラジエータ５１を流通する第２熱媒体と外気との熱交換効率を向上させて、効率的に第２熱媒体の有する熱を外気に放熱させることができる。そして、冷凍サイクル装置１０にて、効率的に冷却対象流体である送風空気を冷却することができる。
【０４９３】
また、冷房運転モード時に第１ラジエータ４１の第１熱媒体通路４１ａを流通する第１熱媒体の流れ方向と、暖房運転モード時に第１熱媒体通路４１ａを流通する第１熱媒体の流れ方向は、異なっている。さらに、冷房運転モード時に車載機器８１の冷却水通路８１ａを流通する第１熱媒体の流れ方向と、暖房運転モード時に車載機器８１の冷却水通路８１ａを流通する第１熱媒体の流れ方向は、同一となっている。
【０４９４】
これにより、冷房運転モード時には、第１ラジエータ４１の第１熱媒体通路４１ａと車載機器８１の冷却水通路８１ａとを直列的に接続する回路構成とすることができる。そして、暖房運転モード時には、チラー１４１の熱媒体通路１４１ｂから流出した第１熱媒体の流れに対して、第１熱媒体通路４１ａと冷却水通路８１ａとを並列的に接続する回路構成とすることができる。
【０４９５】
従って、暖房運転モード時には、第１ラジエータ側水ポンプ４２ａの圧送能力を調整することによって、第１ラジエータ４１へ流入させる第１熱媒体の流量と車載機器８１の冷却水通路８１ａへ流入させる第１熱媒体の流量との流量比を調整することができる。その結果、暖房運転モード時には、第１熱媒体が車載機器８１から吸熱する吸熱量を適切に調整して、効率的に送風空気を加熱することができる。
【０４９６】
また、本実施形態の温度調整装置１では、冷房運転モード時に、第１ラジエータ４１を流通する第１熱媒体の流れ方向が、上方側から下方側へ向かう流れとなる。また、冷房運転モード時の第１ラジエータ４１は、第１熱媒体が吸熱した車載機器８１の排熱を外気に放熱させる放熱用の熱交換器となる。
【０４９７】
上方側から下方側へ向かう流れは、重力の作用によって、下方側から上方側へ向かう流れよりも流速が速くなる。従って、第１熱媒体の急激な温度変化を抑制して、第１ラジエータ４１や車載機器８１の急激な温度変化を抑制することができる。
【０４９８】
一方、本実施形態の温度調整装置１では、暖房運転モード時に第１ラジエータ４１を流通する第１熱媒体の流れ方向が、下方側から上方側へ向かう流れとなる。また、冷房運転モード時の第１ラジエータ４１は、第１熱媒体に外気の有する熱を吸熱させる吸熱用の熱交換器となる。
【０４９９】
下方側から上方側へ向かう流れは、重力の作用によって、上方側から下方側へ向かう流れよりも流速が遅くなる。従って、第１ラジエータ４１にて外気の有する熱を第１熱媒体に効率的に吸熱させることができる。
【０５００】
また、本実施形態の温度調整装置１では、電池優先冷却モード時に、第１切替部が、チラー１４１の熱媒体通路１４１ａにて冷却された第１熱媒体をバッテリ８０の冷却水通路８０ａへ流入させる回路構成に切り替える。さらに、冷却水通路８０ａから流出した第１熱媒体を、車載機器８１の冷却水通路８１ａを迂回させて熱媒体通路１４１ａの入口側へ導く回路構成に切り替える。
【０５０１】
これによれば、電池優先冷却モード時の第１熱媒体回路４０では、２つの独立した回路が形成される。具体的には、チラー１４１の熱媒体通路１４１ａとバッテリ８０の冷却水通路８０ａとの間で第１熱媒体を循環させる回路と、第１ラジエータ４１の第１熱媒体通路４１ａと車載機器８１の冷却水通路８１ａとの間で第１熱媒体を循環させる回路が形成される。
【０５０２】
従って、電池優先冷却モードでは、車載機器８１の排熱の影響を受けることなく、チラー１４１にて冷却された第１熱媒体によってバッテリ８０を冷却することができる。
【０５０３】
（第１７実施形態）
本実施形態では、図２１、図２２に示すように、第１６実施形態に対して、第１熱媒体回路４０の構成を変更した例を説明する。
【０５０４】
具体的には、本実施形態の第１熱媒体回路４０は、第１車載機器用迂回通路４０２に補助迂回通路４０６を追加している。さらに、補助迂回通路４０６には、三方式の補助流量調整弁４４ｂが接続されている。
【０５０５】
補助迂回通路４０６は、電池機器冷却モード時に第１ラジエータ側水ポンプ４２ａから圧送された第１熱媒体を車載機器８１の冷却水通路８１ａの入口側へ戻す熱媒体通路である。補助流量調整弁４４ｂは、第１ラジエータ側水ポンプ４２ａから圧送された第１熱媒体のうち、補助迂回通路４０６側へ流出させる第１熱媒体の流量と、第１バッテリ側水ポンプ４２の吸入側へ流出させる第１熱媒体の流量との流量比を調整する。
【０５０６】
補助流量調整弁４４ｂは、補助迂回通路４０６側の流入口および第１バッテリ側水ポンプ４２の吸入側の流出口のいずれか一方を全閉させて、第１熱媒体回路４０の回路構成を切り替えることができる。従って、補助流量調整弁４４ｂは、第１切替部に含まれる。補助流量調整弁４４ｂは、制御装置７０から出力される制御信号によって、その作動が制御される。その他の構成は、第１６実施形態と同様である。
【０５０７】
次に、上記構成の本実施形態の温度調整装置１の作動について説明する。本実施形態の温度調整装置１では、補助流量調整弁４４ｂが、第１ラジエータ側水ポンプ４２ａから圧送された第１熱媒体の全流量を、第１バッテリ側水ポンプ４２の吸入側へ流出させると、第１６実施形態と全く同様の構成となる。従って、本実施形態の温度調整装置１は、第１６実施形態と同様に作動して、第１６実施形態と同様の効果を得ることができる。
【０５０８】
さらに、本実施形態の温度調整装置１では、バッテリ８０の冷却を行わず、車載機器８１の冷却を行う機器単独冷却モード、および車載機器８１の冷却を行わず、バッテリ８０の冷却を行う電池単独冷却モードを実行することができる。以下、これらの運転モードについて説明する。
【０５０９】
（ａ）機器単独冷却モード
機器単独冷却モードは、例えば、第１６実施形態で説明した電池機器冷却モード時に、バッテリ温度ＴＢが低くなり、バッテリ８０を冷却する必要がなくなった場合等に実行される。
【０５１０】
電池機器冷却モードでは、制御装置７０が、第１バッテリ側開閉弁４５ａを閉じ、第１迂回通路側開閉弁４５ｂを開き、第１ラジエータ側開閉弁４５ｄを閉じる。さらに、制御装置７０は、第１バッテリ側水ポンプ４２を作動させ、第１ラジエータ側水ポンプ４２ａを作動させる。
【０５１１】
また、制御装置７０は、第２ヒータコア側開閉弁５５を閉じる。さらに、制御装置７０は、第２熱交換器側水ポンプ５２を作動させ、第２ラジエータ側流量調整弁５４を開弁状態とする。また、制御装置７０は、少なくともチラー側膨張弁１３ａを絞り状態として、圧縮機１１を作動させる。また、制御装置７０は、補助流量調整弁４４ｂを開弁状態とする。
【０５１２】
従って、図２１に示すように、機器単独冷却モードの第１熱媒体回路４０では、第１バッテリ側水ポンプ４２から圧送された第１熱媒体が、チラー１４１の熱媒体通路１４１ｂ→第１ラジエータ４１の第１熱媒体通路４１ａ→第１バッテリ側水ポンプ４２の吸入側の順に循環するとともに、チラー１４１の熱媒体通路１４１ｂ→車載機器８１の冷却水通路８１ａ→第１バッテリ側水ポンプ４２の吸入側の順に循環する。
【０５１３】
さらに、第１ラジエータ側水ポンプ４２ａから圧送された第１熱媒体の一部が、補助迂回通路４０６を介して、車載機器８１の冷却水通路８１ａの入口側に戻される。車載機器８１の冷却水通路８１ａの入口側に戻された第１熱媒体は、チラー１４１の熱媒体通路１４１ｂにて冷却された第１熱媒体と合流する。
【０５１４】
これにより、第１熱媒体回路４０では、第１熱媒体が第１ラジエータ４１にて外気から吸熱した熱、および車載機器８１から吸熱した排熱を、チラー１４１にて低圧冷媒に放熱させることができる。
【０５１５】
また、第２熱媒体回路５０では、第１６実施形態の冷房運転モードと同様に第２熱媒体が循環する。これにより、第２熱媒体回路５０では、第２熱媒体が水−冷媒熱交換器１２１にて吸熱した高圧冷媒の有する熱を、第２ラジエータ５１にて第１ラジエータ４１を通過後の外気に放熱させることができる。
【０５１６】
また、冷凍サイクル装置１０では、第１６実施形態の冷房運転モードと同様に冷媒が循環する。これにより、冷凍サイクル装置１０では、少なくとも冷媒がチラー１４１にて第１熱媒体から吸熱した熱を、水−冷媒熱交換器１２１にて第２熱媒体へ放熱させることができる。
【０５１７】
従って、機器単独冷却モードでは、チラー１４１にて冷却された第１熱媒体を車載機器８１の冷却水通路８１ａへ流入させて、車載機器８１を冷却することができる。
【０５１８】
（ｂ）電池単独冷却モード
電池単独冷却モードでは、制御装置７０が、第１バッテリ側開閉弁４５ａを閉じ、第１迂回通路側開閉弁４５ｂを閉じ、第１ラジエータ側開閉弁４５ｄを開く。さらに、制御装置７０は、第１バッテリ側水ポンプ４２を作動させ、第１ラジエータ側水ポンプ４２ａを作動させる。
【０５１９】
また、制御装置７０は、第２ヒータコア側開閉弁５５を閉じる。さらに、制御装置７０は、第２熱交換器側水ポンプ５２を作動させ、第２ラジエータ側流量調整弁５４を開弁状態とする。また、制御装置７０は、少なくともチラー側膨張弁１３ａを絞り状態として、圧縮機１１を作動させる。
【０５２０】
また、制御装置７０は、補助流量調整弁４４ｂを全開状態とする。補助流量調整弁４４ｂが全開状態になると、第１ラジエータ側水ポンプ４２ａから圧送された第１熱媒体の全流量が補助迂回通路４０６へ流入する。
【０５２１】
従って、図２２に示すように、機器単独冷却モードの第１熱媒体回路４０では、第１バッテリ側水ポンプ４２から圧送された第１熱媒体が、チラー１４１の熱媒体通路１４１ｂ→バッテリ８０の冷却水通路８０ａ→第１バッテリ側水ポンプ４２の吸入側の順に循環する。さらに、第１ラジエータ側水ポンプ４２ａから圧送された第１熱媒体が、第１ラジエータ４１の第１熱媒体通路４１ａ→第１ラジエータ側水ポンプ４２ａの吸入側の順に循環する。
【０５２２】
これにより、第１熱媒体回路４０では、第１熱媒体が吸熱したバッテリ８０の排熱をチラー１４１にて冷媒に吸熱させることができる。
【０５２３】
また、第２熱媒体回路５０では、機器単独冷却モードと同様に第２熱媒体が循環する。これにより、第２熱媒体回路５０では、第２熱媒体が水−冷媒熱交換器１２１にて吸熱した高圧冷媒の有する熱を、第２ラジエータ５１にて第１ラジエータ４１を通過後の外気に放熱させることができる。
【０５２４】
また、冷凍サイクル装置１０では、機器単独冷却モードと同様に冷媒が循環する。これにより、冷凍サイクル装置１０では、少なくとも冷媒がチラー１４１にて第１熱媒体から吸熱した熱を、水−冷媒熱交換器１２１にて第２熱媒体へ放熱させることができる。
【０５２５】
従って、電池単独冷却モードでは、チラー１４１にて冷却された第１熱媒体をバッテリ８０の冷却水通路８０ａへ流入させて、バッテリ８０を冷却することができる。
【０５２６】
以上の如く、本実施形態の温度調整装置１によれば、バッテリ８０および車載機器８１を冷却して、バッテリ８０および車載機器８１の温度上昇を抑制することができる。さらに、送風空気の温度を調整して、車室内の冷房、暖房、除湿暖房を行うことができる。
【０５２７】
これに加えて、本実施形態の温度調整装置１では、補助迂回通路４０６と補助流量調整弁４４ｂとを備えているので、運転モードを切り替えた際に、車載機器８１の温度の急変動を抑制することができる。
【０５２８】
このことをより詳細に説明すると、例えば、第１６実施形態で説明した電池機器冷却モードと同様に作動させている際に、バッテリ温度ＴＢが低くなり、バッテリ８０を冷却する必要がなくなったとする。このような場合には、機器単独冷却モードに切り替えることが考えられる。
【０５２９】
電池機器冷却モードから機器単独冷却モードへ切り替えるためには、第１切替部である第１バッテリ側開閉弁４５ａを閉じ、第１迂回通路側開閉弁４５ｂを開けばよい。これにより、バッテリ８０の不必要な冷却を抑制することができる。
【０５３０】
ところが、単に第１バッテリ側開閉弁４５ａを閉じ、第１迂回通路側開閉弁４５ｂを開くだけでは、チラー１４１の熱媒体通路１４１ｂで冷却された第１熱媒体が、バッテリ８０の排熱を吸熱することなく車載機器８１の冷却水通路８１ａへ流入してしまう。
【０５３１】
このため、図２３の太破線に示すように、車載機器８１の冷却水通路８１ａへ流入する第１熱媒体の温度である車載機器入口側温度ＴＭｉｎが、急降下して車載機器８１の適切な温度範囲の下限値を下回ってしまうおそれがある。
【０５３２】
これに対して、本実施形態の温度調整装置１では、補助迂回通路４０６と補助流量調整弁４４ｂとを備えている。従って、補助流量調整弁４４ｂの開度を調整することによって、車載機器８１の冷却水通路８１ａから流出した第１熱媒体のうち、再び車載機器８１の冷却水通路８１ａの入口側へ戻す第１熱媒体の流量を変化させることができる。これにより、車載機器入口側温度ＴＭｉｎを調整することができる。
【０５３３】
従って、図２３の太実線に示すように、車載機器入口側温度ＴＭｉｎが車載機器８１の適切な温度範囲の下限値より高くなるように、冷却水通路８１ａの入口側へ戻す第１熱媒体の流量を調整することができる。その結果、車載機器８１が過度に冷却されてしまうことを抑制して、車載機器８１の温度を適切な温度範囲内に維持することができる。
【０５３４】
また、本実施形態の温度調整装置１では、電池単独冷却モード時に、補助流量調整弁４４ｂが、第１ラジエータ側水ポンプ４２ａから圧送された第１熱媒体の全流量を補助迂回通路４０６へ流入させる。
【０５３５】
これによれば、電池単独冷却モード時の第１熱媒体回路４０では、２つの独立した回路が形成される。具体的には、チラー１４１の熱媒体通路１４１ａとバッテリ８０の冷却水通路８０ａとの間で第１熱媒体を循環させる回路と、車載機器８１の冷却水通路８１ａから流出した第１熱媒体を再び冷却水通路８１ａへ流入させる回路が形成される。
【０５３６】
従って、電池単独冷却モードでは、車載機器８１の排熱の影響を受けることなく、確実に、バッテリ８０の温度を適切な温度範囲内に維持することができる。
【０５３７】
（第１８実施形態）
本実施形態では、図２４〜図２６に示すように、第１６実施形態で説明した第１熱媒体回路４０および第２熱媒体回路５０の構成を変更した温度調整装置１ａについて説明する。
【０５３８】
温度調整装置１ａでは、第１６実施形態で説明した温度調整装置１の第１熱媒体回路４０および第２熱媒体回路５０を接続して、１つの熱媒体回路６０としている。さらに、温度調整装置１ａでは、第１６実施形態で説明した第１ラジエータ４１および第２ラジエータ５１が、１つのラジエータ６１として一体化されている。
【０５３９】
ラジエータ６１は、熱媒体と室外送風機１５から送風された外気とを熱交換させる室外熱交換部である。ラジエータ６１の基本的構成は、第１６実施形態で説明した第１ラジエータ４１および第２ラジエータ５１と同様である。すなわち、ラジエータ６１は、タンクアンドチューブ型の熱交換器である。ラジエータ６１が有する複数の熱媒体チューブは、熱媒体を流通させる熱媒体通路６１ａを形成している。
【０５４０】
温度調整装置１ａでは、熱媒体通路６１ａの一方の熱媒体出口に、ヒータコア５３の熱媒体出口側、バッテリ８０の冷却水通路８０ａの出口側、車載機器８１の冷却水通路８１ａの入口側等が接続されている。熱媒体通路６１ａの他方の熱媒体出口に、第１ラジエータ側水ポンプ４２ａの吐出口側、水−冷媒熱交換器１２１の熱媒体通路１２１ｂの出口側、ヒータコア５３の熱媒体入口側等が接続されている。
【０５４１】
その他の構成は、第１６実施形態と同様である。なお、本実施形態では、１つの熱媒体回路６０に種々の構成機器が接続されている。これらの構成機器のうち、ラジエータ６１を除く構成機器は、第１６実施形態の第１熱媒体回路４０および第２熱媒体回路５０に接続されていた構成機器と同様である。従って、本実施形態では、これらの構成機器の名称および符号を変更せずに説明をする。このことは他の熱媒体回路６０を採用する実施形態でも同様である。
【０５４２】
このため、本実施形態では、車載機器８１が外気側対象物となり、車載機器８１の冷却水通路８１ａが外気側対象物熱交換部となる。さらに、バッテリ８０が蒸発側対象物となり、バッテリ８０の冷却水通路８０ａが蒸発側対象物熱交換部となる。また、第１バッテリ側開閉弁４５ａ、第１迂回通路側開閉弁４５ｂ、第１ラジエータ側開閉弁４５ｄ、第２ヒータコア側開閉弁５５および第２ラジエータ側流量調整弁５４が切替部となる。
【０５４３】
次に、上記構成の本実施形態の温度調整装置１ａの作動について説明する。本実施形態の温度調整装置１ａの基本的作動は、第１６実施形態の温度調整装置１と同様である。以下に、冷房運転モード、暖房運転モード、および電池優先冷却モードについて説明する。
【０５４４】
（ａ）冷房運転モード
冷房運転モードでは、制御装置７０が、第１バッテリ側開閉弁４５ａを閉じ、第１迂回通路側開閉弁４５ｂを閉じ、第１ラジエータ側開閉弁４５ｄを閉じる。さらに、制御装置７０は、第１バッテリ側水ポンプ４２を停止させ、第１ラジエータ側水ポンプ４２ａを作動させ、第１車載機器側流量調整弁４４を開弁状態とする。
【０５４５】
また、制御装置７０は、第２ヒータコア側開閉弁５５を閉じる。さらに、制御装置７０は、第２熱交換器側水ポンプ５２を作動させ、第２ラジエータ側流量調整弁５４を全開状態とする。また、制御装置７０は、蒸発器側膨張弁１３ｂを絞り状態として、圧縮機１１を作動させる。
【０５４６】
従って、図２４に示すように、冷房運転モードの熱媒体回路６０では、第１ラジエータ側水ポンプ４２ａから圧送された熱媒体が、ラジエータ６１の熱媒体通路６１ａ→車載機器８１の冷却水通路８１ａ→第１ラジエータ側水ポンプ４２ａの吸入側の順に循環する。
【０５４７】
さらに、第２熱交換器側水ポンプ５２から圧送された熱媒体が、水−冷媒熱交換器１２１の熱媒体通路１２１ｂ→ラジエータ６１の熱媒体通路６１ａ→第２熱交換器側水ポンプ５２の吸入側の順に循環する。
【０５４８】
これにより、熱媒体回路６０では、熱媒体が冷却水通路８１ａにて吸熱した車載機器８１の排熱、および熱媒体が水−冷媒熱交換器１２１の熱媒体通路１２１ｂにて吸熱した高圧冷媒の有する熱をラジエータ６１にて外気へ放熱させることができる。この際、ラジエータ６１の熱媒体通路６１ａでは、熱媒体が上方側から下方側へ流れる。
【０５４９】
また、冷凍サイクル装置１０では、圧縮機１１から吐出された高圧冷媒が、第１６実施形態と同様に循環する。これにより、冷凍サイクル装置１０では、冷媒が室内蒸発器１４にて送風空気から吸熱した熱を、水−冷媒熱交換器１２１にて熱媒体へ放熱させることができる。
【０５５０】
従って、冷房運転モードでは、室内蒸発器１４にて、送風空気を冷却して、車室内の冷房を行うことができる。さらに、車載機器８１を冷却することができる。
【０５５１】
（ｂ）暖房運転モード
暖房運転モードでは、制御装置７０が、第１バッテリ側開閉弁４５ａを閉じ、第１迂回通路側開閉弁４５ｂを開き、第１ラジエータ側開閉弁４５ｄを閉じる。さらに、制御装置７０は、第１バッテリ側水ポンプ４２を作動させ、第１ラジエータ側水ポンプ４２ａを作動させ、第１車載機器側流量調整弁４４を開弁状態とする。
【０５５２】
また、制御装置７０は、第２ヒータコア側開閉弁５５を開く。さらに、制御装置７０は、第２熱交換器側水ポンプ５２を作動させ、第２ラジエータ側流量調整弁５４を全閉状態とする。また、制御装置７０は、少なくともチラー側膨張弁１３ａを絞り状態として、圧縮機１１を作動させる。
【０５５３】
従って、図２５に示すように、暖房運転モードの熱媒体回路６０では、第１バッテリ側水ポンプ４２から圧送された熱媒体が、チラー１４１の熱媒体通路１４１ｂ→ラジエータ６１の熱媒体通路６１ａ→第１バッテリ側水ポンプ４２の吸入側の順に循環するとともに、チラー１４１の熱媒体通路１４１ｂ→車載機器８１の冷却水通路８１ａ→第１バッテリ側水ポンプ４２の吸入側の順に循環する。
【０５５４】
つまり、ラジエータ６１の熱媒体通路６１ａと車載機器８１の冷却水通路８１ａが、チラー１４１の熱媒体通路１４１ｂから流出した熱媒体の流れに対して、並列的に接続される。
【０５５５】
これにより、熱媒体回路６０では、チラー１４１の熱媒体通路１４１ｂにて冷却された熱媒体のうち一部の熱媒体が、冷却水通路８１ａへ流入して、車載機器８１の排熱を吸熱する。これにより、車載機器８１が冷却される。さらに、残余の熱媒体が、ラジエータ６１にて外気から吸熱する。そして、熱媒体が、車載機器８１および外気から吸熱した熱を、チラー１４１にて低圧冷媒に吸熱させることができる。
【０５５６】
この際、ラジエータ６１の熱媒体通路６１ａでは、熱媒体が下方側から上方側へ流れる。従って、冷房運転モード時にラジエータ６１の熱媒体通路６１ａを流通する熱媒体の流れ方向と、暖房運転モード時に熱媒体通路６１ａを流通する熱媒体の流れ方向は、異なっている。
【０５５７】
さらに、冷房運転モード時に車載機器８１の冷却水通路８１ａを流通する熱媒体の流れ方向と、暖房運転モード時に冷却水通路８１ａを流通する熱媒体の流れ方向は、同一となっている。
【０５５８】
また、熱媒体回路６０では、第２熱交換器側水ポンプ５２から圧送された熱媒体が、水−冷媒熱交換器１２１の熱媒体通路１２１ｂ→ヒータコア５３→第２熱交換器側水ポンプ５２の吸入側の順に循環する。これにより、熱媒体回路６０では、熱媒体が水−冷媒熱交換器１２１にて吸熱した高圧冷媒の有する熱を、ヒータコア５３にて送風空気へ放熱させることができる。
【０５５９】
また、冷凍サイクル装置１０では、圧縮機１１から吐出された高圧冷媒が、第１６実施形態と同様に循環する。これにより、冷凍サイクル装置１０では、少なくとも冷媒がチラー１４１にて熱媒体から吸熱した熱を、水−冷媒熱交換器１２１にて熱媒体へ放熱させることができる。
【０５６０】
従って、暖房運転モードでは、ヒータコア５３にて、送風空気を加熱して、車室内の暖房を行うことができる。さらに、暖房運転モード時に、図２５に図示するように、蒸発器側膨張弁１３ｂを絞り状態として室内蒸発器１４に低圧冷媒を流入させてもよい。これによれば、車室内の除湿暖房を行うことができる。
【０５６１】
（ｃ）電池優先冷却モード
電池優先冷却モードは、少なくとも蒸発側対象物であるバッテリ８０を冷却する蒸発側対象物冷却モードである。電池優先冷却モードでは、制御装置７０が、第１バッテリ側開閉弁４５ａを閉じ、第１迂回通路側開閉弁４５ｂを閉じ、第１ラジエータ側開閉弁４５ｄを開く。さらに、制御装置７０は、第１バッテリ側水ポンプ４２を作動させ、第１ラジエータ側水ポンプ４２ａを作動させ、第１車載機器側流量調整弁４４を全開状態とする。
【０５６２】
また、制御装置７０は、第２ヒータコア側開閉弁５５を閉じる。さらに、制御装置７０は、第２熱交換器側水ポンプ５２を作動させ、第２ラジエータ側流量調整弁５４を全閉状態とする。また、制御装置７０は、少なくともチラー側膨張弁１３ａを絞り状態として、圧縮機１１を作動させる。
【０５６３】
従って、図２６に示すように、電池優先冷却モードの熱媒体回路６０では、第１バッテリ側水ポンプ４２から圧送された熱媒体が、チラー１４１の熱媒体通路１４１ｂ→バッテリ８０の冷却水通路８０ａ→第１バッテリ側水ポンプ４２の吸入側の順に循環する。さらに、第１ラジエータ側水ポンプ４２ａから圧送された熱媒体が、ラジエータ６１の熱媒体通路６１ａ→車載機器８１の冷却水通路８１ａ→第１ラジエータ側水ポンプ４２ａの吸入側の順に循環する。
【０５６４】
これにより、熱媒体回路６０では、熱媒体が吸熱したバッテリ８０の排熱をチラー１４１にて冷媒に吸熱させることができる。さらに、熱媒体が、車載機器８１から吸熱した熱をラジエータ６１にて外気に放熱させることができる。
【０５６５】
さらに、熱媒体回路６０では、暖房運転モードと同様に熱媒体が循環する。これにより、熱媒体回路６０では、熱媒体が水−冷媒熱交換器１２１にて吸熱した高圧冷媒の有する熱を、ヒータコア５３にて送風空気へ放熱させることができる。
【０５６６】
また、冷凍サイクル装置１０では、暖房モードと同様に冷媒が循環する。これにより、冷凍サイクル装置１０では、少なくとも冷媒がチラー１４１にて第１熱媒体から吸熱した熱を、水−冷媒熱交換器１２１にて第２熱媒体へ放熱させることができる。
【０５６７】
従って、電池優先冷却モードでは、チラー１４１の熱媒体通路１４１ｂにて冷却された熱媒体をバッテリ８０の冷却水通路８０ａへ流入させて、バッテリ８０を冷却することができる。さらに、ラジエータ６１の熱媒体通路６１ａにて外気温に近づくように冷却された熱媒体を車載機器８１の冷却水通路８１ａへ流入させて、車載機器８１を冷却することができる。
【０５６８】
以上の如く、本実施形態の温度調整装置１ａによれば、バッテリ８０および車載機器８１を冷却して、バッテリ８０および車載機器８１の温度上昇を抑制することができる。さらに、送風空気の温度を調整して、車室内の冷房、暖房、除湿暖房を行うことができる。
【０５６９】
また、本実施形態の温度調整装置１ａでは、冷房運転モード時にラジエータ６１の熱媒体通路６１ａを流通する熱媒体の流れ方向と、暖房運転モード時に熱媒体通路６１ａを流通する熱媒体の流れ方向は、異なっている。さらに、冷房運転モード時に車載機器８１の冷却水通路８１ａを流通する熱媒体の流れ方向と、暖房運転モード時に車載機器８１の冷却水通路８１ａを流通する熱媒体の流れ方向は、同一となっている。
【０５７０】
従って、第１６実施形態と同様に、暖房運転モード時には、熱媒体が車載機器８１から吸熱する吸熱量を適切に調整して、効率的に送風空気を加熱することができる。
【０５７１】
また、本実施形態の温度調整装置１ａでは、電池優先冷却モード時に、切替部が、チラー１４１の熱媒体通路１４１ａにて冷却された熱媒体をチラー１４１のバッテリ８０の冷却水通路８０ａへ流入させる回路構成に切り替える。さらに、冷却水通路８０ａから流出した熱媒体を、車載機器８１の冷却水通路８１ａを迂回させて熱媒体通路１４１ａの入口側へ導く回路構成に切り替える。
【０５７２】
従って、電池優先冷却モードでは、車載機器８１の排熱の影響を受けることなく、チラー１４１にて冷却された第１熱媒体によってバッテリ８０を冷却することができる。
【０５７３】
（第１９実施形態）
本実施形態では、図２７に示すように、第１８実施形態に対して、熱媒体回路６０の構成を変更した例を説明する。本実施形態の熱媒体回路６０では、第１バッテリ側開閉弁４５ａおよび第１ラジエータ側開閉弁４５ｄを廃止して、蒸発側流量調整弁４４ｃを追加している。
【０５７４】
蒸発側流量調整弁４４ｃは、バッテリ８０の冷却水通路８０ａから流出した熱媒体のうち、ラジエータ６１の熱媒体通路６１ａの入口側へ流入させる熱媒体の流量と、チラー１４１の熱媒体通路１４１ｂの入口側へ流入させる熱媒体の流量との流量比を調整する。
【０５７５】
蒸発側流量調整弁４４ｃは、ラジエータ６１の熱媒体通路６１ａ側の流出口およびチラー１４１の熱媒体通路１４１ｂ側の流出口の少なくとも一方を開閉させて、第１熱媒体回路４０の回路構成を切り替えることができる。従って、蒸発側流量調整弁４４ｃは、切替部に含まれる。蒸発側流量調整弁４４ｃは、制御装置７０から出力される制御信号によって、その作動が制御される。その他の構成は、第１８実施形態と同様である。
【０５７６】
従って、本実施形態の温度調整装置１ａでは、第１８実施形態で説明した、暖房運転モードおよび電池優先冷却モードと同様の回路に切り替えて、暖房運転モードおよび電池優先冷却モードと同様に作動させることができる。さらに、図２７に示すように、電池冷却切替モードを実行することができる。
【０５７７】
電池冷却切替モードでは、制御装置７０が、第１迂回通路側開閉弁４５ｂを閉じる。さらに、制御装置７０は、バッテリ８０の冷却水通路８０ａから流出した熱媒体を、ラジエータ６１の熱媒体通路６１ａおよびチラー１４１の熱媒体通路１４１ｂの双方に流入させるように蒸発側流量調整弁４４ｃの作動を制御する。その他の作動は、第１８実施形態で説明した電池優先冷却モードと同様である。
【０５７８】
ここで、暖房運転モード時にバッテリ温度ＴＢが上昇してバッテリ８０を冷却する必要が生じた場合には、電池優先冷却モードに切り替えることが考えられる。具体的には、切替部である蒸発側流量調整弁４４ｃの作動を制御して、バッテリ８０の冷却水通路８０ａから流出した熱媒体の全流量をチラー１４１の熱媒体通路１４１ｂ側へ流出させればよい。これにより、車室内の暖房を行いつつ、バッテリ８０の冷却を行うことができる。
【０５７９】
ところが、単に暖房運転モードから電池優先冷却モードへ切り替えるだけでは、バッテリ８０の冷却水通路８０ａにて加熱された熱媒体の全流量が、チラー１４１の熱媒体通路１４１ｂへ流入してしまう。
【０５８０】
このため、図２８の太破線に示すように、チラー１４１の熱媒体通路１４１ｂへ流入する熱媒体の温度であるチラー入口側温度ＴＣｉｎが、急上昇してしまうおそれがある。このようなチラー入口側温度ＴＣｉｎの急上昇は、冷凍サイクル装置１０の低圧冷媒の圧力を上昇させてしまい、冷凍サイクル装置１０の効率的な作動を妨げる原因となる。
【０５８１】
これに対して、本実施形態の温度調整装置１では、蒸発側流量調整弁４４ｃを備えている。これによれば、第１バッテリ側水ポンプ４２の入口側にて、混合されるバッテリ８０の冷却水通路８０ａから流出した熱媒体とラジエータ６１の熱媒体通路６１ａから流出した熱媒体との混合割合を変化させることができる。
【０５８２】
従って、電池冷却切替モードでは、蒸発側流量調整弁４４ｃの開度を調整することによって、第１バッテリ側水ポンプ４２の入口側で混合される熱媒体の混合割合を変化させることができる。そして、チラー入口側温度ＴＣｉｎを調整することができる。
【０５８３】
その結果、図２８の太実線に示すように、チラー入口側温度ＴＣｉｎが急上昇しないように、蒸発側流量調整弁４４ｃの作動を制御することができる。その結果、冷凍サイクル装置１０の非効率的に作動してしまうことを抑制することができる。
【０５８４】
（第２０実施形態）
本実施形態では、図２９に示すように、第１８実施形態に対して、第１熱媒体回路４０の構成を変更した例を説明する。具体的には、本実施形態の第１熱媒体回路４０には、第１７実施形態と同様に、補助迂回通路４０６、および補助流量調整弁４４ｂが追加されている。その他の構成は、第１８実施形態と同様である。
【０５８５】
次に、上記構成の本実施形態の温度調整装置１の作動について説明する。本実施形態の温度調整装置１ａでは、補助流量調整弁４４ｂが、第１ラジエータ側水ポンプ４２ａから圧送された第１熱媒体の全流量を、第１バッテリ側水ポンプ４２の吸入側へ流出させると、第１８実施形態と全く同様の構成となる。従って、本実施形態の温度調整装置１は、第１８実施形態と同様に作動して、第１８実施形態と同様の効果を得ることができる。
【０５８６】
さらに、本実施形態の温度調整装置１ａでは、バッテリ８０の冷却を行わず、車載機器８１の冷却を行う機器単独冷却モードを実行することができる。
【０５８７】
機器単独冷却モードは、例えば、第１８実施形態で説明した電池優先冷却モード時に、バッテリ温度ＴＢが低くなり、バッテリ８０を冷却する必要がなくなった場合等に実行される。
【０５８８】
機器単独冷却モードでは、制御装置７０が、第１バッテリ側開閉弁４５ａを閉じ、第１迂回通路側開閉弁４５ｂを開き、第１ラジエータ側開閉弁４５ｄを閉じる。さらに、制御装置７０は、第１バッテリ側水ポンプ４２を作動させ、第１ラジエータ側水ポンプ４２ａを作動させる。
【０５８９】
また、制御装置７０は、第２ヒータコア側開閉弁５５を閉じる。さらに、制御装置７０は、第２熱交換器側水ポンプ５２を作動させ、第２ラジエータ側流量調整弁５４を全開状態とする。また、制御装置７０は、少なくともチラー側膨張弁１３ａを絞り状態として、圧縮機１１を作動させる。また、制御装置７０は、補助流量調整弁４４ｂを開弁状態とする。
【０５９０】
従って、図２９に示すように、機器単独冷却モードの第１熱媒体回路４０では、第１バッテリ側水ポンプ４２から圧送された熱媒体が、チラー１４１の熱媒体通路１４１ｂ→ラジエータ６１の熱媒体通路６１ａ→第１バッテリ側水ポンプ４２の吸入側の順に循環するとともに、チラー１４１の熱媒体通路１４１ｂ→車載機器８１の冷却水通路８１ａ→第１バッテリ側水ポンプ４２の吸入側の順に循環する。
【０５９１】
さらに、第１ラジエータ側水ポンプ４２ａから圧送された熱媒体の一部が、補助迂回通路４０６を介して、車載機器８１の冷却水通路８１ａの入口側に戻される。車載機器８１の冷却水通路８１ａの入口側に戻された熱媒体は、チラー１４１の熱媒体通路１４１ｂにて冷却された熱媒体と合流する。
【０５９２】
これにより、熱媒体回路６０では、熱媒体がラジエータ６１にて外気から吸熱した熱、および車載機器８１から吸熱した排熱を、チラー１４１にて低圧冷媒に放熱させることができる。
【０５９３】
さらに、熱媒体回路６０では、第１８実施形態の電池優先冷却モードと同様に、第２熱交換器側水ポンプ５２から圧送された熱媒体が循環する。これにより、熱媒体回路６０では、熱媒体が水−冷媒熱交換器１２１にて吸熱した高圧冷媒の有する熱を、ヒータコア５３にて送風空気へ放熱させることができる。
【０５９４】
また、冷凍サイクル装置１０では、第１８実施形態の電池優先冷却モードと同様に、圧縮機１１から吐出された冷媒が循環する。これにより、冷凍サイクル装置１０では、少なくとも冷媒がチラー１４１にて熱媒体から吸熱した熱を、水−冷媒熱交換器１２１にて熱媒体へ放熱させることができる。
【０５９５】
従って、機器単独冷却モードでは、チラー１４１にて冷却された第１熱媒体を車載機器８１の冷却水通路８１ａへ流入させて、車載機器８１を冷却することができる。
【０５９６】
以上の如く、本実施形態の温度調整装置１によれば、バッテリ８０および車載機器８１を冷却して、バッテリ８０および車載機器８１の温度上昇を抑制することができる。さらに、送風空気の温度を調整して、車室内の冷房、暖房、除湿暖房を行うことができる。
【０５９７】
これに加えて、本実施形態の温度調整装置１では、補助迂回通路４０６と補助流量調整弁４４ｂとを備えているので、運転モードを切り替えた際に、車載機器８１の温度の急変動を抑制することができる。
【０５９８】
このことをより詳細に説明すると、例えば、本実施形態の温度調整装置１を、第１８実施形態で説明した電池優先冷却モードで作動させている際に、バッテリ温度ＴＢが低くなり、バッテリ８０を冷却する必要がなくなったとする。このような場合には、機器単独冷却モードに切り替えることが考えられる。
【０５９９】
電池優先冷却モードから機器単独冷却モードに切り替えるためには、切替部である第１バッテリ側開閉弁４５ａを閉じ、第１迂回通路側開閉弁４５ｂを開けばよい。これにより、バッテリ８０の不必要な冷却を抑制することができる。
【０６００】
ところが、単に第１バッテリ側開閉弁４５ａを閉じ、第１迂回通路側開閉弁４５ｂを開くだけでは、チラー１４１の熱媒体通路１４１ｂで冷却された第１熱媒体が、バッテリ８０の排熱を吸熱することなく車載機器８１の冷却水通路８１ａへ流入してしまう。このため、第１７実施形態の図２３で説明したように、車載機器入口側温度ＴＭｉｎが、急降下して車載機器８１の適切な温度範囲の下限値を下回ってしまうおそれがある。
【０６０１】
これに対して、本実施形態の温度調整装置１では、補助迂回通路４０６と補助流量調整弁４４ｂとを備えている。従って、第１７実施形態と同様に、補助流量調整弁４４ｂが、車載機器８１の冷却水通路８１ａの入口側へ戻す熱媒体の流量を変化させることができる。その結果、車載機器８１が過度に冷却されてしまうことを抑制して、車載機器８１の温度を適切な温度範囲内に維持することができる。
【０６０２】
（第２１実施形態）
本実施形態の温度調整装置１は、図３０、図３１に示すように、第１１実施形態に対して、第２熱媒体回路５０の構成を変更した例を説明する。
【０６０３】
具体的には、本実施形態では、第１１実施形態に対して、第２熱媒体回路５０の第２熱交換器側水ポンプ５２の配置を変更している。より具体的には、冷房運転モード時に、第１ラジエータ４１の第１熱媒体通路４１ａを流通する第１熱媒体の流れ方向と第２ラジエータ５１の第２熱媒体通路５１ａを流通する第２熱媒体の流れ方向が同一となるように変更している。
【０６０４】
その他の構成は、第１１実施形態と同様である。本実施形態では、車載機器８１が外気側対象物となり、車載機器８１の冷却水通路８１ａが外気側対象物熱交換部となる。さらに、バッテリ８０が蒸発側対象物となり、バッテリ８０の冷却水通路８０ａが蒸発側対象物熱交換部となる。
【０６０５】
また、第１バッテリ側開閉弁４５ａ、第１迂回通路側開閉弁４５ｂ、および第１ラジエータ側開閉弁４５ｄが第１切替部となる。さらに、第２ヒータコア側開閉弁５５および第２ラジエータ側流量調整弁５４が第２切替部となる。
【０６０６】
次に、上記構成の本実施形態の温度調整装置１の作動について説明する。本実施形態の温度調整装置１の基本的作動は、第１１実施形態と同様である。そこで、本実施形態では、バッテリ８０を冷却する運転モードについての説明は省略し、冷房運転モードおよび暖房運転モードについて説明する。
【０６０７】
（ａ）冷房運転モード
冷房運転モードでは、制御装置７０が、第１バッテリ側開閉弁４５ａを閉じ、第１迂回通路側開閉弁４５ｂを閉じ、第１ラジエータ側開閉弁４５ｄを閉じる。さらに、制御装置７０は、第１バッテリ側水ポンプ４２を停止させ、第１ラジエータ側水ポンプ４２ａを作動させ、第１車載機器側流量調整弁４４を開弁状態とする。
【０６０８】
また、制御装置７０は、第２ヒータコア側開閉弁５５を閉じる。さらに、制御装置７０は、第２熱交換器側水ポンプ５２を作動させ、第２ラジエータ側流量調整弁５４を開弁状態とする。また、制御装置７０は、蒸発器側膨張弁１３ｂを絞り状態として、圧縮機１１を作動させる。
【０６０９】
従って、図３０に示すように、冷房運転モードの第１熱媒体回路４０では、第１ラジエータ側水ポンプ４２ａから圧送された第１熱媒体が、第１ラジエータ４１の第１熱媒体通路４１ａ→車載機器８１の冷却水通路８１ａ→第１ラジエータ側水ポンプ４２ａの吸入側の順に循環する。
【０６１０】
これにより、第１熱媒体回路４０では、第１熱媒体が吸熱した車載機器８１の排熱を、第１ラジエータ４１にて室外送風機１５から送風された外気へ放熱させることができる。この際、第１ラジエータ４１の第１熱媒体通路４１ａでは、第１熱媒体が上方側から下方側へ流れる。
【０６１１】
また、第２熱媒体回路５０では、第２熱交換器側水ポンプ５２から圧送された第２熱媒体が、水−冷媒熱交換器１２１の熱媒体通路１２１ｂ→第２ラジエータ５１の第２熱媒体通路５１ａ→第２熱交換器側水ポンプ５２の吸入側の順に循環する。
【０６１２】
これにより、第２熱媒体回路５０では、第２熱媒体が水−冷媒熱交換器１２１にて吸熱した高圧冷媒の有する熱を、第２ラジエータ５１にて第１ラジエータ４１を通過後の外気に放熱させることができる。
【０６１３】
この際、第２ラジエータ５１の第２熱媒体通路５１ａでは、第２熱媒体が上方側から下方側へ流れる。つまり、第１ラジエータ４１の第１熱媒体通路４１ａを流通する第１熱媒体の流れ方向と第２ラジエータ５１の第２熱媒体通路５１ａを流通する第２熱媒体の流れ方向は、同一となる。
【０６１４】
また、冷凍サイクル装置１０では、第１６実施形態と同様に冷媒が循環する。これにより、冷凍サイクル装置１０では、冷媒が室内蒸発器１４にて送風空気から吸熱した熱を、水−冷媒熱交換器１２１にて第２熱媒体へ放熱させることができる。
【０６１５】
従って、冷房運転モードでは、室内蒸発器１４にて、送風空気を冷却して、車室内の冷房を行うことができる。さらに、冷凍サイクル装置１０の作動状態の影響を受けることなく、車載機器８１を冷却することができる。
【０６１６】
（ｂ）暖房運転モード
暖房運転モードでは、制御装置７０が、第１バッテリ側開閉弁４５ａを閉じ、第１迂回通路側開閉弁４５ｂを開き、第１ラジエータ側開閉弁４５ｄを閉じる。さらに、制御装置７０は、第１バッテリ側水ポンプ４２を作動させ、第１ラジエータ側水ポンプ４２ａを作動させ、第１車載機器側流量調整弁４４を開弁状態とする。
【０６１７】
また、制御装置７０は、第２ヒータコア側開閉弁５５を開く。さらに、制御装置７０は、第２熱交換器側水ポンプ５２を作動させ、第２ラジエータ側流量調整弁５４を全閉状態とする。また、制御装置７０は、少なくともチラー側膨張弁１３ａを絞り状態として、圧縮機１１を作動させる。
【０６１８】
従って、図３１に示すように、暖房運転モードの第１熱媒体回路４０では、第１バッテリ側水ポンプ４２から圧送された第１熱媒体が、チラー１４１の熱媒体通路１４１ｂ→第１ラジエータ４１の第１熱媒体通路４１ａ→第１バッテリ側水ポンプ４２の吸入側の順に循環する。
【０６１９】
さらに、第１ラジエータ側水ポンプ４２ａから圧送された第１熱媒体が、車載機器８１の冷却水通路８１ａ→第１ラジエータ４１の第１熱媒体通路４１ａ→第１ラジエータ側水ポンプ４２ａの吸入側の順に循環する。
【０６２０】
つまり、暖房運転モードの第１熱媒体回路４０では、第１バッテリ側水ポンプ４２から圧送された第１熱媒体が、チラー１４１の熱媒体通路１４１ｂへ流入して冷却される。熱媒体通路１４１ｂにて冷却された第１熱媒体は、車載機器８１の冷却水通路８１ａにて加熱された第１熱媒体と合流して、第１ラジエータ４１の第１熱媒体通路４１ａへ流入する。
【０６２１】
第１熱媒体通路４１ａへ流入した熱媒体は、室外送風機１５から送風された外気と熱交換する。これにより、第１熱媒体通路４１ａから流出する第1熱媒体の温度が外気温に近づく。
【０６２２】
外気温程度となった第１熱媒体のうちの一部は、第１ラジエータ側水ポンプ４２ａに吸入されて、車載機器８１の冷却水通路８１ａへ圧送される。冷却水通路８１ａへ流入した第１熱媒体は、車載機器８１の排熱を吸熱する。これにより、車載機器８１が冷却される。冷却水通路８１ａから流出した第１熱媒体は、チラー１４１にて冷却された第１熱媒体と合流して、再び第１ラジエータ４１の第１熱媒体通路４１ａへ流入する。
【０６２３】
このため、暖房運転モード時の第１熱媒体回路４０では、チラー１４１の熱媒体通路１４１ｂにて冷却された第１熱媒体と車載機器８１の冷却水通路８１ａにて加熱された第１熱媒体が混ざり合って、第１ラジエータ４１の第１熱媒体通路４１ａへ流入する。
【０６２４】
一方、外気温程度となった残余の第１熱媒体は、第１バッテリ側水ポンプ４２に吸入されて、チラー１４１の熱媒体通路１４１ｂへ圧送される。熱媒体通路１４１ｂへ流入した第１熱媒体は低圧冷媒に吸熱される。これにより、第１熱媒体が冷却される。熱媒体通路１４１ｂから流出した第１熱媒体は、車載機器８１の冷却水通路８１ａから流出した第１熱媒体と合流して、第１ラジエータ４１の第１熱媒体通路４１ａへ流入する。
【０６２５】
この際、車載機器８１の冷却水通路８１ａを流通する第１熱媒体の流れ方向は、冷房運転モード時の流れ方向と同じとなっている。
【０６２６】
また、第２熱媒体回路５０では、第２熱交換器側水ポンプ５２から圧送された第２熱媒体が、水−冷媒熱交換器１２１の熱媒体通路１２１ｂ→ヒータコア５３→第２熱交換器側水ポンプ５２の吸入側の順に循環する。これにより、第２熱媒体回路５０では、第２熱媒体が水−冷媒熱交換器１２１にて吸熱した高圧冷媒の有する熱を、ヒータコア５３にて送風空気へ放熱させることができる。
【０６２７】
従って、暖房運転モードでは、ヒータコア５３にて、送風空気を加熱して、車室内の暖房を行うことができる。さらに、暖房運転モード時に、蒸発器側膨張弁１３ｂを絞り状態として室内蒸発器１４に低圧冷媒を流入させてもよい。これによれば、車室内の除湿暖房を行うことができる。その他の作動は、第１１実施形態と同様である。
【０６２８】
以上の如く、本実施形態の温度調整装置１によれば、車載機器８１を冷却して、車載機器８１の温度上昇を抑制することができる。もちろん、第１１実施形態と同様に、バッテリ８０を冷却して、バッテリ８０の温度上昇を抑制することができる。さらに、送風空気の温度を調整して、車室内の冷房、暖房、除湿暖房を行うことができる。
【０６２９】
また、本実施形態の温度調整装置１によれば、冷房運転モード時に第１ラジエータ４１の第１熱媒体通路４１ａを流通する第１熱媒体の流れと第２ラジエータ５１の第２熱媒体通路５１ａを流通する第２熱媒体の流れ方向が同一となっている。つまり、第１ラジエータ４１を流通する第１熱媒体の流れと第２ラジエータ５１を流通する第２熱媒体の流れが、いわゆる並行流となる。
【０６３０】
従って、第１６実施形態と同様に、第２ラジエータ５１を流通する第２熱媒体と外気との熱交換効率を向上させて、効率的に送風空気を冷却することができる。
【０６３１】
また、冷房運転モード時に車載機器８１の冷却水通路８１ａを流通する第１熱媒体の流れ方向と暖房運転モード時に冷却水通路８１ａを流通する第１熱媒体の流れ方向が、同一となっている。
【０６３２】
従って、冷房運転モードおよび暖房運転モードのいずれの運転モードにも、第１ラジエータ４１から流出した外気温程度となっている第１熱媒体を、車載機器８１の冷却水通路８１ａへ流入させることができる。その結果、冷房運転モードと暖房運転モードとを切り替えても、冷凍サイクル装置１０の作動状態によらず、車載機器８１の温度を確実、かつ、安定的に外気温程度に維持することができる。
【０６３３】
（第２２実施形態）
本実施形態では、図３２、図３３に示すように、第２１実施形態で説明した第１熱媒体回路４０および第２熱媒体回路５０の構成を変更した温度調整装置１ａについて説明する。本実施形態の温度調整装置１ａでは、第１８実施形態と同様に、１つの熱媒体回路６０に、１つのラジエータ６１を接続している。その他の構成は、第１８実施形態と同様である。
【０６３４】
このため、本実施形態では、車載機器８１が外気側対象物となり、車載機器８１の冷却水通路８１ａが外気側対象物熱交換部となる。さらに、バッテリ８０が蒸発側対象物となり、バッテリ８０の冷却水通路８０ａが蒸発側対象物熱交換部となる。また、第１バッテリ側開閉弁４５ａ、第１迂回通路側開閉弁４５ｂ、第１ラジエータ側開閉弁４５ｄ、第２ヒータコア側開閉弁５５および第２ラジエータ側流量調整弁５４が切替部となる。
【０６３５】
次に、上記構成の本実施形態の温度調整装置１ａの作動について説明する。本実施形態の温度調整装置１ａの基本的作動は、第２１実施形態の温度調整装置１と同様である。以下に、冷房運転モードおよび暖房運転モードの作動について説明する。
【０６３６】
（ａ）冷房運転モード
冷房運転モードでは、制御装置７０が、第１バッテリ側開閉弁４５ａを閉じ、第１迂回通路側開閉弁４５ｂを閉じ、第１ラジエータ側開閉弁４５ｄを閉じる。さらに、制御装置７０は、第１バッテリ側水ポンプ４２を停止させ、第１ラジエータ側水ポンプ４２ａを作動させ、第１車載機器側流量調整弁４４を開弁状態とする。
【０６３７】
また、制御装置７０は、第２ヒータコア側開閉弁５５を閉じる。さらに、制御装置７０は、第２熱交換器側水ポンプ５２を作動させ、第２ラジエータ側流量調整弁５４を開弁状態とする。また、制御装置７０は、蒸発器側膨張弁１３ｂを絞り状態として、圧縮機１１を作動させる。
【０６３８】
従って、図２３に示すように、冷房運転モードの熱媒体回路６０では、第１ラジエータ側水ポンプ４２ａから圧送された熱媒体が、ラジエータ６１の熱媒体通路６１ａ→車載機器８１の冷却水通路８１ａ→第１ラジエータ側水ポンプ４２ａの吸入側の順に循環する。
【０６３９】
さらに、第２熱交換器側水ポンプ５２から圧送された熱媒体が、水−冷媒熱交換器１２１の熱媒体通路１２１ｂ→ラジエータ６１の熱媒体通路６１ａ→第２熱交換器側水ポンプ５２の吸入側の順に循環する。
【０６４０】
これにより、熱媒体回路６０では、熱媒体が冷却水通路８１ａにて吸熱した車載機器８１の排熱、および熱媒体が水−冷媒熱交換器１２１の熱媒体通路１２１ｂにて吸熱した高圧冷媒の有する熱をラジエータ６１にて外気へ放熱させることができる。この際、ラジエータ６１の熱媒体通路６１ａでは、熱媒体が上方側から下方側へ流れる。
【０６４１】
また、冷凍サイクル装置１０では、圧縮機１１から吐出された高圧冷媒が、第１８実施形態と同様に循環する。これにより、冷凍サイクル装置１０では、冷媒が室内蒸発器１４にて送風空気から吸熱した熱を、水−冷媒熱交換器１２１にて熱媒体へ放熱させることができる。
【０６４２】
従って、冷房運転モードでは、室内蒸発器１４にて、送風空気を冷却して、車室内の冷房を行うことができる。さらに、車載機器８１を冷却することができる。
【０６４３】
（ｂ）暖房運転モード
暖房運転モードでは、制御装置７０が、第１バッテリ側開閉弁４５ａを閉じ、第１迂回通路側開閉弁４５ｂを開き、第１ラジエータ側開閉弁４５ｄを閉じる。さらに、制御装置７０は、第１バッテリ側水ポンプ４２を作動させ、第１ラジエータ側水ポンプ４２ａを作動させ、第１車載機器側流量調整弁４４を開弁状態とする。
【０６４４】
また、制御装置７０は、第２ヒータコア側開閉弁５５を開く。さらに、制御装置７０は、第２熱交換器側水ポンプ５２を作動させ、第２ラジエータ側流量調整弁５４を全閉状態とする。また、制御装置７０は、少なくともチラー側膨張弁１３ａを絞り状態として、圧縮機１１を作動させる。
【０６４５】
従って、図２４に示すように、暖房運転モードの熱媒体回路６０では、第１バッテリ側水ポンプ４２から圧送された熱媒体が、チラー１４１の熱媒体通路１４１ｂ→ラジエータ６１の熱媒体通路６１ａ→第１バッテリ側水ポンプ４２の吸入側の順に循環する。
【０６４６】
さらに、第１ラジエータ側水ポンプ４２ａから圧送された熱媒体が、車載機器８１の冷却水通路８１ａ→ラジエータ６１の熱媒体通路６１ａ→第１ラジエータ側水ポンプ４２ａの吸入側の順に循環する。
【０６４７】
つまり、暖房運転モードの熱媒体回路６０では、第１バッテリ側水ポンプ４２から圧送された熱媒体が、チラー１４１の熱媒体通路１４１ｂへ流入して冷却される。熱媒体通路１４１ｂにて冷却された熱媒体は、車載機器８１の冷却水通路８１ａにて加熱された熱媒体と合流して、ラジエータ６１の熱媒体通路６１ａへ流入する。
【０６４８】
熱媒体通路６１ａへ流入した熱媒体は、室外送風機１５から送風された外気と熱交換する。これにより、熱媒体通路６１ａから流出する熱媒体は外気温程度の温度となる。
【０６４９】
外気温程度となった熱媒体のうちの一部は、第１ラジエータ側水ポンプ４２ａに吸入されて、車載機器８１の冷却水通路８１ａへ圧送される。冷却水通路８１ａへ流入した熱媒体は、車載機器８１の排熱を吸熱する。これにより、車載機器８１が冷却される。冷却水通路８１ａから流出した熱媒体は、チラー１４１にて冷却された熱媒体と合流して、ラジエータ６１の熱媒体通路６１ａへ流入する。
【０６５０】
このため、熱媒体回路６０では、チラー１４１の熱媒体通路１４１ｂにて冷却された熱媒体と車載機器８１の冷却水通路８１ａにて加熱された熱媒体が混ざり合って、ラジエータ６１の熱媒体通路６１ａへ流入する。
【０６５１】
一方、外気温程度となった残余の熱媒体は、第１バッテリ側水ポンプ４２に吸入されて、チラー１４１の熱媒体通路１４１ｂへ圧送される。熱媒体通路１４１ｂへ流入した熱媒体は低圧冷媒に吸熱される。これにより、熱媒体が冷却される。熱媒体通路１４１ｂから流出した熱媒体は、車載機器８１の冷却水通路８１ａから流出した熱媒体と合流して、ラジエータ６１の熱媒体通路６１ａへ流入する。
【０６５２】
この際、車載機器８１の冷却水通路８１ａを流通する熱媒体の流れ方向は、冷房運転モード時の流れ方向と同じとなっている。
【０６５３】
さらに、熱媒体回路６０では、第２熱交換器側水ポンプ５２から圧送された熱媒体が、水−冷媒熱交換器１２１の熱媒体通路１２１ｂ→ヒータコア５３→第２熱交換器側水ポンプ５２の吸入側の順に循環する。これにより、熱媒体回路６０では、熱媒体が水−冷媒熱交換器１２１にて吸熱した高圧冷媒の有する熱を、ヒータコア５３にて送風空気へ放熱させることができる。
【０６５４】
従って、暖房運転モードでは、ヒータコア５３にて、送風空気を加熱して、車室内の暖房を行うことができる。さらに、暖房運転モード時に、蒸発器側膨張弁１３ｂを絞り状態として室内蒸発器１４に低圧冷媒を流入させてもよい。これによれば、車室内の除湿暖房を行うことができる。
【０６５５】
以上の如く、本実施形態の温度調整装置１ａによれば、車載機器８１を冷却して、車載機器８１の温度上昇を抑制することができる。もちろん、第１１実施形態と同様に、バッテリ８０を冷却して、バッテリ８０の温度上昇を抑制することができる。さらに、送風空気の温度を調整して、車室内の冷房、暖房、除湿暖房を行うことができる。
【０６５６】
また、本実施形態の温度調整装置１ａによれば、冷房運転モード時に車載機器８１の冷却水通路８１ａを流通する熱媒体の流れ方向と加熱運転モード時に冷却水通路８１ａを流通する熱媒体の流れ方向は、同一となっている。
【０６５７】
従って、冷房運転モードおよび暖房運転モードのいずれの運転モードにも、ラジエータ６１から流出した外気温程度となっている熱媒体を、車載機器８１の冷却水通路８１ａへ流入させることができる。その結果、冷房運転モードと暖房運転モードとを切り替えても、冷凍サイクル装置１０の作動状態によらず、車載機器８１の温度を確実、かつ、安定的に外気温程度に維持することができる。
【０６５８】
（他の実施形態）
本発明は上述の実施形態に限定されることなく、本発明の趣旨を逸脱しない範囲内で、以下のように種々変形可能である。
【０６５９】
（１）上述の実施形態では、温度調整装置１、１ａを、車両に適用した例を説明したが、温度調整装置１、１ａの適用はこれに限定されない。例えば、サーバ（コンピュータ）の温度を適切に調整しつつ、サーバが収容される室内の空調を行うサーバ冷却機能付きの空調装置等に適用してもよい。
【０６６０】
（２）上述の第１実施形態では、放熱部としてラジエータ４１の熱媒体通路４１ａを採用した例を説明したが、放熱部はこれに限定されない。
【０６６１】
例えば、放熱部として、バッテリ８０の外表面に配置された複数の放熱用フィンを採用してもよい。つまり、熱媒体を介することなく、バッテリ８０の排熱を放熱用フィンから直接的に外気に放熱させてもよい。この場合は、凝縮器１２では、複数の放熱用フィン同士の間を通過して加熱された外気と冷媒とを熱交換させるようにすればよい。
【０６６２】
（３）第１熱媒体回路４０、第２熱媒体回路５０、熱媒体回路６０の各構成機器は、上述の実施形態に開示されたものに限定されない。
【０６６３】
例えば、第１切替部、第２切替部、切替部を構成する複数の開閉弁や流量調整弁は、適宜一体化してもよい。例えば、第３実施形態で説明した第１バッテリ側開閉弁４５ａおよび第１迂回通路側開閉弁４５ｂついては、第３実施形態と同様に第１熱媒体回路４０の回路構成を切替可能であれば、三方弁として一体化させてもよい。
【０６６４】
また、上述の実施形態では、第１ラジエータ４１および第２ラジエータ５１として、熱交換部の面積が互いに同等のものを採用した例を説明したが、これに限定しない。例えば、第２ラジエータ５１の熱交換部の面積が第１ラジエータ４１の面積よりも広くなっていてもよい。そして、第２ラジエータ５１にて、第２熱媒体と第１ラジエータ４１から流出した外気の少なくとも一部とを熱交換させるようになっていてもよい。
【０６６５】
また、上述の第１〜第１７、第２１実施形態では、第１ラジエータ４１と第２ラジエータ５１とを別体として構成して、近接配置した例を説明したがこれに限定されない。例えば、図３４、図３５に示すように、第１ラジエータ４１と第２ラジエータ５１とを複合型熱交換器６１１として一体化させてもよい。
【０６６６】
具体的には、複合型熱交換器６１１では、図３４に示すように、第１ラジエータ４１および第２ラジエータ５１として、第１６実施形態と同様に、タンクアンドチューブ型の熱交換器を採用している。従って、第１ラジエータ４１は、複数の第１チューブ４１１および一対の第１タンク４１２を有している。同様に、第２ラジエータ５１は、複数の第２チューブ５１１および一対の第２タンク５１２を有している。
【０６６７】
そして、第１タンク４１２と第２タンク５１２とを同一の部材にて形成し、複数の第１チューブ４１１、一対の第１タンク４１２、複数の第２チューブ５１１、一対の第２タンク５１２、熱交換フィン６１２を一体ロウ付け接合する。これにより、第１ラジエータ４１および第２ラジエータ５１を一体化させた複合型熱交換器６１１を形成する。
【０６６８】
この際、複合型熱交換器６１１では、図３５に示すように、隣り合う第１チューブ４１１同士の間に形成される空気通路と隣り合う第２チューブ５１１同士の間に形成される空気通路に、一つの金属部材で形成された熱交換フィン６１２を配置している。
【０６６９】
熱交換フィン６１２は、第１チューブ４１１を流通する第１熱媒体と外気との熱交換を促進するとともに、第２チューブ５１１を流通する第２熱媒体と第１ラジエータ４１を通過後の外気との熱交換を促進する。さらに、熱交換フィン６１２では、第１チューブ４１１を流通する第１熱媒体と第２チューブ５１１を流通する第２熱媒体との間の熱移動を可能としている。
【０６７０】
つまり、複合型熱交換器６１１では、第１ラジエータ４１および第２ラジエータ５１が、第１熱媒体と第２熱媒体との間の熱移動が可能となるように熱的に接続されている。これによれば、例えば、第１ラジエータ４１に着霜が生じた際に、第２ラジエータ５１を流通する第２熱媒体の有する熱によって、第１ラジエータ４１の除霜を行うことができる。
【０６７１】
さらに、第３実施形態の暖房運転モードのように、外気の有する熱を暖房用の熱源として第１ラジエータ４１にて第１熱媒体に吸熱させる際に、第２ラジエータ５１を流通する第２熱媒体の有する熱も、暖房用の熱源として第１熱媒体に吸熱させることができる。これにより、ヒータコア５３における送風空気の加熱能力を向上させることができる。
【０６７２】
また、上述の実施形態では、第１ラジエータ４１、第２ラジエータ５１、およびラジエータ６１にて、それぞれ第１熱媒体、第２熱媒体、および熱媒体が下方側から上方側あるいは上方側から下方側へ流れる例を説明したが、これに限定されない。例えば、水平方向に流れるようになっていてもよい。
【０６７３】
さらに、第１ラジエータ４１にて第１熱媒体から外気へ熱を放熱させる際に、第１ラジエータ４１を流通する第１熱媒体の流れ方向が、上方側から下方側へ向かう流れになることに限定されない。第１熱媒体から外気へ熱を放熱させる際に、下方側から上方側へ向かう流れになっていてもよい。
【０６７４】
同様に、第１ラジエータ４１にて第１熱媒体が外気から吸熱する際に、第１ラジエータ４１を流通する第１熱媒体の流れ方向が、下方側から上方側へ向かう流れとなることに限定されない。第１熱媒体が外気から吸熱する際に、上方側から下方側へ向かう流れになっていてもよい。このことは、第２ラジエータ５１、ラジエータ６１においても同様である。
【０６７５】
（４）冷凍サイクル装置１０の各構成機器は、上述の実施形態に開示されたものに限定されない。例えば、上述の実施形態では、圧縮機１１として、電動圧縮機を採用した例を説明したが、内燃機関から伝達される回転駆動力によって駆動されるエンジン駆動式の圧縮機を採用してもよい。
【０６７６】
また、上述の実施形態では、冷媒としてＲ１２３４ｙｆを採用した例を説明したが、冷媒はこれに限定されない。例えば、Ｒ１３４ａ、Ｒ６００ａ、Ｒ４１０Ａ、Ｒ４０４Ａ、Ｒ３２、Ｒ４０７Ｃ、等を採用してもよい。または、これらの冷媒のうち複数種を混合させた混合冷媒等を採用してもよい。
【符号の説明】
【０６７７】
１０…冷凍サイクル装置、１１…圧縮機、１２…凝縮器、１２１…水−冷媒熱交換器
１２ａ、１２１ａ…凝縮器の冷媒通路、水−冷媒熱交換器の冷媒通路（凝縮部）
１２１ｂ…水−冷媒熱交換器の熱媒体通路（凝縮側熱交換部）
１３、１３ａ…膨張弁、チラー側膨張弁（減圧部）
１３ｂ…蒸発器側膨張弁（流体側減圧部）
１４…室内蒸発器（流体側蒸発部）、１４ａ…室内蒸発器の冷媒通路（蒸発部）
１４１…チラー、１４１ａ…チラーの冷媒通路（蒸発部）
１４１ｂ…チラーの熱媒体通路（蒸発側熱交換部）
４０…第１熱媒体回路、４１…第１ラジエータ（第１熱交換部）
５０…第２熱媒体回路、５１…第１ラジエータ（第２熱交換部）
８０…バッテリ（蒸発側対象物）、８１…車載機器（外気側対象物）
８０ａ…バッテリの冷却水通路（蒸発側対象物熱交換部）
８１ａ…車載機器の冷却水通路（外気側対象物熱交換部）
【図１】
2020104604.tif 000003
【図２】
2020104604.tif 000004
【図３】
2020104604.tif 000005
【図４】
2020104604.tif 000006
【図５】
2020104604.tif 000007
【図６】
2020104604.tif 000008
【図７】
2020104604.tif 000009
【図８】
2020104604.tif 000010
【図９】
2020104604.tif 000011
【図１０】
2020104604.tif 000012
【図１１】
2020104604.tif 000013
【図１２】
2020104604.tif 000014
【図１３】
2020104604.tif 000015
【図１４】
2020104604.tif 000016
【図１５】
2020104604.tif 000017
【図１６】
2020104604.tif 000018
【図１７】
2020104604.tif 000019
【図１８】
2020104604.tif 000020
【図１９】
2020104604.tif 000021
【図２０】
2020104604.tif 000022
【図２１】
2020104604.tif 000023
【図２２】
2020104604.tif 000024
【図２３】
2020104604.tif 000025
【図２４】
2020104604.tif 000026
【図２５】
2020104604.tif 000027
【図２６】
2020104604.tif 000028
【図２７】
2020104604.tif 000029
【図２８】
2020104604.tif 000030
【図２９】
2020104604.tif 000031
【図３０】
2020104604.tif 000032
【図３１】
2020104604.tif 000033
【図３２】
2020104604.tif 000034
【図３３】
2020104604.tif 000035
【図３４】
2020104604.tif 000036
【図３５】
2020104604.tif 000037